(57)【要約】  動力による加速下で安定した沈下度応答を有する車輪サスペンション・システム。【特許請求の範囲】
【請求項１】
シャフトドリブン・ホイールサスペンションのための車両のサスペンション・システムであって、
上記車両のサスペンションが収縮されるにつれて重力に対して上方へ移動する１個の瞬時フォースセンタを射影することを特徴とするサスペンション・システム。
【請求項２】
シャフトドリブン・ホイールサスペンションのための車両のサスペンション・システムであって、
上記車両のサスペンションが収縮されるにつれて被駆動輪の回転軸に接近するように水平方向へ移動する１個の瞬時フォースセンタを射影することを特徴とするサスペンション・システム。
【請求項３】
シャフトドリブン・ホイールサスペンションのための車両のサスペンション・システムであって、
上記車両のサスペンションが収縮されるにつれて重力に抗して上方へかつ被駆動輪の回転軸に接近するように水平方向へ移動する１個の瞬時フォースセンタを射影することを特徴とするサスペンション・システム。
【請求項４】
スピンドルドリブン・ホイールサスペンションのための車両のサスペンション・システムであって、
上記車両のサスペンションが収縮されるにつれて重力に対して上方へ移動する１個の瞬時フォースセンタを射影することを特徴とするサスペンション・システム。
【請求項５】
スピンドルドリブン・ホイールサスペンションのための車両のサスペンション・システムであって、
上記車両のサスペンションが収縮されるにつれて被駆動輪の回転軸に接近するように水平方向へ移動する１個の瞬時フォースセンタを射影することを特徴とするサスペンション・システム。
【請求項６】
スピンドルドリブン・ホイールサスペンションのための車両のサスペンション・システムであって、
上記車両のサスペンションが収縮されるにつれて重力に対して上方へかつ被駆動輪の回転軸に接近するように水平方向へ移動する１個の瞬時フォースセンタを射影することを特徴とするサスペンション・システム。
【請求項７】
ピッチ円直径を有するドライビングコグを備えたチェーンリブンリアホイール・サスペンションのための車両のサスペンション・システムであって、
該サスペンション・システムは、上記車両のサスペンションが収縮されるにつれて上方へ移動する１個の瞬時フォースセンタを射影し、該瞬時フォースセンタは１本の瞬時フォースセンタ軌道を辿り、該瞬時フォースセンタ軌道は１個の瞬時フォースセンタ軌道焦点を描き、該瞬時フォースセンタ軌道焦点は、上記サスペンションが収縮される間に上記ドライビングコグのピッチ円直径によって描かれる領域内の１個または複数の点上にあることを特徴とするサスペンション・システム。
【請求項８】
約０から約２５％までのパーセント沈下度の変化値を備えた安定した沈下度曲線を実現することを特徴とする請求項１記載のサスペンション・システム。
【請求項９】
約０から約１５％までのパーセント沈下度の変化値を備えた安定した沈下度曲線を実現することを特徴とする請求項１記載のサスペンション・システム。
【請求項１０】
約０から約１０％までのパーセント沈下度の変化値を備えた安定した沈下度曲線を実現することを特徴とする請求項１記載のサスペンション・システム。
【請求項１１】
約０から約５％までのパーセント沈下度の変化値を備えた安定した沈下度曲線を実現することを特徴とする請求項１記載のサスペンション・システム。
【請求項１２】
約０から約１％までのパーセント沈下度の変化値を備えた安定した沈下度曲線を実現することを特徴とする請求項１記載のサスペンション・システム。
【請求項１３】
サスペンション動程の始端領域において約−０．０００１から約−１０までの勾配を有する安定した沈下度曲線を実現し、上記始端領域が上記サスペンション動程の約０から約３０％までであることを特徴とする請求項１記載のサスペンション・システム。
【請求項１４】
サスペンション動程の終端領域において約０．０００１から約１０までの勾配を有する安定した沈下度曲線を実現し、上記終端領域が上記サスペンション動程の約７０から約１００％までであることを特徴とする請求項１記載のサスペンション・システム。
【請求項１５】
サスペンション動程の始端領域において約０．０００１から約１０までの勾配を有する安定した沈下度曲線を実現し、上記始端領域が上記サスペンション動程の約０から約３０％までであることを特徴とする請求項１記載のサスペンション・システム。
【請求項１６】
サスペンション動程の終端領域において約−０．０００１から約−１０までの勾配を有する安定した沈下度曲線を実現し、上記終端領域が上記サスペンション動程の約７０から約１００％までであることを特徴とする請求項１記載のサスペンション・システム。
【請求項１７】
サスペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約−０．０００１から約−１０までの勾配を有することを特徴とする請求項１記載のサスペンション・システム。
【請求項１８】
スペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項１記載のサスペンション・システム。
【請求項１９】
スペンション動程の始端領域において約０．０００１から約１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項１記載のサスペンション・システム。
【請求項２０】
約０から約２５％までのパーセント沈下度の変化値を備えた安定した沈下度曲線を実現することを特徴とする請求項２記載のサスペンション・システム。
【請求項２１】
約０から約１５％までのパーセント沈下度の変化値を備えた安定した沈下度曲線を実現することを特徴とする請求項２記載のサスペンション・システム。
【請求項２２】
約０から約１０％までのパーセント沈下度の変化値を備えた安定した沈下度曲線を実現することを特徴とする請求項２記載のサスペンション・システム。
【請求項２３】
約０から約５％までのパーセント沈下度の変化値を備えた安定した沈下度曲線を実現することを特徴とする請求項２記載のサスペンション・システム。
【請求項２４】
約０から約１％までのパーセント沈下度の変化値を備えた安定した沈下度曲線を実現することを特徴とする請求項２記載のサスペンション・システム。
【請求項２５】
サスペンション動程の始端領域において約−０．０００１から約−１０までの勾配を有する安定した沈下度曲線を実現し、上記始端領域が上記サスペンション動程の約０から約３０％までであることを特徴とする請求項２記載のサスペンション・システム。
【請求項２６】
サスペンション動程の終端領域において約０．０００１から約１０までの勾配を有する安定した沈下度曲線を実現し、上記終端領域が上記サスペンション動程の約７０から約１００％までであることを特徴とする請求項２記載のサスペンション・システム。
【請求項２７】
サスペンション動程の始端領域において約０．０００１から約１０までの勾配を有する安定した沈下度曲線を実現し、上記始端領域が上記サスペンション動程の約０から約３０％までであることを特徴とする請求項２記載のサスペンション・システム。
【請求項２８】
サスペンション動程の終端領域において約−０．０００１から約−１０までの勾配を有する安定した沈下度曲線を実現し、上記終端領域が上記サスペンション動程の約７０から約１００％までであることを特徴とする請求項２記載のサスペンション・システム。
【請求項２９】
サスペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約−０．０００１から約−１０までの勾配を有することを特徴とする請求項２記載のサスペンション・システム。
【請求項３０】
スペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項２記載のサスペンション・システム。
【請求項３１】
スペンション動程の始端領域において約０．０００１から約１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項２記載のサスペンション・システム。
【請求項３２】
約０から約２５％までのパーセント沈下度の変化値を備えた安定した沈下度曲線を実現することを特徴とする請求項３記載のサスペンション・システム。
【請求項３３】
約０から約１５％までのパーセント沈下度の変化値を備えた安定した沈下度曲線を実現することを特徴とする請求項３記載のサスペンション・システム。
【請求項３４】
約０から約１０％までのパーセント沈下度の変化値を備えた安定した沈下度曲線を実現することを特徴とする請求項３記載のサスペンション・システム。
【請求項３５】
約０から約５％までのパーセント沈下度の変化値を備えた安定した沈下度曲線を実現することを特徴とする請求項３記載のサスペンション・システム。
【請求項３６】
約０から約１％までのパーセント沈下度の変化値を備えた安定した沈下度曲線を実現することを特徴とする請求項３記載のサスペンション・システム。
【請求項３７】
サスペンション動程の始端領域において約−０．０００１から約−１０までの勾配を有する安定した沈下度曲線を実現し、上記始端領域が上記サスペンション動程の約０から約３０％までであることを特徴とする請求項３記載のサスペンション・システム。
【請求項３８】
サスペンション動程の終端領域において約０．０００１から約１０までの勾配を有する安定した沈下度曲線を実現し、上記終端領域が上記サスペンション動程の約７０から約１００％までであることを特徴とする請求項３記載のサスペンション・システム。
【請求項３９】
サスペンション動程の始端領域において約０．０００１から約１０までの勾配を有する安定した沈下度曲線を実現し、上記始端領域が上記サスペンション動程の約０から約３０％までであることを特徴とする請求項３記載のサスペンション・システム。
【請求項４０】
サスペンション動程の終端領域において約−０．０００１から約−１０までの勾配を有する安定した沈下度曲線を実現し、上記終端領域が上記サスペンション動程の約７０から約１００％までであることを特徴とする請求項３記載のサスペンション・システム。
【請求項４１】
サスペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約−０．０００１から約−１０までの勾配を有することを特徴とする請求項３記載のサスペンション・システム。
【請求項４２】
スペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項３記載のサスペンション・システム。
【請求項４３】
スペンション動程の始端領域において約０．０００１から約１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項３記載のサスペンション・システム。
【請求項４４】
約０から約２５％までのパーセント沈下度の変化値を備えた安定した沈下度曲線を実現することを特徴とする請求項７記載のサスペンション・システム。
【請求項４５】
約０から約１５％までのパーセント沈下度の変化値を備えた安定した沈下度曲線を実現することを特徴とする請求項７記載のサスペンション・システム。
【請求項４６】
約０から約１０％までのパーセント沈下度の変化値を備えた安定した沈下度曲線を実現することを特徴とする請求項７記載のサスペンション・システム。
【請求項４７】
約０から約５％までのパーセント沈下度の変化値を備えた安定した沈下度曲線を実現することを特徴とする請求項７記載のサスペンション・システム。
【請求項４８】
約０から約１％までのパーセント沈下度の変化値を備えた安定した沈下度曲線を実現することを特徴とする請求項７記載のサスペンション・システム。
【請求項４９】
サスペンション動程の始端領域において約−０．０００１から約−１０までの勾配を有する安定した沈下度曲線を実現し、上記始端領域が上記サスペンション動程の約０から約３０％までであることを特徴とする請求項７記載のサスペンション・システム。
【請求項５０】
サスペンション動程の終端領域において約０．０００１から約１０までの勾配を有する安定した沈下度曲線を実現し、上記終端領域が上記サスペンション動程の約７０から約１００％までであることを特徴とする請求項７記載のサスペンション・システム。
【請求項５１】
サスペンション動程の始端領域において約０．０００１から約１０までの勾配を有する安定した沈下度曲線を実現し、上記始端領域が上記サスペンション動程の約０から約３０％までであることを特徴とする請求項７記載のサスペンション・システム。
【請求項５２】
サスペンション動程の終端領域において約−０．０００１から約−１０までの勾配を有する安定した沈下度曲線を実現し、上記終端領域が上記サスペンション動程の約７０から約１００％までであることを特徴とする請求項７記載のサスペンション・システム。
【請求項５３】
サスペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約−０．０００１から約−１０までの勾配を有することを特徴とする請求項７記載のサスペンション・システム。
【請求項５４】
スペンション動程の始端領域において約−０．０００１から約−１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項７記載のサスペンション・システム。
【請求項５５】
スペンション動程の始端領域において約０．０００１から約１０までの勾配を有する安定した沈下度曲線を実現し、上記始端領域が上記サスペンション動程の約０から約３０％までであり、かつ上記サスペンション動程の別の点において、約０．０００１から約１０までの勾配を有することを特徴とする請求項７記載のサスペンション・システム。
【発明の詳細な説明】
【技術分野】
【０００１】
本発明は、動力付き車両の加速時に安定した沈下度応答（squat magnitude 
response）を維持することが可能なサスペンション・システムに関するものである。
【背景技術】
【０００２】
自動車、自転車、自動二輪車、全地形万能車（ＡＴＶ）、およびその他の車輪が駆動される車両は、輸送およびレジャーを含む種々の目的に使用されている。これらの車両は、動力伝達システムを通じて単数または複数の車輪を駆動するための動力源を用い、車輪は、車輪と地面との間の牽引力を介して回転運動を地面に伝達するように構成されている。車両はまた、舗装道路のような平坦な地面を走行するのにも、オフロードの泥道のような平坦でない地面を走行するのにも用いられる。オフロードの小道は凹凸だらけで、かつ車輪の牽引力が舗装道路よりも弱い。サスペンション・システムを備えた車両は、凹凸だらけの地面をドライブするのに最も適している。車両におけるサスペンション・システムは、運転者またはライダーがよりスムーズな運転を行なうことを目指すもので、変化に富む地面に対する牽引力を増大させる。車両のサスペンション・システムは、前輪および後輪に採用可能である。
【発明の開示】
【発明が解決しようとする課題】
【０００３】
サスペンション・システムの一つの望ましくない作用は、動力加速時の収縮または伸張によるエネルギー損失である。このようなエネルギー損失は、例えば自転車または太陽エネルギー・カーのような低出力の動力源によって駆動される車両において特に由々しい問題である。例えば、自転車の平均的ライダーは、短時間のみであれば或る程度の力またはエネルギーを発揮することができるが、長時間になれば力が落ちる。したがって、極めて僅かな力の損失であってさえも、ライダーの行動および快適性のレベルに甚大な影響を与える可能性がある。一般の車両のタイヤは、理想的な牽引および凹凸吸収のために硬いサスペンションを要求し、一般の人間の生理は、耐えられる人間の快適性レベルを得るために柔らかいサスペンションを要求する。操縦者の快適性、タイヤの牽引力、および凹凸追従性に関して要求が異なることにより、サスペンション・システムにおけるその他の望ましくない作用としては、快適性に関してサスペンションが硬過ぎるために車両操縦者の快適性が損なわれることや、牽引力および凹凸吸収性に関してサスペンションが柔らか過ぎるために牽引力および凹凸吸収性が損なわれることがあげられる。サスペンション動程（suspension travel）とは、懸架された車輪の、サスペンションがいっぱいに伸長された状態からいっぱいに収縮された状態まで動かされたときの距離である。サスペンション・システムは、サスペンションが収縮されるにつれて沈下度において広範囲な変化を示し得る。一般的に、サスペンション運動学により、標準的なサスペンションがより収縮される程、完全に伸長された状態から完全に収縮された状態までのサスペンション収縮の持続時間に亘って沈下度における変動がより広範になる。沈下度におけるこの変動は、サスペンションがその全動程に亘って最高効率点においてまたは最低量のサスペンションの動きをもって動作することができないことを意味する。この沈下における変動が、サスペンション動程の種々の点における加速力によりサスペンションをさらに収縮または伸張させ得る。サスペンションは、サスペンション動程距離の一定の点において、理想的な凹凸配分、快適性、または性能効率特性が得られるように構成されなければならない。サスペンション動程における他の全ての点においては、車両運転者にとって望ましくないかも知れない性能特性を示すであろう。自転車においては、多くの構成に関してサスペンション動程が増大してきており、ライダーにとって上述したエネルギー損失がより明らかになって来た。しかしながら、強力なエネルギー源を備えた車両でさえ、いかなるエネルギー損失も車両の効率、例えば燃料効率を低下させる。頻繁な加速・減速（すなわち正および負の加速）を必要とする態様で車両が使用される場合には、サスペンション・システムの幾何学的配列および構造を含む車両の幾何学的配列に起因する過剰な車両のシャーシの動きによって、車両運転者の安全性および快適性ならびに車両の効率が著しく損なわれる。
【０００４】
車両のためのサスペンション・システムは、加速力によるサスペンションの動きにおける変動を最少にし、かつエネルギー損失、快適性損失および凹凸吸収能力損失を最少にするように構成しなければならない。最終的には、車両の環境に与える影響が軽減される。それ故に、車両の効率およびエネルギーをよりよく維持することができるサスペンション・システムに対する必要性がより切迫して来ている。本発明は、これらのエネルギー損失を低減し、さらに運転者への優れた快適性または優れたタイヤ牽引力が得られる車両のためのサスペンション・システムを提供するものである。
【課題を解決するための手段】
【０００５】
本発明は、例えば、自転車、自動二輪車、乗用車、スポーツ汎用車（ＳＵＶ）、トラック、二輪車、四輪車、前輪懸架車両、被駆動輪懸架車両、およびその他のサスペンション・システムを備えたあらゆる車両のための新規なサスペンション・システムに関するものである。本発明のいくつかの実施の形態においては、本発明のサスペンション・システムが安定した沈下度（squat magnitude）応答を助長することができる。いくつかの好ましい実施の形態においては、本発明のサスペンション・システムが車両加速時のエネルギー損失を低下させる。このエネルギー損失は、車両のサスペンション運動学、パワートレーンのレイアウト、車両レイアウト、および姿勢によって支配されるシャーシの内的な力による望ましくないサスペンションの伸縮の結果生じ得る。いくつかの好ましい実施の形態において、本発明のサスペンション・システムは、安定した抗沈下度応答（anti-squat magnitude response）を発生させることによって、沈下に基づくエネルギー損失を低下させ、および／または車両運転者の快適性を増大させることができる。好ましい実施の形態において、本発明のサスペンション・システムの抗沈下度応答は、車両のサスペンション動程に沿って変化する。本発明のいくつかの好ましい実施の形態において、車輪サスペンション・システムは沈下度曲線を備えており、この沈下度曲線に関しては、サスペンション・システムが車輪動程における始点から車輪動程における終点まで移動するにつれて沈下度の安定したレートを備えている。
【０００６】
本発明のいくつかの実施の形態において、収縮可能な車輪サスペンション・システムは、安定した沈下度を有する沈下度曲線を備えており、この沈下度に関しては、サスペンション・システムが車輪動程における始点から車輪動程における終点まで移動するにつれて変動するバリエーションを備えている。
【０００７】
本発明のいくつかの実施の形態において、収縮可能な車輪サスペンション・システムは、沈下度曲線を備えており、この沈下度曲線に関しては安定した沈下度を有し、この沈下度に関しては、サスペンション・システムが車輪動程における始点から車輪動程における終点まで移動するにつれて増大しかつ減少する。
【０００８】
本発明のいくつかの実施の形態において、収縮可能な車輪サスペンション・システムは、沈下度曲線を備えており、この沈下度曲線に関しては安定した沈下度を有し、この沈下度に関しては、サスペンション・システムが車輪動程における始点から車輪動程における終点まで移動するにつれて減少しかつ増大する。
【０００９】
本発明のいくつかの実施の形態は、調整された沈下度応答を用いて、被駆動輪サスペンションが動く間の戦術的な複数の点における動力加速に誘発されたサスペンションの動きを低減するように構成されている。本発明の好ましい実施の形態を用いるように構成された車両は、車輪サスペンション動程を通じて、従来のシステムよりも低いエネルギー損失と、より安定な車両シャーシとをもって動力加速を行なうことができる。
【００１０】
本発明は、動力加速中のエネルギー損失を低減する、車両のためのサスペンション・システム構造を提供するものである。本発明は、動力加速時の過剰なサスペンションの動きを低減し、かつ運転者の快適性を改善する、車両のためのサスペンション・システム構造を提供する。
【００１１】
本発明のいくつかの実施の形態においては、車輪サスペンション・システムが、１個のホイールキャリア・リンクに連結された１個の車輪を備え、このホイールキャリア・リンクは、スプリング・ダンパ手段に連結され、かつ上記車輪をフレーム構造から隔離させ、車輪サスペンション・システムに関しては沈下度曲線を有し、この沈下度曲線に関しては、サスペンション・システムが車輪動程における始点から車輪動程における終点まで動くにつれて安定した沈下度レートを有する。
【００１２】
本発明のいくつかの実施の形態においては、収縮可能な車輪サスペンション・システムが、１個のホイールキャリア・リンクに連結された１個の車輪を備え、このホイールキャリア・リンクは、スプリング・ダンパ手段に連結され、かつ上記車輪をフレーム構造から隔離させ、車輪サスペンション・システムに関しては沈下度曲線を有し、この沈下度曲線に関しては、安定した沈下度を有し、この沈下度に関しては、サスペンション・システムが車輪動程における始点から車輪動程における終点まで動くにつれて変動するバリエーションを有する。
【００１３】
本発明のいくつかの実施の形態においては、収縮可能な車輪サスペンション・システムが、１個のホイールキャリア・リンクに連結された１個の車輪を備え、このホイールキャリア・リンクは、スプリング・ダンパ手段に連結され、かつ上記車輪をフレーム構造から隔離させ、車輪サスペンション・システムに関しては沈下度曲線を有し、この沈下度曲線に関しては、安定した沈下度を有し、この沈下度に関しては、サスペンション・システムが車輪動程における始点から車輪動程における終点まで動くにつれて増大しかつ減少する。
【００１４】
本発明のいくつかの実施の形態においては、収縮可能な車輪サスペンション・システムが、１個のホイールキャリア・リンクに連結された１個の車輪を備え、このホイールキャリア・リンクは、スプリング・ダンパ手段に連結され、かつ上記車輪をフレーム構造から隔離させ、車輪サスペンション・システムに関しては沈下度曲線を有し、この沈下度曲線に関しては、安定した沈下度を有し、この沈下度に関しては、サスペンション・システムが車輪動程における始点から車輪動程における終点まで動くにつれて減少しかつ増大する。
【００１５】
本発明のいくつかの実施の形態においては、収縮可能な車輪サスペンション・システムが、ホイールキャリア・リンクに連結された１個のシャフトドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影された（projected）リンク・フォースラインを有し、上記第１リンクの射影されたフォースラインは上記第２リンクの射影されたフォースラインと交差して１個の瞬時フォースセンタ（instant force center）を形成し、この瞬時フォースセンタは、サスペンションが収縮されるにつれて上方へ移動する。
【００１６】
本発明のいくつかの実施の形態においては、収縮可能な車輪サスペンション・システムが、ホイールキャリア・リンクに連結された１個のシャフトドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタは、サスペンションが収縮されるにつれて上方へ移動する。
【００１７】
本発明のいくつかの実施の形態においては、収縮可能な車輪サスペンション・システムが、ホイールキャリア・リンクに連結された１個のスピンドルドリブン・ホイールを備え、このホイールキャリア・リンクは、第１リンクおよび第２リンクを備え、これら第１リンクおよび第２リンクに関しては同一方向へ一緒に回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタは、サスペンションが収縮されるにつれて上方へ移動する。
【００１８】
本発明のいくつかの実施の形態においては、収縮可能な車輪サスペンション・システムが、ホイールキャリア・リンクに連結された１個のスピンドルドリブン・ホイールを備え、このホイールキャリア・リンクは、第１リンクおよび第２リンクを備え、これら第１リンクおよび第２リンクに関しては共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタに関しては、サスペンションが収縮されるにつれて上方へ移動する。
【００１９】
本発明のいくつかの実施の形態においては、収縮可能な車輪サスペンション・システムが、ホイールキャリア・リンクに連結された１個のシャフトドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタは、サスペンションが収縮されるにつれて被駆動輪の回転軸に近付くように水平方向へ移動する。
【００２０】
本発明のいくつかの実施の形態においては、収縮可能な車輪サスペンション・システムが、ホイールキャリア・リンクに連結された１個のシャフトドリブン・ホイールを備え、このホイールキャリア・リンクは、第１リンクおよび第２リンクを備え、これら第１リンクおよび第２リンク共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタに関しては、サスペンションが収縮されるにつれて被駆動輪の回転軸に近付くように水平方向へ移動する。
【００２１】
本発明のいくつかの実施の形態においては、収縮可能な車輪サスペンション・システムが、ホイールキャリア・リンクに連結された１個のスピンドルドリブン・ホイールを備え、このホイールキャリア・リンクは、第１リンクおよび第２リンクを備え、これら第１リンクおよび第２リンクに関しては同一方向へ一緒に回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタに関しては、サスペンションが収縮されるにつれて被駆動輪の回転軸に近付くように水平方向へ移動する。
【００２２】
本発明のいくつかの実施の形態においては、収縮可能な車輪サスペンション・システムが、ホイールキャリア・リンクに連結された１個のスピンドルドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタは、サスペンションが収縮されるにつれて被駆動輪の回転軸に近付くように水平方向へ移動する。
【００２３】
本発明のいくつかの実施の形態においては、収縮可能な車輪サスペンション・システムが、ホイールキャリア・リンクに連結された１個のシャフトドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタは、サスペンションが収縮されるにつれて重力に対し上方へかつ被駆動輪の回転軸に近付くように水平方向へ移動する。
【００２４】
本発明のいくつかの実施の形態においては、収縮可能な車輪サスペンション・システムが、ホイールキャリア・リンクに連結された１個のシャフトドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタは、サスペンションが収縮されるにつれて重力に対し上方へかつ被駆動輪の回転軸に近付くように水平方向へ移動する。
【００２５】
本発明いくつかの実施の形態においては、収縮可能な車輪サスペンション・システムが、ホイールキャリア・リンクに連結された１個のスピンドルドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタに関しては、サスペンションが収縮されるにつれて重力に対し上方へかつ被駆動輪の回転軸に近付くように水平方向へ移動する。
【００２６】
本発明いくつかの実施の形態においては、収縮可能な車輪サスペンション・システムが、ホイールキャリア・リンクに連結された１個のスピンドルドリブン・ホイールを備え、このホイールキャリア・リンクは、第１リンクおよび第２リンクを備え、これら第１リンクおよび第２リンクに関しては同一方向へ一緒に回動し、上記第１リンクおよび第２リンクは、上記ホイールキャリア・リンクをフレーム構造に連結し、上記車輪をフレーム構造から隔離している。上記第１リンクおよび第２リンクは、射影されたリンク・フォースラインを有し、上記第１リンクの射影されたフォースラインは上記第２リンクの射影されたフォースラインと交差して１個の瞬時フォースセンタを形成し、この瞬時フォースセンタに関しては、サスペンションが収縮されるにつれて重力に対し上方へかつ被駆動輪の回転軸に近付くように水平方向へ移動する。
【００２７】
本発明のいくつかの実施の形態においては、収縮可能な車輪サスペンション・システムが、ホイールキャリア・リンクに連結された１個のチェーンドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記チェーンドリブンホイールは、ドライビングコグにより駆動されるドリブンチェーンにより駆動されるドリブンコグに連結されている。ドライビングコグおよびドリブンコグのすべては、測定可能なピッチ円直径を有する。上記第１リンクおよび上記第２リンクは射影されたリンク・フォースラインを有し、上記第１リンクの射影されたフォースラインは上記第２リンクの射影されたフォースラインと交差して１個の瞬時フォースセンタを形成し、この瞬時フォースセンタは１本の瞬時フォースセンタ軌道を辿り、この瞬時フォースセンタ軌道は、１個の可変または一定の瞬時フォースセンタ軌道焦点を有し、この瞬時フォースセンタ軌道焦点は、サスペンション動程の一部または全部の間、上記ドライビングコグのピッチ円直径の内部の領域内にある。
【００２８】
本発明のいくつかの実施の形態においては、収縮可能な車輪サスペンション・システムが、ホイールキャリア・リンクに連結された１個のチェーンドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記チェーンドリブン・ホイールは、ドライビングコグにより駆動されるドリブンチェーンにより駆動されるドリブンコグに連結されている。ドライビングコグおよびドリブンコグのすべては、測定可能なピッチ円直径を有する。上記第１リンクおよび上記第２リンクは射影されたリンク・フォースラインを有し、上記第１リンクの射影されたフォースラインは上記第２リンクの射影されたフォースラインと交差して１個の瞬時フォースセンタを形成し、この瞬時フォースセンタは１本の瞬時フォースセンタ軌道を辿り、この瞬時フォースセンタ軌道は、１個の可変または一定の瞬時フォースセンタ軌道焦点を有し、この瞬時フォースセンタ軌道焦点は、サスペンション動程の一部または全部の間、上記ドライビングコグのピッチ円直径の内部の領域内にある。
【００２９】
本発明のいくつかの実施の形態においては、収縮可能な車輪サスペンション・システムが、ホイールキャリア・リンクに連結された１個のチェーンドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記チェーンドリブン・ホイールは、ドライビングコグにより駆動されるドリブンチェーンにより駆動されるドリブンコグに連結されている。上記ドリブンチェーンは、測定可能なピッチ円直径を有するドリブンアイドラ・コグによって変更されるチェーン・フォースラインを有する。上記第１リンクおよび上記第２リンクは射影されたリンク・フォースラインを有し、上記第１リンクの射影されたフォースラインは上記第２リンクの射影されたフォースラインと交差して１個の瞬時フォースセンタを形成し、この瞬時フォースセンタは１本の瞬時フォースセンタ軌道を辿り、この瞬時フォースセンタ軌道は、１個の可変または一定の瞬時フォースセンタ軌道焦点を有し、この瞬時フォースセンタ軌道焦点は、サスペンション動程の一部または全部の間、上記ドリブンアイドラ・コグのピッチ円直径の内部の領域内にある。
【００３０】
本発明のいくつかの実施の形態においては、収縮可能な車輪サスペンション・システムが、ホイールキャリア・リンクに連結された１個のチェーンドリブン・ホイールを備え、このホイールキャリア・リンクは、第１リンクおよび第２リンクを備え、これら第１リンクおよび第２リンクは共に同一方向へ回動し、上記第１リンクおよび第２リンクは、上記ホイールキャリア・リンクをフレーム構造に連結し、上記車輪をフレーム構造から隔離している。上記チェーンドリブン・ホイールは、ドライビングコグにより駆動されるドリブンチェーンにより駆動されるドリブンコグに連結されている。上記ドリブンチェーンは、測定可能なピッチ円直径を有するドリブンアイドラ・コグによって変更されるチェーン・フォースラインを有する。上記第１リンクおよび上記第２リンクは射影されたリンク・フォースラインを有し、上記第１リンクの射影されたフォースラインは上記第２リンクの射影されたフォースラインと交差して１個の瞬時フォースセンタを形成し、この瞬時フォースセンタは１本の瞬時フォースセンタ軌道を辿り、この瞬時フォースセンタ軌道は、１個の可変または一定の瞬時フォースセンタ軌道焦点を有し、この瞬時フォースセンタ軌道焦点は、サスペンション動程の一部または全部の間、上記ドリブンアイドラ・コグのピッチ円直径の内部の領域内にある。
【発明を実施するための最良の形態】
【００３１】
車両が地面上で運転者またはライダーを推進させるためには、周囲環境に抗して加速されなければならない。これらの車両を加速させるためには、一定量のエネルギーを発生させて、１個または複数個の車輪の回転運動に変換しなければならない。懸架された車輪を備えた車両のエネルギー変換形式は様々である。自転車、三輪車およびベダル踏み車のような車両は、変換された人のエネルギーをドライブユニットとして用いている。その他の車両は、電動モータまたは内燃機関をドライブユニットとして用いている。これらの電動モータまたは内燃機関は、化学的に貯蔵されたエネルギーの管理された解放を通じて回転運動を取り出している。
【００３２】
殆ど全ての形式の車両は、何がしかの回転運動変速システムを用いて、ドライブユニットからの回転力を１個または複数個の車輪に伝達している。単純な自転車、自動二輪車または全地形万能車は、１本のチェーンまたはベルトを用いて、ドライブユニットからの出力を車輪に伝えている。これらのチェーンまたはベルト駆動変速機は一般に、ドライブシステムに結合された前側の１個のスプロケットと、車輪に結合された後側の１個のスプロケットとを用いている。
【００３３】
より複雑な自転車、自動二輪車または全地形万能車および自動車は、シャフトドライブ・システムを用いて、ドライブシステムからの出力を被駆動輪に伝達している。これらのシャフトドライブ・システムは、被駆動輪の回転軸に対して通常は直角な回転シャフトを通じて出力を伝達し、ベベルギア、スパイラル・ベベルギア、ハイポイドギア、ウォームギア等のギア伝導系を介して被駆動輪に伝達している。これらの単一のスプロケット・チェーンおよびベルトドリブン車両ならびにシャフトドリブン車両は、ドライブユニットの出力軸の速度およびトルクが一定の不変比率をもって被駆動輪に伝達される直接駆動単速構成を用いることができる。これらの単一のスプロケット・チェーンおよびベルトドリブン車両ならびにシャフトドリブン車両は、運転者により選択される、または自動的に選択される変速比切替機構を通じた可変比率をもって被駆動輪に伝達される一般に見受けられる多速構成を用いることもできる。
【００３４】
より進歩した構造を備えた自転車は、選択可能なフロント・チェーンリング群およびリア・スプロケット群を有するギア切替えシステムを備えている。これらのギア切替えシステムは、自転車のライダーに対し、ペダルを踏んで加速するときに利用するための選択可能な機械的有利性を与える。この機械的に有利な選択は、ライダーがクランクアームを介してフロント・スプロケット群を回転させて、被駆動輪における低速・高トルクまたはその反対の高速・低トルクを得ることができる。
【００３５】
いくつかの実施の形態における本発明は、例えば自転車、自動二輪車、自動車、ＳＵＶ，トラックまたはその他のいかなる種類の車両をも含む車両の動力加速時におけるエネルギー損失をより低く保つことができるサスペンション・システムに関するものである。本発明のサスペンション・システムは、人力で進む車両、長いサスペンション変位量を有するオフロード用車両、道路専用の高能率車両およびその他の車両を含むがそれらに限定されない多種多様の車両に対して有用である。
【００３６】
車両のサスペンション・システムは、車両のシャーシに対して収縮可能なサスペンションの動きによって車両の接地点を地面レベルにおける衝撃から逃すことを可能にすることによって、地上を走行するときに車両に発生した力から車両のシャーシを隔離する。これらの衝撃から車両のシャーシを隔離する収縮可能なサスペンションの動きは、サスペンション変位またはサスペンション動程と呼ばれる。収縮可能なサスペンション動程は、サスペンションが全く収縮されない状態にある始点と、サスペンションが完全に収縮された状態にある変位の終点とを有する。サスペンション動程の変位量は、サスペンションが完全に伸張された状態で車両が水平な地面上にあるときに重力と平行かつ反対方向に測定される。この測定方向は、常に先ず車両が水平な地面上にあり、サスペンションが完全に伸張された状態で測定され、車両が水平な地面上に置かれていない環境下で、またはサスペンションが収縮されたときにサスペンションの動程を測定する場合には、車両のシャーシに対して一定を保つ。いくつかの好ましい実施の形態において、本発明のサスペンション・システムは、調整された沈下度曲線が用いられて、サスペンション動程の持続時間を通じてアンチ・スクアットとして知られている沈下条件の範囲内に近いまたはそれよりも高い沈下量を提供する。本発明のサスペンション・システムが収縮されるのにつれて、ダンパユニットが収縮される。本明細書全体を通じて、ダンパユニットは、スプリングまたはスプリング・ダンパの例を用いて説明されるが、本発明の種々の実施の形態においては如何なる形式のダンパユニットも利用することができ、スプリングまたはスプリング・ダンパはダンパユニットの一つの変形に過ぎないことを理解すべきである。懸架された車輪は、それ以上はサスペンションの伸張が生じ得ない完全に非収縮状態にある動程始点と、それ以上はサスペンションの収縮が生じ得ない完全に収縮状態にある動程終点とを特徴とする収縮可能な車輪動程を有する。サスペンション構成要素を介したスプリング・ダンパ・ユニットと後輪との連結により、懸架された車輪が軸軌道を通って移動するにつれて、ばね力が車輪に発生する。サスペンションが完全に非収縮状態にあるとき、車輪サスペンション動程の始点においては、スプリングは僅かしか収縮されていない状態にあり、サスペンションは容易に収縮される。このスプリングまたはダンパ・ユニットが収縮されるにつれて、スプリング・ダンパ・ユニットから力の出力が発生する。
【００３７】
本明細書および図面においては、下記の符号および用語を用いている。すなわち、
被駆動輪（１）、ホイールキャリアリンク（２）、第１キャリアマニピュレーションリンク（３）、第２キャリアマニピュレーションリンク（４）、チェーンフォースベクトル（５）、ドライビングフォースベクトル（６）、沈下フォースベクトル（７）、第１キャリアマニピュレーションリンク・フォースベクトル（８）、第２キャリアマニピュレーションリンク・フォースベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、安定した沈下度曲線（１７）、沈下度曲線上限（１８）、沈下度曲線下限（１９）、第１リンク固定ピボット（２０）、第２リンク固定ピボット（２１）、第１リンク遊動ピボット（２２）、第２リンク遊動ピボット（２３）、瞬時フォースセンタ（２４）、被駆動輪回転軸（２５）、チェーンフォースベクトルとドライビングフォースベクトルとの交点（２６）、ドライビングコグ（２７）、ドリブンコグ（２８）、ドライビングコグ回転軸（２９）、前輪タイヤの接地面の中心（３０）、被駆動輪タイヤの接地面の中心（３１）、バネ上重量の車両中心（３２）、２００％沈下ポイント（３３）、２００％計測値（３４）、前輪（３５）、沈下度基準点（３９）、沈下度基準ベクトル（４０）、沈下度変化％（４１）、第１沈下度曲線勾配（４２）、第２沈下度曲線勾配（４３）、第３沈下度曲線勾配（４４）、瞬時フォースセンタ軌道（４５）、瞬時フォースセンタ軌道焦点（４６）、ピッチ径（４７）、ドリブンアイドラ・コグ（４８）、ドリブンアイドラ回転軸（４９）、スプリング・ダンパ・ユニット（５０）、第１キャリアマニピュレーショントラック（５１）、第２キャリアマニピュレーショントラック（５２）、第１キャリアマニピュレーションスライダ（５３）、第２キャリアマニピュレーションスライダ（５４）、第１キャリアマニピュレーションスライダ・フォースベクトル（５５）、第２キャリアマニピュレーションスライダ・フォースベクトル（５６）、非収縮第１キャリアマニピュレーションスライダ・フォースベクトル（５７）、非収縮第２キャリアマニピュレーションスライダ・フォースベクトル（５８）、収縮第１キャリアマニピュレーションスライダ・フォースベクトル（５９）、収縮第２キャリアマニピュレーションスライダ・フォースベクトル（６０）、非収縮第１キャリアマニピュレーションリンク・フォースベクトル（６１）、非収縮第２キャリアマニピュレーションリンク・フォースベクトル（６２）、収縮第１キャリアマニピュレーションリンク・フォースベクトル（６３）、収縮第２キャリアマニピュレーションリンク・フォースベクトル（６４）、非収縮瞬時フォースセンタの位置（６５）、収縮時瞬時フォースセンタの位置（６６）、瞬時フォースセンタの上方移動距離（６７）、瞬時フォースセンタの後方移動距離（６８）、第１キャリアマニピュレーションスライダ・ピボット（６９）、第２キャリアマニピュレーションスライダ・ピボット（７０）。
【００３８】
図１ａは、チェーンで駆動される車両に関する本発明の実施の形態を示し、沈下ポイント（squat point）を測定するのに有用な図式解法と、実在する測定された所望の沈下ポイントからサスペンションの幾何学的配列の運動学的レイアウトを得る図式解法とを提供している。図１ａには下記のものが示されている。すなわち、被駆動輪（１）、ホイールキャリアリンク（２）、第１キャリアマニピュレーションリンク（３）、第２キャリアマニピュレーションリンク（４）、チェーンフォースベクトル（５）、ドライビングフォースベクトル（６）、沈下フォースベクトル（７）、第１キャリアマニピュレーションリンク・フォースベクトル（８）、第２キャリアマニピュレーションリンク・フォースベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、前輪タイヤの接地面の中心（３０）、被駆動輪タイヤの接地面の中心（３１）、重力の方向（３６）。
【００３９】
図１ａに例示されている被駆動輪１のサスペンション・システムは、その被駆動輪サスペンションの動程距離１５が全く収縮されてない、車両のシャーシ１６に対する沈下フォースベクトル７の関係が示されており、その沈下フォースベクトル７は車両のシャーシ１６に関連して示されている。下部沈下測定基準線１２と沈下基準点１０との間の垂直距離として測定された、沈下フォースベクトル７の測定された沈下距離１３も図１ａに示されている。沈下レイアウトライン１１は地面に対する前輪の接地面の中心３０から、重力の方向３６と平行かつ反対方向に引かれ、別の１点で終端している。このサスペンション・システムがその被駆動輪サスペンション動程距離１５を通して収縮されるので、被駆動輪のサスペンション動程距離１５に対する測定された沈下距離１３の変化は、沈下曲線１７を作図するのに用いられる。
【００４０】
図１ｂは、図１ａに示されたチェーンで駆動される車両のサスペンション・システムが完全に収縮された状態を示す側面図である。そこには、例えば沈下ポイントを測定するための図式解法に有用な種々のベクトルを示すいくつかの実施の形態が例示されている。また、実在する測定された所望の沈下ポイントからサスペンションの幾何学的配列の運動学的レイアウトを得る図式解法も例示されている。さらに図１ｂには、図１ａに示されているものに加えて、下記のものが示されている。すなわち、第１リンク固定ピボット（２０）、第２リンク固定ピボット（２１）、第１リンク遊動ピボット（２２）、第２リンク遊動ピボット（２３）、瞬時フォースセンタ（２４）、被駆動輪回転軸（２５）、チェーンフォースベクトルとドライビングフォースベクトルとの交点（２６）、ドライビングコグ（２７）、ドリブンコグ（２８）、ドライビングコグ回転軸（２９）。
【００４１】
図１ｂは、被駆動輪１のサスペンション・システムが、その被駆動輪サスペンション動程距離１５を通じて完全に収縮され、その沈下フォースベクトル７の車両のシャーシ１６に対する位置が移動していることを例示している。下部沈下測定基準線１２と沈下基準点１０との間の垂直距離として測定された、沈下フォースベクトル７の測定された沈下距離１３は、図１ａに示された測定された沈下距離１３に対して短くなっている。この好ましい実施の形態における被駆動輪サスペンション動程距離１５に対する測定された沈下距離１３の変化は、沈下曲線１７の作図に用いられる。図１ｂは、チェーンで駆動される車両の幾何学的配列から沈下曲線１７を得たり、沈下曲線１７からチェーンで駆動される車両の幾何学的配列を得たりするのに用いられる図式解法を示している。図１ｂに示された車両において、被駆動輪１は、第１キャリアマニピュレーションリンク３の一端に枢支されたホイールキャリアリンク２に取り付けられている。第１キャリアマニピュレーションリンク３は、第１リンク固定ピボット２０において車両のシャーシ１６に枢支されている。第２キャリアマニピュレーションリンク４もホイールキャリアリンク２に取り付けられている。この第２キャリアマニピュレーションリンク４は、第２リンク固定ピボット２１において車両のシャーシ１６に枢支されている。第１キャリアマニピュレーションリンク・フォースベクトル８は、ホイールキャリアリンク２の上部ピボットおよび第１リンク固定ピボット２０に一致するように描かれている。第１キャリアマニピュレーションリンク・フォースベクトル８は、ホイールキャリアリンク２の下部ピボット２３および第２リンク固定ピボット２１に一致するように描かれた第２キャリア・マニピュレーションリンク・フォースベクトル９と交わるように描かれている。第１キャリアマニピュレーションリンク・フォースベクトル８と、第２キャリア・マニピュレーションリンク・フォースベクトル９との交点は瞬時フォースセンタ２４と呼ばれている。ドライビングフォースベクトル６は、被駆動輪回転軸２５を始点とし、瞬時フォースセンタ２４を通過するように描かれている。チェーンフォースベクトル５は、ドライビングコグ２７とドリブンコグ２８の頂点間に引いた接線であり、チェーンフォースベクトル５とドライビングフォースベクトル６の交点２６においてドライビングフォースベクトル６と交わる。沈下フォースベクトル７は、被駆動輪タイヤの接地面の中心３１を始点とし、沈下レイアウトライン１１上で終端する以前に、チェーンフォースベクトル５とドライビングフォースベクトル６との交点２６を通過するように描かれている。沈下フォースベクトル７と沈下レイアウトライン１１との交点は、沈下基準点１０と呼ばれている。沈下レイアウトライン１１は重力と平行である。下部沈下測定基準線１２は、被駆動輪タイヤの接地面の中心３１を始点とし、沈下レイアウトライン１１に直角に延び、沈下レイアウトライン１１上で終端するように描かれている。下部沈下測定基準線１２から垂直に沈下基準点１０まで測った距離は測定された沈下距離１３と呼ばれる。この測定された沈下距離１３は、被駆動輪サスペンション動程距離１５が収縮されるにしたがって変化し、図９および図１０に示されているような沈下曲線グラフにおいて沈下曲線１７を描くのに用いられる。
【００４２】
図１ｃは、被駆動輪のサスペンション・システムが全く収縮されていない状態での図１ａおよび図１ｂに示されたチェーンで駆動される車両の部分側面図を示す。
【００４３】
図１ｄは、被駆動輪のサスペンション・システムが完全に収縮された状態での図１ａ、図１ｂおよび図１ｃに示されたチェーンで駆動される車両の部分側面図を示す。図１ｃおよび図１ｄは、本発明の実施の形態、例えば沈下ポイント測定に用いられる図式解法と、実在する測定された所望の沈下ポイントからサスペンションの幾何学的配列の運動学的レイアウトを得る図式解法とのために有用なポイントおよびベクトルを例示している。
【００４４】
図２ａは、シャフトで駆動される車両に関する本発明の実施の形態を示し、沈下ポイントを測定するのに有用な図式解法と、実在する測定された所望の沈下ポイントからサスペンションの幾何学的配列の運動学的レイアウトを得る図式解法を提供している。図２ａには下記のものが示されている。すなわち、被駆動輪（１）、ホイールキャリアリンク（２）、第１キャリアマニピュレーションリンク（３）、第２キャリアマニピュレーションリンク（４）、沈下フォースベクトル（７）、第１キャリアマニピュレーションリンク・フォースベクトル（８）、第２キャリアマニピュレーションリンク・フォースベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、被駆動輪タイヤの接地面の中心（３１）、重力の方向（３６）。
【００４５】
図２ａに例示されている被駆動輪１のサスペンション・システムは、その被駆動輪サスペンション動程距離１５において全く収縮されてなく、その沈下フォースベクトル７の車両のシャーシ１６に対する関係が示されている。下部沈下測定基準線１２と沈下基準点１０との間の垂直距離として測定された、沈下フォースベクトル７の測定された沈下距離１３も図２ａに示されている。沈下レイアウトライン１１は地面に対する前輪の接地面の中心３０から、重力の方向３６と平行かつ反対方向に引かれ、別の１点で終端している。このサスペンション・システムがその被駆動輪サスペンション動程距離１５を通じて収縮されるので、被駆動輪サスペンション動程距離１５に対する測定された沈下距離１３の変化は、沈下曲線１７を作図するのに用いられる。
【００４６】
図２ｂは、図２ａに示されたシャフトで駆動される車両のサスペンション・システムが完全に収縮された状態を示す側面図である。いくつかの実施の形態がさらに例示され、例えば沈下ポイント測定のための図式解法に有用な種々のベクトルが例示されている。また、実在する測定された所望の沈下ポイントからサスペンションの幾何学的配列の運動学的レイアウトを得る図式解法も例示されている。さらに図２ｂには、図２ａに示されているものに加えて、下記のものが示されている。すなわち、第１リンク固定ピボット（２０）、第２リンク固定ピボット（２１）、第１リンク遊動ピボット（２２）、第２リンク遊動ピボット（２３）、瞬時フォースセンタ（２４）、被駆動輪回転軸２５。
【００４７】
図２ｂは、被駆動輪１のサスペンション・システムが、その被駆動輪サスペンション動程距離１５を通じて完全に収縮され、その沈下フォースベクトル７の車両のシャーシ１６に対する位置が移動している。下部沈下測定基準線１２と沈下基準点１０との間の垂直距離として測定された、沈下フォースベクトル７の測定された沈下距離１３は、図２ａに示された測定された沈下距離１３よりも短くなっている。この被駆動輪サスペンション動程距離１５に対する測定された沈下距離１３の変化は、沈下曲線１７の作図に用いられる。図２ｂは、シャフトで駆動される車両の幾何学的配列から沈下曲線１７を得たり、沈下曲線１７からシャフトで駆動される車両の幾何学的配列を得たりするのに用いられる図式解法を示している。図２ｂに示された車両において、被駆動輪１は、第１キャリアマニピュレーションリンク３の一端に枢支されたホイールキャリアリンク２に取り付けられている。第１キャリアマニピュレーションリンク３は、第１リンク固定ピボット２０において車両のシャーシ１６に枢支されている。第２キャリアマニピュレーションリンク４もホイールキャリアリンク２に取り付けられている。この第２キャリアマニピュレーションリンク４は、第２リンク固定ピボット２１において車両のシャーシ１６に枢支されている。第１キャリア・マニピュレーションリンク・フォースベクトル８は、ホイールキャリアリンク２の上部ピボット２２および第１リンク固定ピボット２０に一致して描かれている。第１キャリアマニピュレーションリンク・フォースベクトル８は、ホイールキャリアリンク２の下部ピボット２３および第２アリンク固定ピボット２１に一致して描かれた第２キャリアマニピュレーションリンク・フォースベクトル９と交わるように描かれている。第１キャリアマニピュレーションリンク・フォースベクトル８と、第２キャリアマニピュレーションリンク・フォースベクトル９との交点は瞬時フォースセンタ２４と呼ばれている。沈下フォースベクトル７は、被駆動輪タイヤの接地面の中心３１を始点とし、沈下レイアウトライン１１上で終端する以前に瞬時フォースセンタ２４を通過するように描かれている。沈下フォースベクトル７と沈下レイアウトラインとの交点は、沈下基準点１０と呼ばれている。沈下レイアウトライン１１は重力と平行である。下部沈下測定基準線１２は、被駆動輪タイヤの接地面の中心３１を始点とし、沈下レイアウトライン１１に直角に延び、沈下レイアウトライン１１上で終端している。下部沈下測定基準線１２から直角に沈下基準点１０まで測った距離は測定された沈下距離１３と呼ばれている。この測定された沈下距離１３は、被駆動輪サスペンション動程距離１５が収縮されるにしたがって変化し、図７ａ，図７ｂ，図７ｃおよび図８に示されているような沈下曲線グラフにおいて沈下曲線１７を描くのに用いられる。
【００４８】
図２ｃは、被駆動輪のサスペンション・システムが全く収縮されていない状態での図２ａおよび図２ｂに示されたシャフトで駆動される車両の部分側面図を示す。
【００４９】
図２ｄは、被駆動輪のサスペンション・システムが完全に収縮された状態での図２ａ、図２ｂおよび図２ｃに示されたシャフトで駆動される車両の部分側面図を示す。図２ｃおよび図２ｄは、本発明の実施の形態、例えば沈下ポイントを測定するのに用いられる図式解法と、実在する測定された所望の沈下ポイントからサスペンションの幾何学的配列の運動学的レイアウトを得る図式解法とのために有用なポイントおよびベクトルを例示している。
【００５０】
図３ａは、スピンドルで駆動される車両に関する本発明の実施の形態を示し、沈下ポイントを測定するのに有用な図式解法と、実在する測定された所望の沈下ポイントからサスペンションの幾何学的配列の運動学的レイアウトを得る図式解法を提供している。図３ａには下記のものが示されている。すなわち、被駆動輪（１）、ホイールキャリアリンク（２）、第１キャリアマニピュレーションリンク（３）、第２キャリアマニピュレーションリンク（４）、ドライビングフォースベクトル（６）、沈下フォースベクトル（７）、第１キャリアマニピュレーションリンク・フォースベクトル（８）、第２キャリアマニピュレーションリンク・フォースベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、被駆動輪回転軸（２５）、前輪タイヤの接地面の中心（３０）、軸被駆動輪タイヤの接地面の中心（３１）、重力の方向（３６）。
【００５１】
図３ａに例示されている被駆動輪１のサスペンション・システムは、その被駆動輪サスペンション動程距離１５において全く収縮されてなく、その沈下フォースベクトル７の車両のシャーシ１６に対する関係が示されている。下部沈下測定基準線１２と沈下基準点１０との間の垂直距離として測定された、沈下フォースベクトル７の測定された沈下距離１３も図３ａに示されている。沈下レイアウトライン１１は地面に対する前輪の接地面の中心３０から、重力の方向３６と平行かつ反対方向に引かれ、別の１点で終端している。このサスペンション・システムがその被駆動輪サスペンション動程距離１５を通じて収縮されるので、被駆動輪サスペンション動程距離１５に対する測定された沈下距離１３の変化は、沈下曲線１７を作図するのに用いられる。
【００５２】
図３ｂは、図３ａに示されたスピンドルで駆動される車両のサスペンション・システムが完全に収縮された状態を示す側面図である。実施の形態がさらに例示され、例えば沈下ポイント測定のための図式解法に有用な種々のベクトルが例示されている。また、実在する測定された所望の沈下ポイントからサスペンションの幾何学的配列の運動学的レイアウトを得る図式解法も例示されている。さらに図３ｂには、図３ａに示されているものに加えて、下記のものが示されている。すなわち、第１リンク固定ピボット（２０）、第２リンク固定ピボット（２１）、第１リンク遊動ピボット（２２）、第２リンク遊動ピボット（２３）、瞬時フォースセンタ（２４）。
【００５３】
図３ｂは、被駆動輪１のサスペンション・システムが、その被駆動輪サスペンション動程距離１５を通じて完全に収縮され、その沈下フォースベクトル７の車両のシャーシ１６に対する位置が移動している。下部沈下測定基準線１２と沈下基準点１０との間の垂直距離として測定された、沈下フォースベクトル７の測定された沈下距離１３は、図３ａに示された測定された沈下距離１３よりも短くなっている。この被駆動輪サスペンション動程距離１５に対する測定された沈下距離１３の変化は、沈下曲線１７の作図に用いられる。図３ｂは、スピンドルで駆動される車両の幾何学的配列から沈下曲線１７を得たり、沈下曲線１７からスピンドルで駆動される車両の幾何学的配列を得たりするのに用いられる図式解法を示している。図３ｂに示された車両において、被駆動輪１は、第１キャリアマニピュレーションリンク３の一端に枢支されたホイールキャリアリンク２に取り付けられている。第１キャリアマニピュレーションリンク３は、第１リンク固定ピボット２０において車両のシャーシ１６に枢支されている。第２キャリアマニピュレーションリンク４もホイールキャリアリンク２に取り付けられている。この第２キャリアマニピュレーションリンク４は、第２リンク固定ピボット２１において車両のシャーシ１６に枢支されている。第１キャリアマニピュレーションリンク・フォースベクトル８は、ホイールキャリアリンク２の上部ピボット２２および第１リンク固定ピボット２０に一致して描かれている。第１キャリアマニピュレーションリンク・フォースベクトル８は、ホイールキャリアリンク２の下部ピボット２３および第２アリンク固定ピボット２１に一致して描かれた第２キャリアマニピュレーションリンク・フォースベクトル９と交わるように描かれている。第１キャリアマニピュレーション・リンクフォースベクトル８と、第２キャリアマニピュレーション・リンクフォースベクトル９との交点は瞬時フォースセンタ２４と呼ばれている。ドライビングフォースベクトル６は、被駆動輪回転軸２５から瞬時フォースセンタ２４を通過するように描かれている。沈下フォースベクトル７は、被駆動輪回転軸２５における始点から、沈下レイアウトライン１１上で終端する以前に瞬時フォースセンタ２４を通過するように描かれている。図３ａ〜図３ｄに示されたスピンドルで駆動される車両においては、沈下フォースベクトル６と沈下フォースベクトル７とが互いに同一線上にある。沈下フォースベクトル７と沈下レイアウトライン１１との交点は、沈下基準点１０と呼ばれている。沈下レイアウトライン１１は重力と平行である。下部沈下測定基準線１２は、被駆動輪タイヤの接地面の中心３１を始点とし、沈下レイアウトライン１１に直角に延び、沈下レイアウトライン１１上で終端している。下部沈下測定基準線１２から直角に沈下基準点１０まで測った距離は測定された沈下距離１３と呼ばれている。この測定された沈下距離１３は、被駆動輪サスペンション動程距離１５が収縮されるにしたがって変化し、図７ａ，図７ｂ，図７ｃおよび図８に示されているような沈下曲線グラフにおいて沈下曲線１７を描くのに用いられる。
【００５４】
図３ｃは、被駆動輪のサスペンション・システムが全く収縮されていない状態での図３ａおよび図３ｂに示されたスピンドルで駆動される車両の部分側面図を示す。
【００５５】
図３ｄは、被駆動輪のサスペンション・システムが完全に収縮された状態での図３ａ、図３ｂおよび図３ｃに示されたスピンドルで駆動される車両の部分側面図を示す。図３ｃおよび図３ｄは、本発明の実施の形態、例えば沈下ポイントを測定するのに用いられる図式解法と、実在する測定された所望の沈下ポイントからサスペンションの幾何学的配列の運動学的レイアウトを得る図式解法とのために有用なポイントおよびベクトルを例示している。
【００５６】
図４ａはチェーンで駆動される車両に関する実施の形態を示し、沈下ポイントを測定するのに有用な図式解法と、実在する測定された所望の沈下ポイントからサスペンションの幾何学的配列の運動学的レイアウトを得る図式解法を提供している。図４ａには下記のものが示されている。すなわち、被駆動輪（１）、ホイールキャリアリンク（２）、第１キャリアマニピュレーションリンク（３）、第２キャリアマニピュレーションリンク（４）、チェーンフォースベクトル（５）、ドライビングフォースベクトル（６）、沈下フォースベクトル（７）、第１キャリアマニピュレーションリンク・フォースベクトル（８）、第２キャリアマニピュレーションリンク・フォースベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、前輪タイヤの接地面の中心（３０）、被駆動輪タイヤの接地面の中心（３１）、重力の方向（３６）。
【００５７】
図４ａに例示されている被駆動輪１のサスペンション・システムは、その被駆動輪サスペンションの動程距離１５が全く収縮されてない、車両のシャーシ１６に対する沈下フォースベクトル７の関係が示されており、その沈下フォースベクトル７は車両のシャーシ１６に関連して示されている。下部沈下測定基準線１２と沈下基準点１０との間の垂直距離として測定された、沈下フォースベクトル７の測定された沈下距離１３も図４ａに示されている。沈下レイアウトライン１１は地面に対する前輪の接地面の中心３０から、重力の方向３６と平行かつ反対方向に引かれ、別の１点で終端している。このサスペンション・システムがその被駆動輪サスペンション動程距離１５を通して収縮されるので、被駆動輪のサスペンション動程距離１５に対する測定された沈下距離１３の変化は、沈下曲線１７を作図するのに用いられる。
【００５８】
図４ｂは、図４ａに示されたチェーンで駆動される車両のサスペンション・システムが完全に収縮された状態を示す側面図である。実施の形態には、例えば沈下ポイントを測定するための図式解法に有用な種々のベクトルが例示されている。また、実在する測定された所望の沈下ポイントからサスペンションの幾何学的配列の運動学的レイアウトを得る図式解法も例示されている。さらに図４ｂには、図４ａに示されているものに加えて、下記のものが示されている。すなわち、第１リンク固定ピボット（２０）、第２リンク固定ピボット（２１）、第１リンク遊動ピボット（２２）、第２リンク遊動ピボット（２３）、瞬時フォースセンタ（２４）、被駆動輪回転軸（２５）、チェーンフォースベクトルとドライビングフォースベクトルとの交点（２６）、ドライビングコグ（２７）、ドリブンコグ（２８）、ドライビングコグ回転軸（２９）。
【００５９】
図４ｂは、被駆動輪１のサスペンション・システムが、その被駆動輪サスペンション動程距離１５を通して完全に収縮され、その沈下フォースベクトル７の車両のシャーシ１６に対する位置が移動していることを例示している。下部沈下測定基準線１２と沈下基準点１０との間の垂直距離として測定された、沈下フォースベクトル７の測定された沈下距離１３は、図４ａに示された測定された沈下距離１３に対して短くなっている。この好ましい実施の形態における被駆動輪サスペンション動程距離１５に対する測定された沈下距離１３の変化は、沈下曲線１７の作図に用いられる。図４ｂは、チェーンで駆動される車両の幾何学的配列から沈下曲線１７を得たり、沈下曲線１７からチェーンで駆動される車両の幾何学的配列を得たりするのに用いられる図式解法を示している。図４ｂに示された車両において、被駆動輪１は、第１キャリアマニピュレーションリンク３の一端に枢支されたホイールキャリア・リンク２に取り付けられている。第１キャリアマニピュレーションリンク３は、第１リンク固定ピボット２０において車両のシャーシ１６に枢支されている。第２キャリアマニピュレーションリンク４もホイールキャリア・リンク２に取り付けられている。この第２キャリアマニピュレーションリンク４は、第２リンク固定ピボット２１において車両のシャーシ１６に枢支されている。第１キャリアマニピュレーションリンク・フォースベクトル８は、ホイールキャリアリンク２の上部ピボットおよび第１リンク固定ピボット２０に一致するように描かれている。第１キャリアマニピュレーションリンクフ・ォースベクトル８は、ホイールキャリアリンク２の下部ピボット２３および第２リンク固定ピボット２１に一致するように描かれた第２キャリアマニピュレーションリンク・フォースベクトル９と交わるように描かれている。第１キャリア・マニピュレーションリンク・フォースベクトル８と、第２キャリアマニピュレーションリンク・フォースベクトル９との交点は瞬時フォースセンタ２４と呼ばれている。ドライビングフォースベクトル６は、被駆動輪回転軸２５を始点とし、瞬時フォースセンタ２４を通過するように描かれている。チェーンフォースベクトル５は、ドライビングコグ２７とドリブンコグ２８の頂点間に引いた接線であり、チェーンフォースベクトル５とドライビングフォースベクトル６の交点２６においてドライビングフォースベクトル６と交わる。沈下フォースベクトル７は、被駆動輪タイヤの接地面の中心３１を始点とし、沈下レイアウトライン１１上で終端する以前に、チェーンフォースベクトル５とドライビングフォースベクトル６との交点２６を通過するように描かれている。沈下フォースベクトル７と沈下レイアウトライン１１との交点は、沈下基準点１０と呼ばれている。沈下レイアウトライン１１は重力と平行である。下部沈下測定基準線１２は、被駆動輪タイヤの接地面の中心３１を始点とし、沈下レイアウトライン１１に直角に延び、沈下レイアウトライン１１上で終端するように描かれている。下部沈下測定基準線１２から垂直に沈下基準点１０まで測った距離は測定された沈下距離１３と呼ばれている。この測定された沈下距離１３は、被駆動輪サスペンション動程距離１５が収縮されるにしたがって変化し、図１１および図１２に示されているような沈下曲線グラフにおいて沈下曲線１７を描くのに用いられる。
【００６０】
図５ａは、シャフトで駆動される車両に関する本発明の実施の形態を示し、沈下ポイントを測定するのに有用な図式解法と、実在する測定された所望の沈下ポイントからサスペンションの幾何学的配列の運動学的レイアウトを得る図式解法を提供している。図５ａには下記のものが示されている。すなわち、被駆動輪（１）、ホイールキャリアリンク（２）、第１キャリアマニピュレーションリンク（３）、第２キャリアマニピュレーションリンク（４）、沈下フォースベクトル（７）、第１キャリアマニピュレーションリンク・フォースベクトル（８）、第２キャリアマニピュレーションリンク・フォースベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、瞬時フォースセンタ（２４）、前輪タイヤの接地面の中心（３０）、被駆動輪タイヤの接地面の中心（３１）、重力の方向（３６）。
【００６１】
図５ａに例示されている被駆動輪１のサスペンション・システムは、その被駆動輪サスペンション動程距離１５において全く収縮されてなく、その沈下フォースベクトル７の車両のシャーシ１６に対する関係が示されている。下部沈下測定基準線１２と沈下基準点１０との間の垂直距離として測定された、沈下フォースベクトル７の測定された沈下距離１３も図５ａに示されている。沈下レイアウトライン１１は地面に対する前輪の接地面の中心３０から、重力の方向３６と平行かつ反対方向に引かれ、別の１点で終端している。このサスペンション・システムがその被駆動輪サスペンション動程距離１５を通じて収縮されるので、被駆動輪サスペンション動程距離１５に対する測定された沈下距離１３の変化は、沈下曲線１７を作図するのに用いられる。
【００６２】
図５ｂは、図５ａに示されたシャフトで駆動される車両のサスペンション・システムが完全に収縮された状態を示す側面図である。実施の形態がさらに例示され、例えば沈下ポイント測定のための図式解法に有用な種々のベクトルが例示されている。また、実在する測定された所望の沈下ポイントからサスペンションの幾何学的配列の運動学的レイアウトを得る図式解法も例示されている。さらに図５ｂには、図５ａに示されているものに加えて、下記のものが示されている。すなわち、第１リンク固定ピボット（２０）、第２リンク固定ピボット（２１）、第１リンク遊動ピボット（２２）、第２リンク遊動ピボット（２３）、瞬時フォースセンタ（２４）、被駆動輪回転軸２５。
【００６３】
図５ｂは、被駆動輪１のサスペンション・システムが、その被駆動輪サスペンション動程距離１５を通じて完全に収縮され、その沈下フォースベクトル７の車両のシャーシ１６に対する位置が移動している。下部沈下測定基準線１２と沈下基準点１０との間の垂直距離として測定された、沈下フォースベクトル７の測定された沈下距離１３は、図５ａに示された測定された沈下距離１３よりも短くなっている。この被駆動輪サスペンション動程距離１５に対する測定された沈下距離１３の変化は、沈下曲線１７の作図に用いられる。図５ｂは、シャフトで駆動される車両の幾何学的配列から沈下曲線１７を得たり、沈下曲線１７からシャフトで駆動される車両の幾何学的配列を得たりするのに用いられる図式解法を示している。図５ｂに示された車両において、被駆動輪１は、第１キャリアマニピュレーションリンク３の一端に枢支されたホイールキャリアリンク２に取り付けられている。第１キャリアマニピュレーションリンク３は、第１リンク固定ピボット２０において車両のシャーシ１６に枢支されている。第２キャリアマニピュレーションリンク４もホイールキャリア・リンク２に取り付けられている。この第２キャリアマニピュレーションリンク４は、第２リンク固定ピボット２１において車両のシャーシ１６に枢支されている。第１キャリア・マニピュレーションリンク・フォースベクトル８は、ホイールキャリアリンク２の上部ピボット２２および第１リンク固定ピボット２０に一致して描かれている。第１キャリアマニピュレーションリンク・フォースベクトル８は、ホイールキャリアリンク２の下部ピボット２３および第２アリンク固定ピボット２１に一致して描かれた第２キャリアマニピュレーションリンクフォース・ベクトル９と交わるように描かれている。第１キャリアマニピュレーションリンク・フォースベクトル８と、第２キャリアマニピュレーションリンクフォース・ベクトル９との交点は瞬時フォースセンタ２４と呼ばれている。沈下フォースベクトル７は、被駆動輪タイヤの接地面の中心３１を始点とし、沈下レイアウトライン１１上で終端する以前に瞬時フォースセンタ２４を通過するように描かれている。沈下フォースベクトル７と沈下レイアウトラインとの交点は、沈下基準点１０と呼ばれている。沈下レイアウトライン１１は重力と平行である。下部沈下測定基準線１２は、被駆動輪タイヤの接地面の中心３１を始点とし、沈下レイアウトライン１１に直角に延び、沈下レイアウトライン１１上で終端している。下部沈下測定基準線１２から直角に沈下基準点１０まで測った距離は測定された沈下距離１３と呼ばれている。この測定された沈下距離１３は、被駆動輪サスペンション動程距離１５が収縮されるにしたがって変化し、図７ａ，図７ｂ，図７ｃおよび図８に示されているような沈下曲線グラフにおいて沈下曲線１７を描くのに用いられる。
【００６４】
図６ａは、スピンドルで駆動される車両に関する本発明の実施の形態を示し、沈下ポイントを測定するのに有用な図式解法と、実在する測定された所望の沈下ポイントからサスペンションの幾何学的配列の運動学的レイアウトを得る図式解法を提供している。図６ａには下記のものが示されている。すなわち、被駆動輪（１）、ホイールキャリアリンク（２）、第１キャリアマニピュレーションリンク（３）、第２キャリアマニピュレーションリンク（４）、ドライビングフォースベクトル（６）、沈下フォースベクトル（７）、第１キャリアマニピュレーションリンク・フォースベクトル（８）、第２キャリアマニピュレーションリンクフォース・ベクトル（９）、沈下基準点（１０）、沈下レイアウトライン（１１）、下部沈下測定基準線（１２）、測定された沈下距離（１３）、被駆動輪軸軌道（１４）、被駆動輪サスペンション動程距離（１５）、車両のシャーシ（１６）、瞬時フォースセンタ（２４）、前輪タイヤの接地面の中心（３０）、軸被駆動輪タイヤの接地面の中心（３１）、重力の方向（３６）。
【００６５】
図６ａに例示されている被駆動輪１のサスペンション・システムは、その被駆動輪サスペンション動程距離１５において全く収縮されてなく、その沈下フォースベクトル７の車両のシャーシ１６に対する関係が示されている。下部沈下測定基準線１２と沈下基準点１０との間の垂直距離として測定された、沈下フォースベクトル７の測定された沈下距離１３も図６ａに示されている。沈下レイアウトライン１１は、地面に対する前輪の接地面の中心３０から、重力の方向３６と平行かつ反対方向に引かれ、別の１点で終端している。このサスペンション・システムがその被駆動輪サスペンション動程距離１５を通じて収縮されるので、被駆動輪サスペンション動程距離１５に対する測定された沈下距離１３の変化は、沈下曲線１７を作図するのに用いられる。
【００６６】
図６ｂは、図６ａに示されたスピンドルで駆動される車両のサスペンション・システムが完全に収縮された状態を示す側面図である。実施の形態がさらに例示され、例えば沈下ポイント測定のための図式解法に有用な種々のベクトルが例示されている。また、実在する測定された所望の沈下ポイントからサスペンションの幾何学的配列の運動学的レイアウトを得る図式解法も例示されている。さらに図６ｂには、図６ａに示されているものに加えて、下記のものが示されている。すなわち、第１リンク固定ピボット（２０）、第２リンク固定ピボット（２１）、第１リンク遊動ピボット（２２）、第２リンク遊動ピボット（２３）、瞬時フォースセンタ（２４）、被駆動輪回転軸（２５）。
【００６７】
図６ｂは、被駆動輪１のサスペンション・システムが、その被駆動輪サスペンション動程距離１５を通じて完全に収縮され、その沈下フォースベクトル７の車両のシャーシ１６に対する位置が移動している。下部沈下測定基準線１２と沈下基準点１０との間の垂直距離として測定された、沈下フォースベクトル７の測定された沈下距離１３は、図６ａに示された測定された沈下距離１３よりも短くなっている。この被駆動輪サスペンション動程距離１５に対する測定された沈下距離１３の変化は、沈下曲線１７の作図に用いられる。図６ｂは、スピンドルで駆動される車両の幾何学的配列から沈下曲線１７を得たり、沈下曲線１７からスピンドルで駆動される車両の幾何学的配列を得たりするのに用いられる図式解法を示している。図６ｂに示された車両において、被駆動輪１は、第１キャリアマニピュレーションリンク３の一端に枢支されたホイールキャリアリンク２に取り付けられている。第１キャリアマニピュレーションリンク３は、第１リンク固定ピボット２０において車両のシャーシ１６に枢支されている。第２キャリアマニピュレーションリンク４もホイールキャリア・リンク２に取り付けられている。この第２キャリアマニピュレーションリンク４は、第２リンク固定ピボット２１において車両のシャーシ１６に枢支されている。第１キャリアマニピュレーションリンク・フォースベクトル８は、ホイールキャリアリンク２の上部ピボット２２および第１リンク固定ピボット２０に一致して描かれている。第１キャリアマニピュレーションリンク・フォースベクトル８は、ホイールキャリアリンク２の下部ピボットおよび第２アリンク固定ピボット２１に一致して描かれた第２キャリアマニピュレーションリンク・フォースベクトル９と交わるように描かれている。第１キャリアマニピュレーションリンク・フォースベクトル８と、第２キャリアマニピュレーションリンク・フォースベクトル９との交点は瞬時フォースセンタ２４と呼ばれている。ドライビングフォースベクトル６は、被駆動輪回転軸２５から瞬時フォースセンタ２４を通過するように描かれている。沈下フォースベクトル７は、被駆動輪回転軸２５における始点から、沈下レイアウトライン１１上で終端する以前に瞬時フォースセンタ２４を通過するように描かれている。図３ａ〜図３ｄに示されたスピンドルで駆動される車両においては、ドライビングフォースベクトル６と沈下フォースベクトル７とが互いに一致している。沈下フォースベクトル７と沈下レイアウトライン１１との交点が沈下基準点１０と呼ばれている。沈下レイアウトライン１１は重力と平行に描かれている。下部沈下測定基準線１２は、被駆動輪タイヤの接地面の中心３１を始点とし、沈下レイアウトライン１１に直角に延び、沈下レイアウトライン１１上で終端している。下部沈下測定基準線１２から直角に沈下基準点１０まで測った距離は測定された沈下距離１３と呼ばれている。この測定された沈下距離１３は、被駆動輪サスペンション動程距離１５が収縮されるにしたがって変化し、図７ａ，図７ｂ，図７ｃおよび図８に示されているような沈下曲線グラフにおいて沈下曲線１７を描くのに用いられる。
【００６８】
図７ａは、ここに開示された沈下度曲線グラフ上に描かれた本発明の実施の形態によるサスペンション・システムに関する安定した沈下度曲線１７を示す。全サスペンション動程のパーセント（すなわち、パーセント動程）はＸ軸上に示され、全沈下度のパーセント（すなわち、パーセント沈下度）はＹ軸上に示されている。図７ａに示された安定した沈下度曲線１７は、ほぼ１００パーセント・アンチ沈下の平均値を示している。
【００６９】
図７ｂは、ここに開示された沈下度曲線グラフ上に描かれた本発明の実施の形態によるサスペンション・システムに関する安定した沈下度曲線１７を示す。全サスペンション動程のパーセントはＸ軸上に示され、全沈下度のパーセントはＹ軸上に示されている。図７ａに示された安定した沈下度曲線１７は、ほぼ５０パーセント抗沈下（anti-squat）の平均値を示している。
【００７０】
図７ｃは、ここに開示されかつ図７ａに示された沈下度曲線グラフ上に描かれた本発明の実施の形態によるサスペンション・システムに関する、より近くで視た安定した沈下度曲線１７を示す。全サスペンション動程のパーセントはＸ軸上に示され、全沈下度のパーセントはＹ軸上に示されている。図７ａに示された安定した沈下度曲線１７は、ほぼ１００パーセント抗沈下の平均値を示している。この安定した沈下度曲線１７は、沈下度曲線の上限（１８）、沈下度曲線の下限（１９）およびパーセント沈下度の変動（４１）を示している。
【００７１】
図８は、本発明の実施の形態によるサスペンション・システムに関する沈下度曲線を示す。全サスペンション動程のパーセントはＸ軸上に示され、全沈下度のパーセントはＹ軸上に示されている。図８は、沈下度曲線に沿った数点における曲線の勾配を示す接線を伴った沈下度曲線１７を例示している。接線によって例示されている勾配は、第１沈下度曲線勾配（４２）、第２沈下度曲線勾配（４３）、第３沈下度曲線勾配（４４）である。図８は本発明の実施の形態のサスペンション・システム、例えば図２ａ〜図２ｄ、図５ａおよび図５ｂに示されているような特徴を有するサスペンション・システムによって形成されたような、車両のサスペンション動程が増大するにつれて変化する沈下度曲線１７の勾配を例示している。この形成された沈下度曲線１７は、サスペンション動程の始点においては正の値を有する第１沈下度曲線勾配４２と、サスペンション動程の中間点においては負の値を有する第２沈下度曲線勾配４３と、サスペンション動程の終点においては正の値を有する第３沈下度曲線勾配４４とを備えている。
【００７２】
図９は、ここに開示された沈下度曲線グラフ上に描かれた本発明の実施の形態によるサスペンション・システム、例えば図１ａ〜図１ｄに示されているような特徴を有するサスペンション・システムに関する安定した沈下度曲線１７を示す。全サスペンション動程のパーセントはＸ軸上に示され、全沈下のパーセントはＹ軸上に示されている。
【００７３】
図１０は、ここに開示されかつ図９に示された沈下度曲線グラフ上に描かれた本発明の実施の形態によるサスペンション・システムに関する、より近くで視た安定した沈下度曲線１７を示す。全サスペンション動程のパーセントはＸ軸上に示され、全沈下度のパーセントはＹ軸上に示されている。図１０に示された安定した沈下度曲線１７は、約１００パーセント抗沈下の平均値を示している。この安定した沈下度曲線１７は、沈下度曲線上限（１８）と、沈下度曲線下限（１９）と、パーセント沈下度変動（４１）とを画成している。
【００７４】
図１１は、ここに開示された沈下度曲線グラフ上に描かれた本発明の実施の形態によるサスペンション・システム、例えば図４ａおよび図４ｂに示されているような特徴を有するサスペンション・システムに関する安定した沈下度曲線１７を示す。全サスペンション動程のパーセントはＸ軸上に示され、全沈下のパーセントはＹ軸上に示されている。
【００７５】
図１２は、ここに開示されかつ図１１に示された沈下度曲線グラフ上に描かれた本発明の実施の形態によるサスペンション・システムに関する、より近くで視た安定した沈下度曲線１７を示す。全サスペンション動程のパーセントはＸ軸上に示され、全沈下度のパーセントはＹ軸上に示されている。図１２に示された安定した沈下度曲線１７は、約１００パーセント抗沈下の平均値を示している。この安定した沈下度曲線１７は、沈下度曲線上限（１８）と、沈下度曲線下限（１９）と、パーセント沈下度変動（４１）とを画成している。
【００７６】
図１３ａは、被駆動輪軸軌道１４を制御するためのリンクシステムによって描かれる瞬時フォースセンタ２４を示す。この瞬時フォースセンタ２４は、近似的な瞬時フォースセンタ軌道の焦点（４６）を備えた瞬時フォースセンタ軌道４５上を移動する。図１ａ〜図１ｄ、図４ａおよび図４ｂに示されているようなサスペンション・レイアウトは、瞬時フォースセンタ軌道４５を形成することができる。この瞬時フォースセンタ軌道焦点４６は、被駆動輪サスペンション動程距離１５が変動する間に距離を移動し得る。瞬時フォースセンタ軌道４５は、被駆動輪サスペンション動程距離１５のパーセントに関してドライビングコグ２７のピッチ円直径（４７）内に位置する瞬時フォースセンタ軌道焦点４６を有する。
【００７７】
図１４は、沈下度基準点の位置を求めるのに有用な図式解法および実存する測定されたまたは計画された所望の車両の幾何学的配列か沈下度基準点の位置を求める図式解法を提供する。図１４には下記のものが示されている。すなわち、被駆動輪（１）、沈下レイアウトライン（１１）、下部沈下測定基準線（１２）、車両のシャーシ（１６）、軸被駆動輪タイヤの接地面の中心（３１）、車両のバネ上重量の中心（３２）、２００パーセント沈下ポイント（３３）、２００パーセント測定値（３４）、前輪（３５）、重力の方向（３６）、沈下度基準点（３７）、沈下度（３８）、質量交差ベクトルの中心（３９）、沈下度基準ベクトル（４０）。
【００７８】
図１４は、車両のシャーシ１６に関する車両のバネ上重量の中心３２を描いたものである。質量交差ベクトルの中心３９は、軸被駆動輪タイヤの接地面の中心３１から、車両のバネ上重量の中心３２を通って沈下レイアウトライン１１で終端する。質量交差ベクトル３９の中心が沈下レイアウトライン１１と出会う点は、２００パーセント沈下ポイント３３と定義されている。２００パーセント沈下ポイント３３と下部測定基準線１２との間の距離は、２００パーセント測定値３４と呼ばれている。この２００パーセント測定値３４は、沈下度３８の値を決定する基準として用いられる。図示された沈下度基準点３７と下部測定基準線１２との間の距離は、沈下度３８と呼ばれている。２００パーセント沈下ポイント３３および沈下度基準点３７は沈下レイアウトライン１１上に描かれている。
【００７９】
図１５は、本発明の沈下度曲線１７を作成することができる、先に図１ａに示されたようなチェーンで駆動される車両のサスペンション・レイアウトを備えた車両におけるダンパユニット（５０）の可能な配置を示す。
【００８０】
図１６は、本発明の沈下度曲線１７を作成することができる、先に図１ａに示されたようなチェーンで駆動される車両のサスペンション・レイアウトを備えた車両におけるダンパユニット（５０）の可能な配置を示す。
【００８１】
図１７は、本発明の沈下度曲線１７を作成することができる、先に図１ａに示されたようなチェーンで駆動される車両のサスペンション・レイアウトを備えた車両におけるダンパユニット（５０）の可能な配置を示す。
【００８２】
図１８は、本発明の沈下度曲線１７を作成することができる、先に図１ａに示されたようなチェーンで駆動される車両のサスペンション・レイアウトを備えた車両におけるダンパユニット（５０）の可能な配置を示す。
【００８３】
図１９は、本発明の沈下度曲線１７を作成することができる、先に図１ａに示されたようなチェーンで駆動される車両のサスペンション・レイアウトを備えた車両におけるダンパユニット（５０）の可能な配置を示す。
【００８４】
図２０は、本発明の沈下度曲線１７を作成することができる、先に図２ａに示されたようなチェーンで駆動される車両のサスペンション・レイアウトを備えた車両におけるダンパユニット（５０）の可能な配置を示す。
【００８５】
図２１は、本発明の沈下度曲線１７を作成することができる、先に図２ａに示されたようなチェーンで駆動される車両のサスペンション・レイアウトを備えた車両におけるダンパユニット（５０）の可能な配置を示す。
【００８６】
図２２は、本発明の沈下度曲線１７を作成することができる、先に図２ａに示されたようなチェーンで駆動される車両のサスペンション・レイアウトを備えた車両におけるダンパユニット（５０）の可能な配置を示す。
【００８７】
図２３は、本発明の沈下度曲線１７を作成することができる、先に図２ａに示されたようなチェーンで駆動される車両のサスペンション・レイアウトを備えた車両におけるダンパユニット（５０）の可能な配置を示す。
【００８８】
図２４は、本発明の沈下度曲線１７を作成することができる、先に図２ａに示されたようなチェーンで駆動される車両のサスペンション・レイアウトを備えた車両におけるダンパユニット（５０）の可能な配置を示す。
【００８９】
図２５は、本発明の沈下度曲線１７を作成することができる、先に図２ａに示されたようなチェーンで駆動される車両のサスペンション・レイアウトを備えた車両におけるダンパユニット（５０）の可能な配置を示す。
【００９０】
図２６は、本発明の沈下度曲線１７を作成することができる、先に図２ａに示されたようなチェーンで駆動される車両のサスペンション・レイアウトを備えた車両におけるダンパユニット（５０）の可能な配置を示す。
【００９１】
図２７は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９２】
図２８は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９３】
図２８は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９４】
図２９は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９５】
図３０は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９６】
図３１は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９７】
図３２は、本発明の沈下度曲線１７を作成することができる、先に図４ａに示されたようなチェーンで駆動される車両のサスペンション・レイアウトを備えた車両におけるダンパユニット（５０）の可能な配置を示す。
【００９８】
図３３は、本発明の沈下度曲線１７を作成することができる、先に図５ａに示されたようなチェーンで駆動される車両のサスペンション・レイアウトを備えた車両におけるダンパユニット（５０）の可能な配置を示す。
【００９９】
図３４は、本発明の沈下度曲線１７を作成することができる、先に図５ａに示されたようなチェーンで駆動される車両のサスペンション・レイアウトを備えた車両におけるダンパユニット（５０）の可能な配置を示す。
【０１００】
図３５は、本発明の沈下度曲線１７を作成することができる、先に図５ａに示されたようなチェーンで駆動される車両のサスペンション・レイアウトを備えた車両におけるダンパユニット（５０）の可能な配置を示す。
【０１０１】
図３６は、本発明の沈下度曲線１７を作成することができる、先に図５ａに示されたようなチェーンで駆動される車両のサスペンション・レイアウトを備えた車両におけるダンパユニット（５０）の可能な配置を示す。
【０１０２】
図３７は、本発明の沈下度曲線１７を作成することができる、先に図５ａに示されたようなチェーンで駆動される車両のサスペンション・レイアウトを備えた車両におけるダンパユニット（５０）の可能な配置を示す。
【０１０３】
図３８は、図４に示されたチェーンで駆動される車両の変形を示し、ここでは、ドリブン・アイドラコグ（４８）が、そのドリブンアイドラコグのピッチ円直径によって表され、かつ車両のシャーシ１６に固定されたドリブンアイドラコグ回転軸（４９）の周りを回転するようになっている。チェーンフォースベクトル６はドリブンアイドラコグ４８によって制御され、したがって、車両のシャーシサスペンションの幾何学的配列は、所望の沈下度曲線１７を得るために変更されなければならない。スプリング・ダンパユニット（５０）も示されている。
【０１０４】
図３９は、本発明の、シャフトで駆動される、またはスピンドルで駆動されるスライディング・エレメント形式のサスペンション・システムを示し、瞬時フォースセンタの動きを測定するのに有用な図式解法を提供している。図３９には下記のものが示されている。すなわち、被駆動輪（１）、ホイールキャリア・リンク（２）、下部沈下測定基準線（１２）、被駆動輪軸軌道（１４）、被駆動輪サスペンション動程距離（１５）、車両のシャーシ（１６）、瞬時フォースセンタ（２４）、被駆動輪回転軸（２５）、前輪タイヤの接地面の中心（３０）、軸被駆動輪タイヤの接地面の中心（３１）、重力の方向（３６）、第１キャリアマニピュレーショントラック（５１）、第２キャリアマニピュレーショントラック（５２）、第１キャリアマニピュレーションスライダ（５３）、第２キャリアマニピュレーションスライダ（５４）、第１キャリアマニピュレーションスライダ・フォースベクトル（５５）、第２キャリアマニピュレーションスライダ・フォースベクトル（５６）、第１キャリアマニピュレーション・スライダピボット（６９）、第２キャリアマニピュレーションスライダ・ピボット（７０）。
【０１０５】
図３９は、非収縮状態におけるスライディング・エレメント形式のサスペンション・レイアウトである。スライディングエレメント形式のサスペンション・レイアウトは、第１キャリアマニピュレーショントラック５１および第２キャリアマニピュレーショントラック５２を備えることができる。第１キャリアマニピュレーショントラック５１および第２キャリアマニピュレーショントラック５２は、直線形状または曲線形状とすることができる。第１キャリアマニピュレーションスライダ５３は第１キャリアマニピュレーショントラック５１上に乗り、第２キャリアマニピュレーションスライダ５４は第２キャリアマニピュレーショントラック５２上に乗っているので、各スライダの動きはトラックの軌道に追従することによって規定される。ホイールキャリアリンク２は、第１キャリアマニピュレーションスライダ５３および第２キャリアマニピュレーションスライダ５４に枢動可能に取り付けられているので、ホイールキャリアリンク２の動きは、第１キャリアマニピュレーションスライダ５３および第２キャリアマニピュレーションスライダ５４によって支配される。第１キャリアマニピュレーションスライダ５３は、第１キャリアマニピュレーションスライダ・ピボット６９の中心においてトラックの軌道と直角に提示される第１キャリアマニピュレーションスライダ・フォースベクトル５５を提示する。第２キャリアマニピュレーションスライダ５４は、第２キャリアマニピュレーションスライダ・ピボット７０の中心においてトラックの軌道と直角に提示される第２キャリアマニピュレーションスライダ・フォースベクトル５６を提示する。第１キャリアマニピュレーションスライダ・フォースベクトル５５と第２キャリアマニピュレーションスライダ・フォースベクトル５６との交点は瞬時フォースセンタ２４の位置を示す。被駆動輪１がその被駆動輪サスペンション動程距離１５を収縮方向に移動するにつれて、その瞬時センタは瞬時フォースセンタの軌道４５に沿って移動する。
【０１０６】
図４０は、本発明の、シャフトで駆動される、またはスピンドルで駆動されるスライディングエレメント形式のサスペンション・システムを示し、瞬時フォースセンタの動きを測定するのに有用な図式解法を提供している。図４０には下記のものが示されている。すなわち、被駆動輪（１）、ホイールキャリアリンク（２）、下部沈下測定基準線（１２）、被駆動輪軸軌道（１４）、被駆動輪サスペンション動程距離（１５）、車両のシャーシ（１６）、瞬時フォースセンタ（２４）、被駆動輪回転軸（２５）、前輪タイヤの接地面の中心（３０）、軸被駆動輪タイヤの接地面の中心（３１）、重力の方向（３６）、第１キャリアマニピュレーショントラック（５１）、第２キャリアマニピュレーショントラック（５２）、第１キャリアマニピュレーションスライダ（５３）、第２キャリアマニピュレーションスライダ（５４）、第１キャリアマニピュレーションスライダ・フォースベクトル（５５）、第２キャリアマニピュレーションスライダ・フォースベクトル（５６）、第１キャリアマニピュレーションスライダ・ピボット（６９）、第２キャリアマニピュレーションスライダ・ピボット（７０）。
【０１０７】
図４０は、収縮状態におけるスライディング・エレメント形式のサスペンション・レイアウトである。スライディングエレメント形式のサスペンション・レイアウトは、第１キャリアマニピュレーショントラック５１および第２キャリアマニピュレーショントラック５２を備えることができる。第１キャリアマニピュレーショントラック５１および第２キャリアマニピュレーショントラック５２は、直線形状または曲線形状とすることができる。第１キャリアマニピュレーションスライダ５３は第１キャリアマニピュレーショントラック５１上に乗り、第２キャリアマニピュレーションスライダ５４は第２キャリアマニピュレーショントラック５２上に乗っているので、各スライダの動きはトラックの軌道に追従することによって規定される。ホイールキャリアリンク２は、第１キャリアマニピュレーションスライダ５３および第２キャリアマニピュレーションスライダ５４に枢動可能に取り付けられているので、ホイールキャリアリンク２の動きは、第１キャリアマニピュレーションスライダ５３および第２キャリアマニピュレーションスライダ５４によって支配される。第１キャリアマニピュレーションスライダ５３は、第１キャリアマニピュレーションスライダ・ピボット６９の中心においてトラックの軌道と直角に提示される第１キャリアマニピュレーションスライダ・フォースベクトル５５を提示する。第２キャリアマニピュレーションスライダ５４は、第２キャリアマニピュレーションスライダ・ピボット７０の中心においてトラックの軌道と直角に提示される第２キャリアマニピュレーションスライダ・フォースベクトル５６を提示する。第１キャリアマニピュレーションスライダ・フォースベクトル５５と第２キャリアマニピュレーションスライダ・フォースベクトル５６との交点は瞬時フォースセンタ２４の位置を示す。被駆動輪１がその被駆動輪サスペンション動程距離１５を収縮方向に移動するにつれて、その瞬時センタは瞬時フォースセンタの軌道４５に沿って移動する。
【０１０８】
図４１は、本発明の、シャフトで駆動される、またはスピンドルで駆動されるスライディングエレメント形式のサスペンション・システムを示し、瞬時フォースセンタの動きを測定するのに有用な図式解法を提供している。図４１には下記のものが示されている。すなわち、被駆動輪（１）、ホイールキャリアリンク（２）、下部沈下測定基準線（１２）、被駆動輪軸軌道（１４）、被駆動輪サスペンション動程距離（１５）、車両のシャーシ（１６）、瞬時フォースセンタ（２４）、被駆動輪回転軸（２５）、前輪タイヤの接地面の中心（３０）、軸被駆動輪タイヤの接地面の中心（３１）、重力の方向（３６）、第１キャリアマニピュレーショントラック（５１）、第２キャリアマニピュレーショントラック（５２）、第１キャリアマニピュレーションスライダ（５３）、第２キャリアマニピュレーション・スライダ（５４）第１キャリアマニピュレーションスライダ・フォースベクトル（５５）、第２キャリアマニピュレーションスライダ・フォースベクトル（５６）、瞬時フォースセンタの非収縮時の位置（６５）、瞬時フォースセンタの収縮時の位置（６６）、第１キャリアマニピュレーションスライダ・ピボット（６９）、第２キャリアマニピュレーションスライダ・ピボット（７０）。
【０１０９】
図４１は、図４０に示された収縮状態におけるスライディング・エレメント形式のサスペンション・レイアウトに重畳された、図３９に示された非収縮状態におけるスライディングエレメント形式のサスペンション・レイアウトを示す。スライディングエレメント形式のサスペンション・レイアウトは、第１キャリアマニピュレーショントラック５１および第２キャリアマニピュレーショントラック５２を備えることができる。第１キャリアマニピュレーショントラック５１および第２キャリアマニピュレーショントラック５２は、直線形状または曲線形状とすることができる。第１キャリアマニピュレーションスライダ５３は第１キャリアマニピュレーショントラック５１上に乗り、第２キャリアマニピュレーションスライダ５４は第２キャリアマニピュレーショントラック５２上に乗っているので、各スライダの動きはトラックの軌道に追従することによって規定される。ホイールキャリアリンク２は、第１キャリアマニピュレーションスライダ５３および第２キャリアマニピュレーションスライダ５４に枢動可能に取り付けられているので、ホイールキャリアリンク２の動きは、第１キャリアマニピュレーションスライダ５３および第２キャリアマニピュレーションスライダ５４によって支配される。第１キャリアマニピュレーションスライダ５３は、第１キャリアマニピュレーションスライダ・ピボット６９の中心においてトラックの軌道と直角に提示される第１キャリアマニピュレーションスライダ・フォースベクトル５５を提示する。第２キャリアマニピュレーションスライダ５４は、第２キャリアマニピュレーションスライダ・ピボット７０の中心においてトラックの軌道と直角に提示される第２キャリアマニピュレーションスライダ・フォースベクトル５６を提示する。第１キャリアマニピュレーションスライダ・フォースベクトル５５と第２キャリアマニピュレーションスライダ・フォースベクトル５６との交点は瞬時フォースセンタ２４の位置を示す。被駆動輪１がその被駆動輪サスペンション動程距離１５を収縮方向に移動するにつれて、その瞬時センタは瞬時フォースセンタの軌道４５に沿って移動する。被駆動輪１がその被駆動輪サスペンション動程距離１５を収縮方向に移動するにつれて、その瞬時センタ２４は、瞬時フォースセンタの非収縮時の位置６５から瞬時フォースセンタの収縮時の位置６６まで移動する。
【０１１０】
図４２は、本発明の実施の形態を示し、瞬時フォースセンタの動きを測定するのに有用な図式解法を提供している。図４２は、図２ａ、図２ｂ、図２ｃ、図２ｄ、図３ａ、図３ｂ、図３ｃおよび図３ｄに示された構成要素および車両のシャーシレイアウトを用いている。図４２には下記のものが示されている。すなわち、被駆動輪（１）、下部沈下測定基準線（１２）、被駆動輪軸軌道（１４）、被駆動輪サスペンション動程距離（１５）、車両のシャーシ（１６）、被駆動輪回転軸（２５）、前輪タイヤの接地面の中心（３０）、軸被駆動輪タイヤの接地面の中心（３１）、重力の方向（３６）、非収縮第１キャリアマニピュレーションリンク・フォースベクトル（６１）、非収縮第２キャリアマニピュレーションリンク・フォースベクトル（６２）、収縮第１キャリアマニピュレーションリンク・フォースベクトル（６３）、収縮第２キャリアマニピュレーションリンク・フォースベクトル（６４）、瞬時フォースセンタの非収縮時の位置（６５）、瞬時フォースセンタの収縮時の位置（６６）、瞬時フォースセンタの上方移動量（６７）、瞬時フォースセンタの後方移動量（６８）。
【０１１１】
図４２は、被駆動輪１のサスペンション・システムがその被駆動輪サスペンション動程距離１５における収縮状態にされるにつれて、そのレイアウトは、瞬時フォースセンタの非収縮時の位置６５において交差する、非収縮第１キャリアマニピュレーションリンク・フォースベクトル６１および非収縮第２キャリアマニピュレーションリンク・フォースベクトル６２を提示することを例示している。被駆動輪１のサスペンション・システムがその被駆動輪サスペンション動程距離１５における収縮方向に移動されるにつれて、そのレイアウトは、瞬時フォースセンタの収縮時の位置６６において交差する、収縮第１キャリアマニピュレーションリンク・フォースベクトル６３および収縮第２キャリアマニピュレーションリンク・フォースベクトル６４を提示する。被駆動輪１が被駆動輪サスペンション動程距離１５を通じて収縮方向へ移動するにつれて、その瞬時フォースセンタは、瞬時フォースセンタの非収縮時の位置６５から瞬時フォースセンタの収縮時の位置６６まで移動する。本発明のサスペンションは、瞬時フォースセンタの測定可能な上方移動量６７、または瞬時フォースセンタの測定可能な後方移動量６８、または瞬時フォースセンタの測定可能な上方移動量６７と瞬時フォースセンタの測定可能な後方移動量６８との組合せを有する。瞬時フォースセンタの測定可能な上方移動量６７は、水平な地面上に停止している車両のシャーシについて重力の方向３６と反対方向に測定され、瞬時フォースセンタの非収縮時の位置６５を出発して瞬時フォースセンタの収縮時の位置６６まで測定される。瞬時フォースセンタの測定可能な後方移動量６８は、水平な地面上に停止している車両のシャーシについて重力の方向３６と直角方向に測定され、瞬時フォースセンタの非収縮時の位置６５を出発して瞬時フォースセンタの収縮時の位置６６まで測定される。
【０１１２】
いくつかの実施の形態における本発明のサスペンションを用いた車両は、沈下度曲線、測定可能なサスペンション・パラメータ、車両測定基準、フレーム、サスペンション可動部品、ピボット、回転運動手段、運動制御手段、および／または動力伝達部品を備えている。いくつかの実施の形態によれば、沈下度曲線は、測定された曲線、グラフ、図示された曲線、プロットされた曲線、直線、曲線、値、変動地、固定値、変動する曲線、振幅、周波数、値、沈下度、度合い、沈下、促沈下、抗沈下、ゼロ沈下、勾配、変動する勾配、固定勾配、負勾配、第１負勾配、第２負勾配、第３負勾配、第４負勾配、第５負勾配、第６負勾配、第７負勾配、第８負勾配、第９負勾配、第１０負勾配、第１１負勾配、正勾配、第１正勾配、第２正勾配、第３正勾配、第４正勾配、第５正勾配、第６正勾配、第７正勾配、第８正勾配、第９正勾配、第１０正勾配、第１１正勾配、負の値、正の値、変動する立上がり、立上がり、初期立上がり、中間立上がり、終期立上がり、初期勾配、中間勾配、第１中間勾配、第２中間勾配、第３中間勾配、第４中間勾配、第５中間勾配、第６中間勾配、第７中間勾配、第８中間勾配、第９中間勾配、第１０中間勾配、第１１中間勾配、終期勾配、最終勾配、無限に変動する勾配、一定的に変動する勾配、管理された勾配、調整された勾配、調整された振幅、調整された周波数、可変沈下度、可変沈下曲線勾配、調整された沈下曲線勾配、および／または管理された沈下曲線勾配を含む。
【０１１３】
いくつかの実施の形態における測定可能なサスペンション・パラメータおよび車両測定基準は、ホイールベース、トラック幅、キャンバ、キャスタ、抗沈下、促沈下、ゼロ沈下、沈下、レーク、トレール、オフセット、フォーク・オフセット、スピンドル・オフセット、チェーンステー長、スイングアーム長、被駆動輪回転軸とパワーユニット出力スピンドル軸との間隔、チェーン長、ベルト長、ボトムブラケット、ボトムブラケット・オフセット、駆動スピンドル、駆動スピンドル・オフセット、駆動スピンドル高さ、車輪直径、被駆動輪直径、被駆動輪スピンドル高さ、チェーンステー勾配、チェーンステー立上がり、質量中心、質量高さ中心、質量オフセット中心、駆動スピンドルからの質量オフセットの中心、長さ、度合い、トップチューブ長、ダウンチューブ長、フロントセンタ距離、シートチューブ長、シートステー長、ヘッドセットスタック角度、ヘッドチューブ角度、フォーク角度、衝突角度、フォークレーク、クラウンレーク、ハンドルバー高さ、バー高さ、バー・スウィープ、ハンドルバー・スウィープ、ハンドルバー立上がり、バー立上がり、クランク長、クランクアーム長、ピッチ円直径、ギア・ピッチ円直径、スプロケット・ピッチ円直径、コグ・ピッチ円直径、フロントギア・ピッチ円直径、フロントスプロケット・ピッチ円直径、フロントコグ・ピッチ円直径、リアギア・ピッチ円直径、リアスプロケット・ピッチ円直径、リアコグ・ピッチ円直径、第１中間ギア・ピッチ円直径、第２中間ギア・ピッチ円直径、第１中間スプロケット・ピッチ円直径、第２中間スプロケット・ピッチ円直径、第１中間コグ・ピッチ円直径、第２中間コグ・ピッチ円直径、瞬時センタ、瞬時フォースセンタ、曲率中心、軸軌道、軸軌道曲率中心、移動曲率中心、前方移動曲率中心、前方移動瞬時センタ、後方移動瞬時センタ、瞬時センタ移動方向変換、曲率中心軌道、瞬時センタ軌道、瞬時センタ軌道焦点、移動瞬時センタ軌道焦点、仮想フォースセンタ、仮想瞬時フォースセンタ、仮想フォースセンタ軌道、ドライビングフォース、チェーンフォース、アンチローテーション・フォース、スプロケットフォース、ベベルギアフォース、回転力、ドライビングフォースベクトル、チェーン牽引、チェーン牽引力、チェーン牽引力ベクトル、アイドラギア高さ、アイドラギア・ピッチ円直径、アイドラコグ・ピッチ円直径、アイドラスプロケット・ピッチ円直径、ジャックシャフトコグ・ピッチ円直径、ジャックシャフトスプロケット・ピッチ円直径、てこ率、テコ比、ダンパてこ率、ダンパてこ比、スプリングてこ率、スプリングてこ比、ホイールモーション・レシオ、ホイールレート、スプリングレート、ダンピングレート、てこ率進行曲線、てこ率進行、進行レート、逆行レート、ストレート・レート、変化レート、サスペンション収縮、サスペンション全収縮、サスペンション伸張、サスペンション全伸張、吊り下がり動程、全吊り下がり動程、サスペンション車高、静的車高、neighed 車高、負荷車高、加重車高、動程の始点、動程の中間、動程の終点、０％動程から２０％動程まで、２０％動程から８０％動程まで、８０％動程から１００％動程まで、０％動程から２５％動程まで、２５％動程から７５％動程���で、７５％動程から１００％動程まで、０％動程から３０％動程まで、３０％動程から６５％動程まで、６５％動程から１００％動程まで、０％動程から３５％動程まで、３５％動程から６０％動程まで、６０％動程から１００％動程まで、パワートレーン部品の回転軸、被駆動輪回転軸、非被駆動輪回転軸、スプロケット回転軸、軸、軸位置、後輪回転軸、前輪回転軸、接触領域、タイヤ接触領域、タイヤ接地面、被駆動輪タイヤ接地面、非被駆動輪タイヤ接地面、前輪タイヤ接地面、後輪タイヤ接地面、チェーンフォースベクトル、ドライビングフォースベクトル、スクアットフォースベクトル、第１キャリアマニピュレーションリンク・フォースベクトル、第２キャリアマニピュレーションリンク・フォースベクトル、沈下基準点、沈下レイアウトライン、下部沈下測定基準線、測定された沈下距離、被駆動輪軸軌道、被駆動輪サスペンション動程、安定した沈下度曲線、沈下度曲線上限、沈下度曲線下限、瞬時フォースセンタ、被駆動輪回転軸、チェーフォースベクトルとドライビングフォースベクトルとの交差点、ドライビングコグ回転軸、前輪タイヤの接地面の中心、被駆動輪タイヤの接地面の中心、ばね上重量の車両中心、２００％沈下点、２００％測定値、重力の方向、沈下度基準点、沈下度、重量交差ベクトルの中心、沈下度基準ベクトル、パーセント沈下度変動、第１沈下度曲線勾配、第２沈下度曲線勾配、第３沈下度曲線勾配、瞬時フォースセンタ軌道、瞬時フォースセンタ軌道焦点、ピッチ円直径、被駆動アイドラコグ回転軸、第１キャリアマニピュレーションスライダ・フォースベクトル、第２キャリアマニピュレーション・スライダフォースベクトル、非収縮第１キャリアマニピュレーション・スライダフォースベクトル、非収縮第２キャリアマニピュレーションスライダ・フォースベクトル、収縮第１キャリアマニピュレーション・スライダフォースベクトル、収縮第２キャリアマニピュレーションスライダ・フォースベクトル、非収縮第１キャリアマニピュレーションリンク・フォースベクトル、非収縮第２キャリアマニピュレーションリンク・フォースベクトル、収縮第１キャリアマニピュレーション・リンクフォースベクトル、収縮第２キャリアマニピュレーションリンク・フォースベクトル、瞬時フォースセンタ上方移動、および／または瞬時フォースセンタ後方移動を含む。
【０１１４】
いくつかの実施の形態において、フレームは、密実なビーム、密実なバー、金属バー、プラスチックバー、複合バー、チューブ、金属チューブ、アルミニウムチューブ、チタンチューブ、鉄チューブ、複合チューブ、カーボンチューブ、硼素チューブ、合金チューブ、マグネシウムチューブ、硬直チューブ、可撓性チューブ、薄壁チューブ、厚壁チューブ、突合せチューブ、単独突合せチューブ、二重突合せチューブ、三重突合せチューブ、四重突合せチューブ、ストレートゲージ・チューブ、丸形チューブ、正方形チューブ、角形チューブ、丸コーナーチューブ、成形チューブ、エアロチューブ、流線型チューブ、プラス型チューブ、バット型チューブ、丸チューブから角形チューブへ移行するチューブ、丸チューブから丸コーナーチューブへ移行するチューブ、丸チューブから成形チューブへ移行するチューブ、溶接、ＭＩＧ溶接、ＴＩＧ溶接、レーザー溶接、摩擦溶接されたチューブ、モノコック・セクション、モノコック・フレーム、金属モノコック、ＴＩＧ溶接されたモノコック、ＭＩＧ溶接されたモノコック、レーザー溶接されたモノコック、摩擦溶接されたモノコック、カーボン・モノコック、ケブラー・モノコック、ファイバーガラス・モノコック、複合モノコック、ファイバーガラス、カーボンファイバー、フォーム、ハニカム、応力外皮、締め金、押出し成形品、金属インサート、リベット、ねじ、鋳造品、鍛造品、ＣＮＣ機械加工品、機械加工品、型打ち金属部品、連続的型打ち金属部品、鋳造品に溶接されたチューブまたはモノコック部品、鍛造品に溶接されたチューブまたはモノコック部品、機械加工品に溶接されたチューブまたはモノコック部品、ＣＮＣ機械加工品に溶接されたチューブまたはモノコック部品、膠、接着剤、アクリル接着剤、メタクリレート接着剤、接着されたパネル、接着されたチューブ、接着されたモノコック、接着された鍛造品、接着された鋳造品、ＣＮＣ機械加工品に接着されたチューブ、機械加工品に接着されたチューブ、鋳造品に接着されたチューブ、鍛造品に接着されたチューブ、ガセット、支持体、支持体チューブ、タブ、ボルト、タブに溶接されたボルト、タブに溶接されたモノコック、タブにボルト締めされたチューブ、射出成形品、シートステー、チェーンステー、シートチューブ、シートタワー、シートポスト、トップチューブ、アッパーチューブ、ダウンチューブ、ロワチューブ、シートチューブ締め金、および／またはシートチューブ支持体から成る。
【０１１５】
いくつかの実施の形態によれば、本発明のサスペンション・システムの可動サスペンション構成要素は、リンク、ホイールキャリア・リンク、ホイールキャリア、キャリアマニピュレーションリンク、アッパーキャリアマニピュレーションリンク、ロワキャリアマニピュレーションリンク、第１キャリアマニピュレーションリンク、第２キャリアマニピュレーションリンク、スイングアーム、スインギングアーム、スイングリンク、第１リンク、第２リンク、アッパーリンク、ロワリンク、トップリンク、ボトムリンク、前方リンク、後方リンク、フロントリンク、バックリンク、プライマリリンク、セカンダリリンク、湾曲部、第１湾曲部、第２湾曲部、上部湾曲部、下部湾曲部、トップ湾曲部、ボトム湾曲部、前方湾曲部、後方湾曲部、フロント湾曲部、バック湾曲部、プライマリ湾曲部、セカンダリ湾曲部、キャリアマニピュレーション湾曲部、スライダ、カーブしたスライダ、ストレートスライダ、複雑にカーブしたスライダ、キャリア、軌道、カーブした軌道、ストレート軌道、複雑にカーブした軌道、ベアリング、カム、ギア、シール、ピボット、ショックリンク、リンケージ、ショックドライビング・リンク、Ａアーム、Ｈアーム、支持アーム、上部支持体、下部支持体、ダブルアーム、シングルアーム、シングルピボット、マルチピボット、ＳＬＡ，ショートロングアーム、ハブキャリア、ホイールキャリア、スピンドル、スピンドルキャリア、ホイール支持体、スピンドル支持体、トレーリングアーム、セミ・トレーリングアーム、スイングアーム、ダブルスイングアーム、パラレルリンク、セミ・パラレルリンク、直角リンク、ストラット、マクファーソンストラット、サスペンションストラット、リニアベアリング、リニアブッシング、スタンチョン、フォーク、フォーク・ロワ、４バー・リンケージ、５バー・リンケージ、６バー・リンケージ、７バー・リンケージ、８バー・リンケージ、リンケージ、マルチリンク、トラックバー、パナールバー、ワットリンク、ボールジョイント、エイムジョイント、ラジアルジョイント、ロータリージョイント、インターナルダンパ、エクスターナルダンパ、エンクローズドダンパ、エンクローズドスプリング、キャスタブロック、キャンバブロック、キャスタウェッジ、被駆動輪、車両シャーシ、第１リンク固定ピボット、第２リンク固定ピボット、第１リンク遊動ピボット、第２リンク遊動ピボット、ドライビングコグ、ドリブンコグ、前輪、被駆動アイドラコグ、スプリング・ダンパ・ユニット、第１キャリアマニピュレーション軌道、第２キャリアマニピュレーション軌道、第１キャリアマニピュレーション・スライダ、第２キャリアマニピュレーション・スライダ、第１キャリアマニピュレーションスライダ・ピボット、第２キャリアマニピュレーションスライダ・ピボット、スティフニングリンク、および／またはスティフニングリンケージから成る。
【０１１６】
いくつかの実施の形態によれば、本発明のサスペンションのピボットおよび回転運動手段は、ピボット、メインピボット、チェーンステーピボット、シートステーピボット、アッパーメインピボット、ロワフレームピボット、ボトムフレームピボット、トップフレームピボット、前方フレームピボット、後方フレームピボット、フロントフレームピボット、リアフレームピボット、プライマリフレームピボット、セカンダリフレームピボット、第三次フレームピボット、第１フレームピボット、第２フレームピボット、第３フレームピボット、第４フレームピボット、ピボットの組合せ、ベアリングピボット、ブッシングピボット、ベアリング、ブッシング、シール、グリ−スポート、グリースを注入されたピボット、オイルを注入されたピボット、ニードルベアリングピボット、ジャーナルベアリングピボット、ＤＵベアリングピボット、プラスチックブッシングピボット、アルミニウムピボットシャフト、ステンレススチールピボットシャフト、スチールピボットシャフト、チタン・ピボットシャフト、プラスチック・ピボットシャフト、複合ピボットシャフト、硬化されたベアリングレース、硬化されたピボットシャフト、陽極酸化されたピボットシャフト、メッキされたピボットシャフト、コーティングされたピボットシャフト、ベアリングキャップ、ベアリングシール、Ｏリング、Ｏリングシール、Ｘリング、および／またはＸリングシールから成る。
【０１１７】
いくつかの実施の形態によれば、本発明のサスペンションの運動制御手段は、ショック、ショックアブソーバ、スプリング・ダンパ・ユニット、ダンパ、スプリング、コイルスプリング、リーフスプリング、収縮スプリング、伸張スプリング、エアスプリング、窒素スプリング、ガススプリング、トーションスプリング、定力スプリング、フラットスプリング、ワイヤスプリング、カーボンスプリング、ネガティブスプリング、ポジティブスプリング、プログレッシブスプリング、マルチプルスプリング、スタックドスプリング、直列スプリング、並列スプリング、ダンパユニットから離れたスプリング、ダンパユニット、油圧技術、油圧ピストン、油圧バルブ、エアバルブ、エアキャン、ギア、カム、非円形ギア、リニアダンパ、ロータリダンパ、ベーンダンパ、摩擦ダンパ、ポペットバルブ、補償スプリング、エラストマ、ゴムバンパ、バンパ、プログレッシブバンパ、油圧ボトミングバンパ、圧力補償、熱補償、オイル、水、ダンピング液、冷却液、シム、圧力、シャフト、貫通シャフト、アイレット、アジャスタ、コンペンセータ、ホース、リザーバ、リモートリザーバ、低速アジャスタ、高速アジャスタ、ミッドレンジアジャスタ、バイパス回路、フットバルブ、ラージバンプ・アジャスタ、スモールバンプアジャスタ、ハイベロシティアジャスタ、ローベロシティアジャスタ、油圧ラム、油圧ピストン、アクティブサスペンション、および／またはマイクロプロセッサから成る。
【０１１８】
いくつかの実施の形態によれば、本発明のサスペンションのパワートレーンの構成要素は、エネルギー貯蔵手段、バッテリ、燃料、燃料タンク、フライホイール、液体燃料、固体燃料、ロケット燃料、リアクタ、水蒸気、原子力リアクタ、フュージョンリアクタ、亜知力、空気圧、油圧、ガス圧、膨張ガス、モータ、伝導モータ、油圧モータ、タービンモータ、スチームタービン、ガスタービンモータ、エンジン、ガソリンエンジン、ディーゼルエンジン、ディーゼル、ガソリン、アルコール、スターリングエンジン、２ストロークエンジン、４ストロークエンジン、ミラーサイクルエンジン、ラムジェットエンジン、タービンエンジン、ロケットエンジン、人力、馬力、動物力、ポテンシャルエネルギー、スプリング、圧縮スプリング、伸張スプリング、定力スプリング、プログレッシブスプリング、動力伝達部品、ワイヤ、ロープ、スプリング、チェーン、ベルト、シャフト、ギア、コグ、カム、スプロケット、プーリ、レバー、クラッチ、ワンウェイクラッチ、ワンウェイベアリング、ボールベアリング、ジャーナルベアリング、ブッシング、駆動スプロケット、被駆動スプロケット、ドライビングコグ、ドリブンコグ、駆動ギア、被駆動ギア、中間コグ、中間スプロケット、中間ギア、アイドラコグ、アイドラスプロケット、アイドラギア、ボトムブラケット、ボトムブラケット・スピンドル、クランクアーム、フットペダル、ペダル、ハンドクランク、カセット、スプロケット群、変速装置、フロント変速装置、リア変速装置、チェーンガイド、シングルリング・チェーンガイド、デュアルリング・チェーンガイド、マルチリング・チェーンガイド、シフタ、シフトレバー、シフタケーブル、シフタホース、油圧シフティング、エアシフティング、空力シフティング、ギアボックウ、トランスミッション、連続可変トランスミッション、無限可変トランスミッション、直接駆動、タイヤ、車輪、軌道、軌道セグメント、アイドラホイール、ジェット、ドライブコグ、ドリブンコグ、前輪、ドリブンアイドラコグからなる。
【０１１９】
重量移動について説明する。すべての車両は重量を有している。サスペンションを備えたすべての車両における重量は、ばね上重量とばね下重量とに分けることができる。ばね下重量は、懸架された車輪とともに動くすべての車両部品の総和からなる。ばね上重量は、懸架された車輪が動いても静止を保つすべての車両部品の総和からなる。図１４に示されたばね上重量の動力学的中心は、ライダーおよび／または乗客の重量と車両重量の組合せである。
【０１２０】
ライダーの重量と自転車のばね上重量との組合せは、常に複数の車両タイヤの組合せによって完全に支持されている。動力前進加速は、重量を車両の前輪から後輪へ移動させ、制動は、重量を車両の後輪から前輪へ移動させる。被駆動輪上に乗るときのみ、すべての重量が被駆動輪に移動し、前輪上に乗るときのみ、すべての重量が前輪に移動する。
【０１２１】
短いホイールベース（ＷＢ）と高い重心（ＣＧ）との組合せにより、自動二輪車および自転車は、他の車両が受けるよりもはるかに大きい負荷の移動の影響を受ける。地面からＣＧまでの距離と、車輪の地面に対する接地点間の距離（ＷＢ）との比がこの点を表す。例えば通常の自転車は、ホイールベースに対する重心比は１００％に近く、自動二輪車は一般に５０％に近く、乗用車は一般に２５％の近くである。重量移動は負荷移動とも呼ばれる。
【０１２２】
重量移動によるエネルギー損失について説明する。被駆動動輪のサスペンション・システムの一つの望ましくない作用は、動力加速時の過剰なサスペンションの収縮または伸張である。このサスペンションの収縮または伸張は沈下として分類されている。
【０１２３】
車両の駆動システムの構成要素間の幾何学的配列および位置関係は、車両シャーシ内の力の分布に多大の影響を与える。サスペンション・システムはそのサスペンション動程を通して循環するので、サスペンション・システムと車両駆動システムとの間の位置関係は変化可能であり、同時にサスペンションの幾何学的配列自体も変化する。内部的力のこれらの変動は、動力加速および制動に対するサスペンションの応答を支配する。重力に関連する車両の姿勢およびばね上重量の中心も動力加速および制動に対するサスペンションの応答を支配する。これらの外力は、沈下特性を測定するための同種の車両と比較した場合に不動で等しいと考えられる。
【０１２４】
沈下は、後輪サスペンションが動力加速時に伸張または収縮することによって生じ得る内部的シャーシ力の結果である。沈下は、サスペンション動程を通して変化し得る瞬間的な状態である。沈下は方向および度合いの双方を備えている。沈下応答は、それ自体との関連において、および外力との関連においても測定可能である。瞬間的な沈下応答は、ばね上重量の重心の移動、サスペンションの幾何学的配列、パワートレーンの構成要素の位置、および重力に関連する車両が走行する勾配に支配される。ばね上重量の重心の配置は、サスペンション内に存在している沈下度のみを決定し、沈下の方向条件を変えるものではない。沈下状態は、重力に関連する沈下力の方向を決定する。
【０１２５】
考慮しなければならない三つの沈下状態がある。
【０１２６】
第１の沈下状態は促沈下（pro-squat）であり、動力加速下における内的サスペンション力によって後輪サスペンションが収縮されるときに存在する状態を言う。促沈下は、沈下度を決定するときに負の値を割り当てられる。
【０１２７】
第２の沈下状態は抗沈下（anti-squat）である。抗沈下は、動力加速下における内的サスペンション力によって後輪サスペンションの収縮が妨げられるときに存在する状態を言う。抗促沈下は、沈下度を決定するときに正の値が割り当てられる
第３の状態はゼロ沈下（zero-squat）である。ゼロ沈下は、促沈下と抗沈下との間に瞬間的にのみ発生し、そこでは動力加速下におけるサスペンションを動かす力が存在しない。ゼロ沈下点で動作する車両のサスペンションは、サスペンションの反動を操作するのに加速力は全く用いておらず、換言すれば、ゼロ沈下はゼロの沈下度の値を有する。
【０１２８】
沈下フォースは、懸架された車両を支えるスプリングフォースとは無関係に働く。沈下フォースは車両のスプリング力と無関係なため、加速時には、車両のサスペンションは、スプリングフォースと沈下フォースの双方によって影響を受ける。懸架された車両は、車両が荒れた地面上を走行しながらサスペンション・システムが収縮され伸張されるときに、スプリングを用いて車両のシャーシを支え、かつダンパを用いて衝撃力を消費させる。スプリングは、収縮可能なガススプリング、リーフスプリング、またはコイルスプリングの形態とすることができ、ダンパは流体または摩擦を用いてエネルギーを消費することができる。これらはまた、実在するロータリダンパ・スプリングユニットをも含む。車両が静止しているときには、懸架された車輪はいくらか収縮され、その結果、懸架された車輪は、凸部および凹部を有する不規則な路面に追従することができる。車輪サスペンションを支えるスプリングは、エネルギー貯蔵手段として作動する。車両サスペンションは、ダンパユニットを用いて、スプリングが収縮された後にスプリングに貯蔵されたエネルギーを消費する。さらにスプリングが収縮されると、より多くのエネルギーが貯蔵され、この余分のエネルギーは、スプリングがリバウンドするときにダンパによって消費される。車輪がサスペンション動程内に収縮されるにつれてスプリング力が増大するので、懸架された車輪における力も増大する。懸架された被駆動輪の途中までの収縮動作もまたサスペンション動程と呼ぶことができる。懸架された被駆動輪の完全な収縮動作もサスペンション動程と呼ぶことができる。懸架された被駆動輪の動く距離もサスペンション動程と呼ぶことができる。
【０１２９】
沈下度曲線の図示について説明する。沈下度曲線グラフは、サスペンション収縮時のパーセント・サスペンション動程に対する完全なサスペンション伸張状態で始まり完全なサスペンション収縮状態で終わる収縮可能なサスペンションの動力加速下における沈下度特性を表すものである。沈下度曲線グラフは、サスペンション動程のパーセンテージがＸ軸に示され、かつ正の方向へ増大するようにレイアウトされている。ゼロパーセントのサスペンション収縮である最少サスペンション動程はＸ軸の左端に示され、１００パーセントのサスペンション収縮である最大サスペンション動程はＸ軸の右端に示されている。パーセント・サスペンション収縮は、全サスペンション収縮の５％を最少増分として測定され描かれるのが好ましい。パーセント沈下度はＹ軸上に示され、その場合、ゼロパーセント値はＸ軸とＹ軸との交点に示され、１００パーセント値はＸ軸の上方に示される。負のパーセント沈下値はＸ軸の下方に示される。パーセント沈下度は、沈下度の基準に対する沈下度のパーセンテージとして表される。パーセント沈下度は、沈下度の値を沈下度の基準値で除算することによって計算される。沈下度の値は、下部沈下測定基準線と沈下基準点との間の垂直距離として測定される。ゼロ沈下度は常にゼロ沈下状態において測定される。このゼロ沈下状態は、沈下基準点が下部沈下測定基準線上に直接的に存在するときに測定される。この点においては、沈下度測定は値を有しない。１００パーセント沈下度の値は、沈下基準点の位置によって決定され、沈下レイアウトライン上に描かれる。下部沈下測定基準線の下方にある沈下基準点の如何なる度合いの測定値も促沈下度に等しく、正の１００パーセント沈下度の値の負のパーセンテージとして描かれなければならない。上記下部沈下測定基準線の下方にある沈下基準点の如何なる度合いの測定も抗沈下度を有し、正の１００パーセント沈下度値の高いパーセンテージとしてグラフに描かれなければならない。抗沈下は、Ｘ軸の上方の沈下度曲線上の点において示される。ゼロ沈下は、Ｘ軸に一致するＹ軸上のゼロ値に終端する沈下度曲線上の点において示され、そして促沈下は、Ｘ軸の下方に描かれる沈下度曲線上の点において示される。所望の複数のパーセント沈下度値が知られ、かつそれらに対応する測定されたパーセント・サスペンション収縮値が描かれた場合に、それらの点は、一般的な図式手法を用いてそれらの点間を接続することができる。次にこの折れ線グラフに曲線を当てはめることができ、この曲線が、折れ線グラフに最も良く適合する平滑な線を表す。このような曲線を得るための最も効率的な方法は、米国ワシントン州98052-6399,レドモンド、ワン・マイクロソフト・ウエイ所在のマイクロソフト社から入手可能な Microsoft Excel のようなコンピュータ・プログラムを用いることである。Microsoft Excel を用いると、ユーザは、ゼロパーセント測定で始まり、１００パーセント測定で終わる増大するサスペンション動程測定値を入力することができ、かつそれらのパーセント・サスペンション動程に一致する計算されたまたは好ましいパーセント沈下度値を入力することができる。次に、Microsoft Excel は、図示された複数の点に適合する曲線を伴う複数の点のグラフを作成するのに用いられる。この、パーセント・サスペンション収縮に対するパーセント沈下度の図示された曲線が沈下度曲線である。
【０１３０】
本発明の安定した沈下度曲線は、沈下度曲線上限および沈下度曲線下限を画成する。沈下度曲線上限は、沈下度グラフ上のＸ軸と平行である。沈下度曲線上限は、沈下度曲線上の最高ｙ値に一致する。沈下度曲線下限は、沈下度グラフ上のＸ軸と平行である。沈下度曲線下限は、沈下度曲線上の最低ｙ値に一致する。沈下度曲線に関する沈下度曲線上限および沈下度曲線下限を図示することにより、パーセント沈下度変動が測定される。このパーセント沈下度変動は、沈下度曲線における沈下度の偏差量の測定である。より低いパーセント沈下度変動量は、サスペンション動程の範囲に亘って、より一定な沈下度応答を齎し、より高いパーセント沈下度変動量は、サスペンション動程の範囲に亘って、一定でない沈下度応答を齎す。
【０１３１】
いくつかの実施の形態において、本発明の安定した沈下度曲線は、０から２５％までまたは約０から約２５％まで、０から２０％までまたは約０から約２０％まで、０から１８％までまたは約０から約１８％まで、０から１６．５％までまたは約０から約１６．５％まで、０から１５％までまたは約０から約１５％まで、０から１４％までまたは約０から約１４％まで、０から１３％までまたは約０から約１３％まで、０から１２％までまたは約０から約１２％まで、０から１１％までまたは約０から約１１％まで、０から１０％までまたは約０から約１０％まで、０から９％までまたは約０から約９％まで、０から８％までまたは約０から約８％まで、０から７％までまたは約０から約７％まで、０から６％までまたは約０から約６％まで、０から５％までまたは約０から約５％まで、０から４．５％までまたは約０から約４．５％まで、０から４％までまたは約０から約４％まで、０から３．５％までまたは約０から約３．５％まで、０から３．２５％までまたは約０から約３．２５％まで、０から３％までまたは約０から約３％まで、０から２．５％までまたは約０から約２．５％まで、０から２．２５％までまたは約０から約２．２５％まで、０から２％までまたは約０から約２％まで、０から１．７５％までまたは約０から約１．７５％まで、０から１．５％までまたは約０から約１．５％まで、０から１．２５％までまたは約０から約１．２５％まで、０から１％までまたは約０から約１％まで、０から０．７５％までまたは約０から約０．７５％まで、０から０．５％までまたは約０から約０．５％まで、０から０．２５％までまたは約０から約０．２５％まで、０から０．１５％までまたは約０から約０．１５％まで、０から０．１０％までまたは約０から約０．１０％まで、０から０．０５％までまたは約０から約０．０５％まで、０から０．０２５％までまたは約０から約０．０２５％まで、０から０．０１０％までまたは約０から約０．０１０％まで、０から０．００５％までまたは約０から約０．００５％まで、０から０．００１％までまたは約０から約０．００１％までのパーセント沈下度変動値を有する。
【０１３２】
曲線上の２点間の沈下度曲線の勾配は、標準的座標ジオメトリー方程式、すなわち勾配＝立上がり／進みによって決定される。ゼロ・サスペンション動程において或る沈下度を有する沈下度曲線が、車輪サスペンション動程収縮１０％において２０％低い沈下度を有する場合、勾配＝立上がり／進みの方程式に関し、−０．２／０．１＝−２から、−２の勾配を有する。ゼロ・サスペンション動程において促沈下度を有する沈下度曲線が、車輪サスペンション動程収縮１０％において−２０％の沈下度を有する場合、勾配＝立上がり／進みの方程式に関し、−０．２／０．１＝−２から、−２の勾配を有する。沈下度曲線は、サスペンション動程における対応するサスペンション動程点に対するサスペンション動程を通した点における沈下度のパーセントをグラフにすることによって、いかなる車輪サスペンション・システムに関しても作成することができる。一般のグラフ手法が指示しているように、勾配線を画成する軌道上の２点が可能な限り互いに接近している場合に、軌道のより正確な勾配測定が可能になることを理解すべきである。
【０１３３】
いくつかの実施の形態において、本発明によるサスペンション・システムは、変化する勾配を備えた沈下度曲線を有する。いくつかの好ましい実施の形態においては、沈下度曲線の勾配が、サスペンション動程の初めにおいて負であり、サスペンション動程のさらなる点においては正である。別のいくつかの好ましい実施の形態においては、沈下度曲線の勾配が、サスペンション動程の初めにおいて正であり、サスペンション動程のさらなる点においては負である。別のいくつかの好ましい実施の形態においては、沈下度曲線の勾配が、サスペンション動程の初めにおいて正であり、サスペンション動程のさらなる点においては負であり、サスペンション動程のなおもさらなる点においては正である。別のいくつかの好ましい実施の形態においては、被駆動輪がそのサスペンション動程を通して動くにつれて、沈下度曲線の勾配が、正と負の間で多数回変化することが可能である。
【０１３４】
サスペンション動程のパーセンテージは、被駆動輪サスペンションが収縮されるにつれて正の量が増加する。いくつかの実施の形態において、サスペンション動程の始端領域は、サスペンション動程の０から５０％までまたは約０から約５０％まで、またはサスペンション動程の０から４０％までまたは約０から約４０％まで、またはサスペンション動程の０から３０％までまたは約０から約３０％まで、またはサスペンション動程の０から２０％までまたは約０から約２０％まで、またはサスペンション動程の０から１０％までまたは約０から約１０％まで、またはサスペンション動程の０から５％までまたは約０から約５％まで、またはサスペンション動程の０％または約０％である。いくつかの実施の形態において、サスペンション動程の中間領域は、サスペンション動程の２５から７５％までまたは約２５から約７５％まで、またはサスペンション動程の３０から７０％までまたは約３０から約７０％まで、またはサスペンション動程の３５から６５％まで、または約３５から約６５％まで、またはサスペンション動程の４０から６０％までまたは約４０から約６０％まで、またはサスペンション動程の４５から５５％までまたは約４５から約５５％まで、またはサスペンション動程の５０％または約５０％、またはサスペンション動程の６０から８０％までまたは約６０から約８０％まで、またはサスペンション動程の６５から７５％までまたは約６５から約７５％まで、またはサスペンション動程の７０％または約７０％、またはサスペンション動程の５０から６０％までまたは約５０から約６０％までである。いくつかの実施の形態において、サスペンション動程の終端領域は、サスペンション動程の６０から１００％までまたは約６０から約１００％まで、またはサスペンション動程の０から４０％までまたは約０から約４０％まで、またはサスペンション動程の０から３０％までまたは約０から約３０％まで、またはサスペンション動程の７０から１００％までまたは約７０から約１００％まで、またはサスペンション動程の７５から１００％までまたは約７５から約１００％まで、またはサスペンション動程の８０から１００％までまたは約８０から約１００％まで、またはサスペンション動程の８５から１００％までまたは約８５から約１００％まで、またはサスペンション動程の９０から１００％までまたは約９０から約１００％まで、またはサスペンション動程の９５から１００％までまたは約９５から約１００％まで、またはサスペンション動程の１００％または約１００％である。
【０１３５】
いくつかの実施の形態において、本発明のサスペンション・システムは、サスペンション動程の始端において、−０．０００１から−０．２５までまたは約−０．０００１から約−０．２５まで、−０．０００１から−０．５までまたは約−０．０００１から約−０．５まで、−０．０００１から−１までまたは約−０．０００１から約−１まで、−０．０００１から−１．５までまたは約−０．０００１から約−１．５まで、−０．０００１から−２までまたは約−０．０００１から約−２まで、−０．０００１から−５までまたは約−０．０００１から約−５まで、−０．０００１から−１０までまたは約−０．０００１から約−１０まで、−０．０００１から−１００までまたは約−０．０００１から約−１００まで、−０．０００１から−１０００までまたは約−０．０００１から約−１０００まで、−０．０００１から−１００００までまたは約−０．０００１から約−１００００まで、−０．０００１から−１０００００までまたは約−０．０００１から約−１０００００まで、−０．２から−５までまたは約−０．２から約−５まで、−０．５から−４．５までまたは約−０．５から約−４．５まで、−０．７５から−４．０までまたは約−０．７５から約−４．０まで、−１．０から−３．５までまたは約−１．０から約−３．５まで、−１．５から−３．０までまたは約−１．５から約−３．０まで、−２．０から−２．５までまたは約−２．０から約−２．５まで、−３．０から−３．５までまたは約−３．０から約−３．５まで、−３．５から−４．０までまたは約−３．５から約−４．０まで、−３．５から−４．５までまたは約−３．５から約−４．５まで、−４．５から−５．５までまたは約−４．５から約−５．５まで、−５．０から−６．５までまたは約−５．０から約−６．５まで、−６．０から−７．５までまたは約−６．０から約−７．５まで、−７．０から−８．５までまたは約−７．０から約−８．５まで、−８．０から−９．５までまたは約−８．０から約−９．５まで、−９．０から−１２．５までまたは約−９．０から約−１２．５まで、−１０．０から−１５．５までまたは約−１０．０から約−１５．５までの勾配を備えた沈下度を有する。いくつかの実施の形態において、本発明のサスペンション・システムは、サスペンション動程の終端において、０．０００１から０．２５までまたは約０．０００１から約０．２５まで、０．０００１から０．５までまたは約０．０００１から約０．５まで、０．０００１から１までまたは約０．０００１から約１まで、０．０００１から１．５までまたは約０．０００１から約１．５まで、０．０００１から２までまたは約０．０００１から約２まで、０．０００１から５までまたは約０．０００１から約５まで、０．０００１から１０までまたは約０．０００１から約１０まで、０．０００１から１００までまたは約０．０００１から約１００まで、０．０００１から１０００までまたは約０．０００１から約１０００まで、０．０００１から１００００までまたは約０．０００１から約１００００まで、０．０００１から１０００００までまたは約０．０００１から約１０００００まで、０．２から５までまたは約０．２から約５まで、０．５から４．５までまたは約０．５から約４．５まで、０．７５から４．０までまたは約０．７５から約−４．０まで、１．０から３．５までまたは約１．０から約３．５まで、１．５から３．０までまたは約１．５から約３．０まで、２．０から２．５までまたは約２．０から約２．５まで、３．０から３．５までまたは約３．０から約３．５まで、３．５から４．０までまたは約３．５から約４．０まで、３．５から４．５までまたは約３．５から約４．５まで、４．５から５．５までまたは約４．５から約５．５まで、５．０から６．５までまたは約５．０から約６．５まで、６．０から７．５までまたは約６．０から約７．５まで、７．０から８．５までまたは約７．０から約８．５まで、８．０から９．５までまたは約８．０から約９．５まで、９．０から１２．５までまたは約９．０から約１２．５まで、１０．０から１５．５までまたは約１０．０から約１５．５までの勾配を備えた沈下度を有する。
【０１３６】
いくつかの実施の形態において、本発明のサスペンション・システムは、サスペンション動程の始端において、０．０００１から０．２５までまたは約０．０００１から約０．２５まで、０．０００１から０．５までまたは約０．０００１から約０．５まで、０．０００１から１までまたは約０．０００１から約１まで、０．０００１から１．５までまたは約０．０００１から約１．５まで、０．０００１から２までまたは約０．０００１から約２まで、０．０００１から５までまたは約０．０００１から約５まで、０．０００１から１０までまたは約０．０００１から約１０まで、０．０００１から１００までまたは約０．０００１から約１００まで、０．０００１から１０００までまたは約０．０００１から約１０００まで、０．０００１から１００００までまたは約０．０００１から約１００００まで、０．０００１から１０００００までまたは約０．０００１から約１０００００まで、０．２から５までまたは約０．２から約５まで、０．５から４．５までまたは約０．５から約４．５まで、０．７５から４．０までまたは約０．７５から約４．０まで、１．０から３．５までまたは約１．０から約３．５まで、１．５から３．０までまたは約１．５から約３．０まで、２．０から２．５までまたは約２．０から約２．５まで、３．０から３．５までまたは約３．０から約３．５まで、３．５から４．０までまたは約３．５から約４．０まで、３．５から４．５までまたは約３．５から約４．５まで、４．５から５．５までまたは約４．５から約５．５まで、５．０から６．５までまたは約５．０から約６．５まで、６．０から７．５までまたは約６．０から約７．５まで、７．０から８．５までまたは約７．０から約８．５まで、８．０から９．５までまたは約８．０から約９．５まで、９．０から１２．５までまたは約９．０から約１２．５まで、１０．０から１５．５までまたは約１０．０から約１５．５までの勾配を備えた沈下度を有する。いくつかの実施の形態において、本発明のサスペンション・システムは、サスペンション動程の終端において、−０．０００１から−０．２５までまたは約−０．０００１から約−０．２５まで、−０．０００１から−０．５までまたは約−０．０００１から約−０．５まで、−０．０００１から−１までまたは約−０．０００１から約−１まで、−０．０００１から−１．５までまたは約−０．０００１から約−１．５まで、−０．０００１から−２までまたは約−０．０００１から約−２まで、−０．０００１から−５までまたは約−０．０００１から約−５まで、−０．０００１から−１０までまたは約−０．０００１から約−１０まで、−０．０００１から−１００までまたは約−０．０００１から約−１００まで、−０．０００１から−１０００までまたは約−０．０００１から約−１０００まで、−０．０００１から−１００００までまたは約−０．０００１から約−１００００まで、−０．０００１から−１０００００までまたは約−０．０００１から約−１０００００まで、−０．２から−５までまたは約−０．２から約−５まで、−０．５から−４．５までまたは約−０．５から約−４．５まで、−０．７５から−４．０までまたは約−０．７５から約−４．０まで、−１．０から−３．５までまたは約−１．０から約−３．５まで、−１．５から−３．０までまたは約−１．５から約−３．０まで、−２．０から−２．５までまたは約−２．０から約−２．５まで、−３．０から−３．５までまたは約−３．０から約−３．５まで、−３．５から−４．０までまたは約−３．５から約−４．０まで、−３．５から−４．５までまたは約−３．５から約−４．５まで、−４．５から−５．５までまたは約−４．５から約−５．５まで、−５．０から−６．５までまたは約−５．０から約−６．５まで、−６．０から−７．５までまたは約−６．０から約−７．５まで、−７．０から−８．５までまたは約−７．０から約−８．５まで、−８．０から−９．５までまたは約−８．０から約−９．５まで、−９．０から−１２．５までまたは約−９．０から約−１２．５まで、−１０．０から−１５．５までまたは約−１０．０から約−１５．５までの勾配を備えた沈下度を有する。
【０１３７】
いくつかの実施の形態において、本発明のサスペンション・システムは、サスペンション動程の始端において、−０．０００１から−０．２５までまたは約−０．０００１から約−０．２５まで、−０．０００１から−０．５までまたは約−０．０００１から約−０．５まで、−０．０００１から−１までまたは約−０．０００１から約−１まで、−０．０００１から−１．５までまたは約−０．０００１から約−１．５まで、−０．０００１から−２までまたは約−０．０００１から約−２まで、−０．０００１から−５までまたは約−０．０００１から約−５まで、−０．０００１から−１０までまたは約−０．０００１から約−１０まで、−０．０００１から−１００までまたは約−０．０００１から約−１００まで、−０．０００１から−１０００までまたは約−０．０００１から約−１０００まで、−０．０００１から−１００００までまたは約−０．０００１から約−１００００まで、−０．０００１から−１０００００までまたは約−０．０００１から約−１０００００まで、−０．２から−５までまたは約−０．２から約−５まで、−０．５から−４．５までまたは約−０．５から約−４．５まで、−０．７５から−４．０までまたは約−０．７５から約−４．０まで、−１．０から−３．５までまたは約−１．０から約−３．５まで、−１．５から−３．０までまたは約−１．５から約−３．０まで、−２．０から−２．５までまたは約−２．０から約−２．５まで、−３．０から−３．５までまたは約−３．０から約−３．５まで、−３．５から−４．０までまたは約−３．５から約−４．０まで、−３．５から−４．５までまたは約−３．５から約−４．５まで、−４．５から−５．５までまたは約−４．５から約−５．５まで、−５．０から−６．５までまたは約−５．０から約−６．５まで、−６．０から−７．５までまたは約−６．０から約−７．５まで、−７．０から−８．５までまたは約−７．０から約−８．５まで、−８．０から−９．５までまたは約−８．０から約−９．５まで、−９．０から−１２．５までまたは約−９．０から約−１２．５まで、−１０．０から−１５．５までまたは約−１０．０から約−１５．５までの勾配を備えた沈下度を有する。いくつかの実施の形態において、本発明のサスペンション・システムは、サスペンション動程におけるさらなる点において、０．０００１から０．２５までまたは約０．０００１から約０．２５まで、０．０００１から０．５までまたは約０．０００１から約０．５まで、０．０００１から１までまたは約０．０００１から約１まで、０．０００１から１．５までまたは約０．０００１から約１．５まで、０．０００１から２までまたは約０．０００１から約２まで、０．０００１から５までまたは約０．０００１から約５まで、０．０００１から１０までまたは約０．０００１から約１０まで、０．０００１から１００までまたは約０．０００１から約１００まで、０．０００１から１０００までまたは約０．０００１から約１０００まで、０．０００１から１００００までまたは約０．０００１から約１００００まで、０．０００１から１０００００までまたは約０．０００１から約１０００００まで、０．２から５までまたは約０．２から約５まで、０．５から４．５までまたは約０．５から約４．５まで、０．７５から４．０までまたは約０．７５から約−４．０まで、１．０から３．５までまたは約１．０から約３．５まで、１．５から３．０までまたは約１．５から約３．０まで、２．０から２．５までまたは約２．０から約２．５まで、３．０から３．５までまたは約３．０から約３．５まで、３．５から４．０までまたは約３．５から約４．０まで、３．５から４．５までまたは約３．５から約４．５まで、４．５から５．５までまたは約４．５から約５．５まで、５．０から６．５までまたは約５．０から約６．５まで、６．０から７．５までまたは約６．０から約７．５まで、７．０から８．５までまたは約７．０から約８．５まで、８．０から９．５までまたは約８．０から約９．５まで、９．０から１２．５までまたは約９．０から約１２．５まで、１０．０から１５．５までまたは約１０．０から約１５．５までの勾配を備えた沈下度を有する。
【０１３８】
いくつかの実施の形態において、本発明のサスペンション・システムは、サスペンション動程の始端において、０．０００１から０．２５までまたは約０．０００１から約０．２５まで、０．０００１から０．５までまたは約０．０００１から約０．５まで、０．０００１から１までまたは約０．０００１から約１まで、０．０００１から１．５までまたは約０．０００１から約１．５まで、０．０００１から２までまたは約０．０００１から約２まで、０．０００１から５までまたは約０．０００１から約５まで、０．０００１から１０までまたは約０．０００１から約１０まで、０．０００１から１００までまたは約０．０００１から約１００まで、０．０００１から１０００までまたは約０．０００１から約１０００まで、０．０００１から１００００までまたは約０．０００１から約１００００まで、０．０００１から１０００００までまたは約０．０００１から約１０００００まで、０．２から５までまたは約０．２から約５まで、０．５から４．５までまたは約０．５から約４．５まで、０．７５から４．０までまたは約０．７５から約４．０まで、１．０から３．５までまたは約１．０から約３．５まで、１．５から３．０までまたは約１．５から約３．０まで、２．０から２．５までまたは約２．０から約２．５まで、３．０から３．５までまたは約３．０から約３．５まで、３．５から４．０までまたは約３．５から約４．０まで、３．５から４．５までまたは約３．５から約４．５まで、４．５から５．５までまたは約４．５から約５．５まで、５．０から６．５までまたは約５．０から約６．５まで、６．０から７．５までまたは約６．０から約７．５まで、７．０から８．５までまたは約７．０から約８．５まで、８．０から９．５までまたは約８．０から約９．５まで、９．０から１２．５までまたは約９．０から約１２．５まで、１０．０から１５．５までまたは約１０．０から約１５．５までの勾配を備えた沈下度を有する。いくつかの実施の形態において、本発明のサスペンション・システムは、サスペンション動程におけるさらなる点において、−０．０００１から−０．２５までまたは約−０．０００１から約−０．２５まで、−０．０００１から−０．５までまたは約−０．０００１から約−０．５まで、−０．０００１から−１までまたは約−０．０００１から約−１まで、−０．０００１から−１．５までまたは約−０．０００１から約−１．５まで、−０．０００１から−２までまたは約−０．０００１から約−２まで、−０．０００１から−５までまたは約−０．０００１から約−５まで、−０．０００１から−１０までまたは約−０．０００１から約−１０まで、−０．０００１から−１００までまたは約−０．０００１から約−１００まで、−０．０００１から−１０００までまたは約−０．０００１から約−１０００まで、−０．０００１から−１００００までまたは約−０．０００１から約−１００００まで、−０．０００１から−１０００００までまたは約−０．０００１から約−１０００００まで、−０．２から−５までまたは約−０．２から約−５まで、−０．５から−４．５までまたは約−０．５から約−４．５まで、−０．７５から−４．０までまたは約−０．７５から約−４．０まで、−１．０から−３．５までまたは約−１．０から約−３．５まで、−１．５から−３．０までまたは約−１．５から約−３．０まで、−２．０から−２．５までまたは約−２．０から約−２．５まで、−３．０から−３．５までまたは約−３．０から約−３．５まで、−３．５から−４．０までまたは約−３．５から約−４．０まで、−３．５から−４．５までまたは約−３．５から約−４．５まで、−４．５から−５．５までまたは約−４．５から約−５．５まで、−５．０から−６．５までまたは約−５．０から約−６．５まで、−６．０から−７．５までまたは約−６．０から約−７．５まで、−７．０から−８．５までまたは約−７．０から約−８．５まで、−８．０から−９．５までまたは約−８．０から約−９．５まで、−９．０から−１２．５までまたは約−９．０から約−１２．５まで、−１０．０から−１５．５までまたは約−１０．０から約−１５．５までの勾配を備えた沈下度を有する。
【０１３９】
いくつかの実施の形態において、本発明のサスペンション・システムは、サスペンション動程の別の点において、０．０００１から０．２５までまたは約０．０００１から約０．２５まで、０．０００１から０．５までまたは約０．０００１から約０．５まで、０．０００１から１までまたは約０．０００１から約１まで、０．０００１から１．５までまたは約０．０００１から約１．５まで、０．０００１から２までまたは約０．０００１から約２まで、０．０００１から５までまたは約０．０００１から約５まで、０．０００１から１０までまたは約０．０００１から約１０まで、０．０００１から１００までまたは約０．０００１から約１００まで、０．０００１から１０００までまたは約０．０００１から約１０００まで、０．０００１から１００００までまたは約０．０００１から約１００００まで、０．０００１から１０００００までまたは約０．０００１から約１０００００まで、０．２から５までまたは約０．２から約５まで、０．５から４．５までまたは約０．５から約４．５まで、０．７５から４．０までまたは約０．７５から約４．０まで、１．０から３．５までまたは約１．０から約３．５まで、１．５から３．０までまたは約１．５から約３．０まで、２．０から２．５までまたは約２．０から約２．５まで、３．０から３．５までまたは約３．０から約３．５まで、３．５から４．０までまたは約３．５から約４．０まで、３．５から４．５までまたは約３．５から約４．５まで、４．５から５．５までまたは約４．５から約５．５まで、５．０から６．５までまたは約５．０から約６．５まで、６．０から７．５までまたは約６．０から約７．５まで、７．０から８．５までまたは約７．０から約８．５まで、８．０から９．５までまたは約８．０から約９．５まで、９．０から１２．５までまたは約９．０から約１２．５まで、１０．０から１５．５までまたは約１０．０から約１５．５までの勾配を備えた沈下度を有する。いくつかの実施の形態において、本発明のサスペンション・システムは、サスペンション動程のさらなる点において、−０．０００１から−０．２５までまたは約−０．０００１から約−０．２５まで、−０．０００１から−０．５までまたは約−０．０００１から約−０．５まで、−０．０００１から−１までまたは約−０．０００１から約−１まで、−０．０００１から−１．５までまたは約−０．０００１から約−１．５まで、−０．０００１から−２までまたは約−０．０００１から約−２まで、−０．０００１から−５までまたは約−０．０００１から約−５まで、−０．０００１から−１０までまたは約−０．０００１から約−１０まで、−０．０００１から−１００までまたは約−０．０００１から約−１００まで、−０．０００１から−１０００までまたは約−０．０００１から約−１０００まで、−０．０００１から−１００００までまたは約−０．０００１から約−１００００まで、−０．０００１から−１０００００までまたは約−０．０００１から約−１０００００まで、−０．２から−５までまたは約−０．２から約−５まで、−０．５から−４．５までまたは約−０．５から約−４．５まで、−０．７５から−４．０までまたは約−０．７５から約−４．０まで、−１．０から−３．５までまたは約−１．０から約−３．５まで、−１．５から−３．０までまたは約−１．５から約−３．０まで、−２．０から−２．５までまたは約−２．０から約−２．５まで、−３．０から−３．５までまたは約−３．０から約−３．５まで、−３．５から−４．０までまたは約−３．５から約−４．０まで、−３．５から−４．５までまたは約−３．５から約−４．５まで、−４．５から−５．５までまたは約−４．５から約−５．５まで、−５．０から−６．５までまたは約−５．０から約−６．５まで、−６．０から−７．５までまたは約−６．０から約−７．５まで、−７．０から−８．５までまたは約−７．０から約−８．５まで、−８．０から−９．５までまたは約−８．０から約−９．５まで、−９．０から−１２．５までまたは約−９．０から約−１２．５まで、−１０．０から−１５．５までまたは約−１０．０から約−１５．５までの勾配を備えた沈下度を有する。いくつかの実施の形態において、本発明のサスペンション・システムは、サスペンション動程のさらに別の点において、０．０００１から０．２５までまたは約０．０００１から約０．２５まで、０．０００１から０．５までまたは約０．０００１から約０．５まで、０．０００１から１までまたは約０．０００１から約１まで、０．０００１から１．５までまたは約０．０００１から約１．５まで、０．０００１から２までまたは約０．０００１から約２まで、０．０００１から５までまたは約０．０００１から約５まで、０．０００１から１０までまたは約０．０００１から約１０まで、０．０００１から１００までまたは約０．０００１から約１００まで、０．０００１から１０００までまたは約０．０００１から約１０００まで、０．０００１から１００００までまたは約０．０００１から約１００００まで、０．０００１から１０００００までまたは約０．０００１から約１０００００まで、０．２から５までまたは約０．２から約５まで、０．５から４．５までまたは約０．５から約４．５まで、０．７５から４．０までまたは約０．７５から約４．０まで、１．０から３．５までまたは約１．０から約３．５まで、１．５から３．０までまたは約１．５から約３．０まで、２．０から２．５までまたは約２．０から約２．５まで、３．０から３．５までまたは約３．０から約３．５まで、３．５から４．０までまたは約３．５から約４．０まで、３．５から４．５までまたは約３．５から約４．５まで、４．５から５．５までまたは約４．５から約５．５まで、５．０から６．５までまたは約５．０から約６．５まで、６．０から７．５までまたは約６．０から約７．５まで、７．０から８．５までまたは約７．０から約８．５まで、８．０から９．５までまたは約８．０から約９．５まで、９．０から１２．５までまたは約９．０から約１２．５まで、１０．０から１５．５までまたは約１０．０から約１５．５までの勾配を備えた沈下度を有する。
【０１４０】
図式的運動学的沈下度曲線について説明する。図式的解法は、サスペンションに関する所望の沈下度曲線を得るのに用いられるサスペンションの運動学的レイアウトを決定するのに用いることができる。シャフト、チェーンおよびスピンドルで駆動される車両に関しては、図式的レイアウトは、各パワートレーンの独特の特徴を計算に入れるまでは同一である。いかなる懸架された車輪も、サスペンションがサスペンション動程に沿って動くときに車輪が追従する車軸の軌道を有する。この車軸軌道の曲率および特定のパワートレーン構成要素に関するレイアウトが沈下度曲線を特徴づける。沈下度曲線は、重力に関連する車両の姿勢のような、全体の沈下度を決定する外的要素に関する車両の変化する姿勢および方向を測定したものである。解析の目的で、これらの外的要素は明確に特徴づけられ、かつ解析中は一定を保って、種々のシステムを直接比較するのに用いることができると理解される。サスペンション・システムがサスペンション動程を通じて、その初めの非収縮点から、終りの完全に収縮された点まで周期的に反復されるのにつれて、車両の重心位置、車両のサスペンション、およびパワートレーンの内的幾何学的配列の変化を通じて、決定されかつ不変の外的要素とともに沈下は動力加速下に増大する。サスペンション動程における各瞬間的時点は、現在の沈下度値を伴った瞬間的沈下点を有する。これらの瞬間的沈下点は、下部沈下測定基準線と沈下基準点との間の垂直距離における沈下レイアウトライン上の点として測定されまたは図示されることができる。沈下度基準値は、下部沈下測定基準線と沈下基準点との間の垂直距離として測定される。サスペンション動程内の瞬間点における沈下の所望の瞬間値が知られている場合、沈下基準点は、サスペンションが非収縮状態にあるときの始端および完全に収縮された状態における終端と互いに関連して、ならびに所望の沈下度曲線が得られるサスペンションの運動学的レイアウトを得る車両の幾何学的配列に関連して、運動学的に図示されることができる。沈下度曲線の初値は、このサスペンション・システムが完全に非収縮状態にあるときに測定された沈下度によって決定される。サスペンションがさらにサスペンション動程を通じて完全なサスペンション休止位置に向かって全サスペンション動程の５％の最少増分で循環するにつれて、さらなる沈下基準値が測定され記録される。沈下度値は沈下度基準値で除算されてパーセント沈下値を得る。パーセント沈下値は、それらに関連する増大するパーセント全サスペンション動程の増分に対して図示される。サスペンション動程の変位は、重力と平行でかつ反対方向と、車両が平坦地上でサスペンションが完全に伸張されたときの瞬時沈下点測定に平行な方向とに測定される。この測定方向は、常に先に車両が平坦な地上でサスペンションが完全に伸張されたときに測定され、車両が平坦な地上に置かれてないとき、またはサスペンションが収縮されている環境下でサスペンション動程を測定するときには車両のシャーシに対して一定に留める。車両のホイールベース、パワートレーンの位置、および重心のような前から知られている基準点は、車両沈下特性の明瞭な画像を得るために、沈下基準点と並んで図示される。沈下特性を求めかつ定義するための車両のグラフは、常に側面から見た車両でレイアウトされる。
【０１４１】
沈下レイアウトラインは、前輪のタイヤと地面との間の接地面の中心を通る重力と平行かつ反対方向に引いた線であり、別の点で終端している。前述の沈下度曲線から直接的に計算され、または以前に説明したように運動学的に図示されることができる沈下基準点は、この沈下レイアウトライン上に描かれる。下部沈下基準線は、被駆動輪の接地面の中心から沈下レイアウトラインに対し直角に引かれ、沈下レイアウトライン上で終端する。複数の沈下基準点が沈下レイアウトライン上に相互に、かつ下部沈下基準線に関連して引かれる。下部沈下基準線よりも上方に引かれた沈下基準点は抗沈下度に関連する。下部沈下基準線に一致して引かれた沈下基準点はゼロ沈下度に関連する。下部沈下基準線よりも下方に引かれた沈下基準点は順沈下度に関連する。沈下フォースベクトルは、被駆動輪の接地面の中心から沈下レイアウトライン上の沈下基準点まで引かれる。サスペンションがサスペンション動程を通じて瞬時計測点を通って動くにつれて、沈下フォースベクトルは、後輪タイヤの接地面の中心を始端として、沈下レイアウトライン上の対応する測定された瞬時沈下基準点で終端する。沈下度基準点はこの沈下レイアウトライン上に描かれる。下部沈下基準線は、被駆動輪の接地面の中心から沈下レイアウトラインに対し直角に引かれ、沈下レイアウトライン上で終端する。既知の車両ばね上重量の重心はこの車両に関連して描かれる。質量交差ベクトルの中心が沈下レイアウトラインに会う点は２００パーセント沈下点と定義される。２００パーセント沈下点と下部沈下基準線との間の距離は２００パーセント測定値と呼ばれる。２００パーセント沈下点と下部沈下基準線との間の距離の中点は沈下度基準点と呼ばれる。２００パーセント測定値を２で割ることによって沈下度基準値が得られる。沈下度基準点と下部沈下基準線との間の距離は沈下測定基準値と呼ばれる。
【０１４２】
所望の沈下度曲線から特定のサスペンション・システムの運動学的レイアウトを得るための図式解法においては、シャフトドライブ、スピンドルドライブ、またはチェーンドライブのような形式の異なる動力伝達システムに関して特定の因数に分解するときに変換しなければならない。
【０１４３】
シャフトドライブ・システムは、パワーユニット出力軸から車輪軸までの回転運動を通じて動力を伝達することができる動力伝達システムを一般に用いている。２本の軸は、一般に一つの平面内でほぼ直角に固定される。動力伝達システムは、ギアからコグへ、摩擦輪へおよび他の形式のシステムへと変えることができ、これらすべては普遍的にコグと呼ばれる。これらのシャフトドライブ・システムは、パワーユニット出力軸に回転可能に取り付けられたドライビングコグと、このドライビングコグからの回転運動を直角の軸へ伝達する第１中間コグと、上記軸からの回転運動を、車輪の回転軸に回転可能に取り付けられたドリブンコグに伝達する第２中間コグに特徴がある。
【０１４４】
シャフトドライブ車両のパワートレーンおよびサスペンションは一般に二つの形式のうちの一つを採る。これらは、シングルピボット・システムまたはマルチリンク・システムである。単純なシングルピボット・システムは、シングルピボットの周りに枢動するホイールキャリア・リンクに固定されかつその内部に収容されたドリブンコグに特徴がある。この構成においては、ホイールキャリア・リンクを車両フレーム構造に結合する単一のピボットがあるのみである。回転駆動トルクは、ホイールキャリア・リンクの一部であるドリブンコグ・ハウジングに対し作用する。ホイールキャリア・リンク内の駆動トルクは、シングルフレーム・ピボットの周りにトルクを生じる。このトルクに、車輪を通じて発生する駆動力が結合してタイヤを通じて接地面に加わると沈下応答になる。シングルピボット・シャフトドライブ・システムに関する瞬時ピボット位置は、所望の瞬時沈下応答に関連する引かれた沈下フォースベクトル上のいずれの点においても見られる。これらのシングルピボット・システムは安定な沈下度曲線の発生を不可能にする。
【０１４５】
マルチピボット・リンケージは、沈下特性を変えて、シャフトドリブン車輪サスペンション・システムにおける可変沈下度曲線を得るのに用いることができる。マルチリンク・シャフトドライブ・サスペンション・システムは、システム内のドリブンコグを通過するトルクをスインギングリンク・システムから分離させる。４本バーのバリエーションにおいては、第１スインギングリンクの一端を枢支するホイールキャリア・リンクにドリブンコグが取りつけられている。第１キャリアマニピュレーションリンクは、ホイールキャリアリンク・ピボットの反対側のみおいて車両のシャーシに取り付けられている。シングルピボット・シャフトドライブ・システムにおいて説明したのと同様のトルクの反作用が働いて、ホイールキャリア・リンクを第１キャリアマニピュレーションリンクに対して回転させる。第２キャリアマニピュレーションリンクもホイールキャリアリンクに取り付けられている。この第２キャリアマニピュレーションリンクは、第１スインギングキャリアマニピュレーションリンクとは異なる部位において車両のシャーシに取り付けられている。第２キャリアマニピュレーションリンクは、第１キャリアマニピュレーションリンクに対するホイールキャリアリンクの回動を阻止するように働く。所望の瞬時沈下度を与える瞬時キャリアマニピュレーションリンク・ピボットポイントを見つけるためには、それの関連する所望の沈下フォースベクトルが図示されなければならない。２個のホイールキャリアリンク・ベクトルが次に規定される。キャリアマニピュレーションリンク・フォースラインは、ホイールキャリアリンク上のピボットに一致する後方ピボットの中心を力線が直接通過するように引かれる。キャリアマニピュレーションリンク・フォースラインは、所望の沈下フォースベクトル上で交差するように引かれる。第１および第２車両のシャーシピボットは、対応する第１および第２キャリアマニピュレーションリンク・フォースライン上に位置決めされて所望の瞬時沈下応答を得ることができる。サスペンション動程の多数の点において共に重畳されるキャリアマニピュレーションリンク・フォースラインおよび所望の沈下フォースベクトルをグラフにすると、所望の可変沈下度曲線を得ることができる枢支点の位置および運動学的サスペンション・レイアウトを設計者が選択することを可能にする。
【０１４６】
スピンドルドリブン・システムは一般に、パワーユニット出力軸から車軸スピンドルへ回転運動を通じて動力を伝達することができる動力伝達システムを用いている。この形式のシステムは、独立懸架されたまたは部分的に独立懸架された被駆動輪を用いる多輪車両に有用である。パワーユニット出力軸および車軸スピンドルは一般に一つの平面内にほぼ平行な角度で固定される。パワーユニット出力軸は懸架されたフレームメンバに固定され、かつ車軸スピンドルに回転可能に結合されて、両者が定速ジョイントまたはユニバーサル・ジョイントおよび車軸スピンドルを用いて同一方向に回転する。スピンドルドリブン・サスペンション・システムのためのパワーユニット出力軸と車軸スピンドルとの間の動力伝達は、定速ジョイントまたはユニバーサル・ジョイントを用いてワーユニット出力軸に、そして定速ジョイントまたはユニバーサル・ジョイントを用いて車軸スピンドルに連結された中間軸を組み入れることができる。この中間軸および協働する定速ジョイントまたはユニバーサル・ジョイントは、被駆動輪が被駆動輪車軸の周りで回転するように、被駆動輪に取り付けられた車軸スピンドルに回転運動を伝達する。
【０１４７】
スピンドルドリブン車両の独立懸架および半独立懸架は、一般にいくつかの形式のうちの一つを採用している。これらは、シングルピボット・トレーリングアーム・システム、シングルピボット・セミトレーリングアーム・システム、スインギングアクスル・システム、ＡアームまたはＨアーム・システム、マクファーソン・ストラット・システム、またはロングアーム・４バー・セミパラレルリンク・システムである。
【０１４８】
簡単なングルピボット・トレーリングアーム・システムまたはシングルピボット・セミトレーリングアーム・システムは、シングルピボットの周りを枢動するホイールキャリアリンクに回転可能に取り付けられた車軸スピンドルに特徴がある。この構成においては、ホイールキャリアリンクを車両フレーム構造に連結する１個のピボットのみが存在する。ホイールキャリアリンクは、フレームピボット軸が車両の左右方向に突出するように配置されている。シングルピボット・トレーリングアーム・システムにおいては、このフレームピボットが、車両のコーナーリングに際して側方荷重を支えるのに十分なほど広く、ホイールキャリアリンク・ピボット周りの軸は車軸スピンドルと平行である。シングルピボット・セミトレーリングアーム・システムおいては、このフレームピボットが、車両のコーナーリングに際して側方荷重を支えるのに十分なほど広く、ホイールキャリアリンク・ピボット周りの軸は車軸スピンドルと平行である。車両のコーナーリングに際して側方荷重を支えるのに十分なほど広く、ホイールキャリア・リンクピボット周りの軸は車軸スピンドルと平行である。ホイールキャリアリンクは、フレームピボット軸が対角線状に左右および前後に突出する。被駆動輪が加速されると、地面に対しホイール・タイヤ結合を通じてタイヤ接地面を介して発生した駆動力が被駆動輪構造を通じて車軸スピンドルに伝達される。この駆動力は、車軸スピンドルとホイールキャリアリンクとの間の回転可能な結合を通じてホイールキャリアリンクに伝達される。ホイールキャリアリンクを通じてシングルフレーム・ピボットに働く駆動力が沈下応答になる。シングルピボット・スピンドルドライブ・システムに関する瞬時ピボット位置は，所望の瞬時沈下応答に関連する沈下フォースベクトルに引かれたいずれの点においても見ることができる。これらシングルピボット・システムは、安定な沈下度曲線を発生させることができない。
【０１４９】
スインギングアクスル・システムは、シングルピボットの周りを枢動するホイールキャリアリンクに回転可能に取り付けられた車軸スピンドルに特徴がある。この構成においては、ホイールキャリアリンクを車両のシャーシ構造に結合する単一のピボットが存在する。ホイールキャリアリンクは、フレームピボット軸が車両の前後方向に突出するように配置されている。スインギングアクスル・システムにおいては、フレームピボットが車両のコーナーリングに際して側方荷重を支えるように十分に幅広く、ホイールキャリアリンクを枢支している軸は車軸スピンドルに直角である。被駆動輪が加速されると、地面に対しホイール・タイヤ結合を通じてタイヤ接地面を介して発生した駆動力が被駆動輪構造を通じて車軸スピンドルに伝達される。この駆動力は、車軸スピンドルとホイールキャリアリンクとの間の回転可能な結合を通じてホイールキャリアリンクに伝達される。ホイールキャリアリンクを通じてシングルフレーム・ピボットに働く駆動力が沈下応答になる。シングルピボット・スピンドルドライブ・システムに関する瞬時ピボット位置は，所望の瞬時沈下応答に関連する沈下フォースベクトルに引かれたいずれの点においても見ることができる。これらシングルピボット・システムは、安定な沈下度曲線を発生させることができない。
【０１５０】
ＡアームまたはＨアーム・システムは、アッパーおよびロワキャリアマニピュレーションリンクを通じてフレーム構造に枢支されたホイールキャリアリンクに回転可能に取り付けられた車軸スピンドルに特徴がある。ホイールキャリアリンクならびにアッパーおよびロワキャリアマニピュレーションリンクは、リンクピボット軸が車両の前後方向に、かつ車軸スピンドルに直角に突出するように配置されている。ＡアームまたはＨアーム・システムにおいては、これらのフレームピボットが車両のコーナーリングに際して側方荷重を支えるように間隔をおいている。ＡアームまたはＨアーム・システムは、Ａアーム・システムが、操舵目的のホイール・チューニングをコントロールするための追加の支持アームを用いることにより、Ｈアームが、操舵目的のホイール・チューニングをコントロールするための追加のピボットを用いることにより、ほぼ等しい結果を動的に達成することができる。被駆動輪が加速されると、地面に対しホイール・タイヤ結合を通じてタイヤ接地面を介して発生した駆動力が被駆動輪構造を通じて車軸スピンドルに伝達される。この駆動力は、車軸スピンドルとホイールキャリア・リンクとの間の回転可能な結合を通じてホイールキャリアリンクに伝達される。ホイールキャリアリンクを通じてアッパーおよびロワキャリア・マニピュレーションリンクならびにフレームピボットに働く駆動力が沈下応答になる。これらのＡアームまたはＨアーム・システムは、安定な沈下度曲線を発生させることができない。
【０１５１】
マクファーソン・ストラット・システムは、キャリアマニピュレーションリンクおよび軸方向にスライドするシャフトを通じてフレーム構造に取り付けられたホイールキャリアリンクに回転可能に取り付けられた車軸スピンドルに特徴がある。キャリアマニピュレーションリンクおよび軸方向にスライドするシャフトは、リンクピボット軸が車両の前後方向に、かつ車軸スピンドルに直角に突出するように配置されている。マクファーソン・ストラット・システムにおいては、これらのフレームピボットが車両のコーナーリングに際して側方荷重を支えるように間隔をおいている。マクファーソン・ストラット・システムは、操舵目的のホイール・チューニングをコントロールするための追加の支持アームを用いている。被駆動輪が加速されると、地面に対しホイール・タイヤ結合を通じてタイヤ接地面を介して発生した駆動力が被駆動輪構造を通じて車軸スピンドルに伝達される。この駆動力は、車軸スピンドルとホイールキャリアリンクとの間の回転可能な結合を通じて車軸スピンドルに伝達される。キャリアマニピュレーションリンクを通じて軸方向にスライドするシャフトおよびフレームピボットに働く駆動力が沈下応答になる。これらのマクファーソン・ストラット・システムは、安定な沈下度曲線を発生させることができない。
【０１５２】
ロングアーム・４バー・セミパラレルリンク・システムは、ホイールキャリアリンクに回転可能に取り付けられた車軸スピンドルに特徴がある。ホイールキャリアリンクは、固定されたフレームピボットの周りをそれぞれ枢動する２個のセミパラレル・アッパーおよびロワキャリアマニピュレーションリンクによって支持されている。この構成においては、ホイールキャリアリンクを車両フレーム構造に結合する最低４個のピボットが存在する。ホイールキャリアリンクおよびキャリアマニピュレーションリンクは、フレームピボット軸が車両の左右方向に突出するように配置されている。ロングアーム・４バー・セミパラレルリンク・システムにおいては、ホイールキャリア・リンクを枢支している軸が車軸スピンドルと平行である。ロングアーム・４バー・セミパラレルリンク・システムは、シングルピボット・トレーリングアーム・システムと同様に動的に働くことができるが、シングルピボット・トレーリングアーム・システムのスペース的制約を解決するのに有用であり得る。被駆動輪が加速されると、地面に対しホイール・タイヤ結合を通じてタイヤ接地面を介して発生した駆動力が被駆動輪構造を通じて車軸スピンドルに伝達される。被駆動輪が加速されると、地面に対しホイール・タイヤ結合を通じてタイヤ接地面を介して発生した駆動力が被駆動輪構造を通じて車軸スピンドルに伝達される。この駆動力は、車軸スピンドルとホイールキャリアリンクとの間の回転可能な結合を通じてホイールキャリアリンクに伝達される。ホイールキャリアリンクを通じてアッパーおよびロワ・キャリアマニピュレーションリンクならびにフレームピボットに働く駆動力が沈下応答になる。これらのロングアーム・４バー・セミパラレルリンク・システムは、安定な沈下度曲線を発生させることができない。瞬時沈下度を見つけるためには、それの関連する所望の沈下フォースベクトルが図示されなければならない。２個のホイールキャリアリンク・ピボットが規定される。キャリアマニピュレーションリンク・フォースラインは、各ャリアマニピュレーションリンクのピボット軸の中心をフォースラインが直接通過するように引かれる。これら２本のフォースラインは、瞬時フォースセンタと呼ばれる交差ポイントに射影される。ロングアーム・４バー・セミパラレルリンク・システムにおいては、被駆動輪サスペンションが収縮されるにつれてこの瞬時フォースセンタが下方へ移動する。
【０１５３】
調整されたマルチピボット・リンケージは、沈下特性を変え、かつスピンドルドリブンホイール・サスペンション・システムにおける可変沈下度曲線を得るために用いられる。マルチリンク・スピンドルドリブン・サスペンション・システムは、車軸スピンドルとホイールキャリアリンクとの間の回転可能な結合を通じてホイールキャリアリンクに伝達される駆動力を分離させる。４バー構成のバリエーションにおいては、被駆動輪スピンドルセンタが被駆動輪回転軸を規定し、かつ第１スインギングリンクの一端において枢動するホイールキャリア・リンクに取り付けられている。第１キャリアマニピュレーションリンクは、ホイールキャリアリンク・ピボットの反対側の端部において車両のシャーシに取り付けられている。第２キャリアマニピュレーションリンクもまた、ホイールキャリアリンクに取り付けられている。この第２キャリアマニピュレーションリンクは、第１スインギング・キャリアマニピュレーションリンクとは異なる部位において車両のシャーシに取り付けられている。被駆動輪が加速されると、地面に対しホイール・タイヤ結合を通じてタイヤ接地面を介して発生した駆動力が被駆動輪構造を通じて車軸スピンドルに伝達される。被駆動輪が加速されると、地面に対しホイール・タイヤ結合を通じてタイヤ接地面を介して発生した駆動力が被駆動輪構造を通じて車軸スピンドルに伝達される。この駆動力は、車軸スピンドルとホイールキャリアリンクとの間の回転可能な結合を通じてホイールキャリアリンクに伝達される。ホイールキャリアリンクを通じて第１および第２アッパーおよびロワ・キャリアマニピュレーションリンクならびにフレームピボットに働く駆動力が沈下応答になる。所望の瞬時沈下度を与える瞬時キャリアマニピュレーションリンク・ピボットポイントを見つけるためには、それの関連する所望の沈下フォースベクトルが図示されなければならない。２個のホイールキャリアリンク・ピボットが規定される。キャリアマニピュレーション・リンク・フォースラインは、ホイールキャリアリンク上の複数のピボットに一致する後方のピボットの中心を直接通過するように引かれる。キャリアマニピュレーションリンク・フォースラインは、それらが所望の沈下フォースベクトル上で交差するように引かれる。第１および第２車両のシャーシピボットは，対応する第１および第２キャリアマニピュレーションリンク・フォースライン上に位置することができて、所望の瞬時沈下応答を得る。サスペンション動程中の多数の点において重畳するキャリアマニピュレーションリンク・フォースラインおよび所望の沈下フォースベクトルをグラフに描くと、所望の可変沈下度曲線を得ることができるピボットポイント位置および運動学的サスペンション・レイアウトを設計者が選択することができる。瞬時沈下度を見つけるために、それの関連する所望の沈下フォースベクトルがグラフに描かれなければならない。２個のホイールキャリアリンク・ピボットが規定される。キャリアマニピュレーションリンク・フォースラインは、第１キャリアマニピュレーションリンクおよび第２キャリアマニピュレーションリンクの２個のピボット軸の中心を１本のフォースラインが直接通過するように引かれる。これら２本のフォースラインは、瞬時フォースセンタと呼ばれる交差ポイントに射影される。本発明の調整されたマルチピボット・リンケージ・システムにおいては、被駆動輪サスペンションが収縮されるにつれて、この瞬時フォースセンタが、重力に関して上方へ、または被駆動輪回転軸に近付くように水平方向へ、または重力に関して上方および被駆動輪回転軸に近付くように水平方向へ移動する。
【０１５４】
チェーンドリブン・パワートレーン・システムは、チェーンまたはベルトを用いて２本のシャフト間で動力を伝達する。チェーンドリブン・システムは、軽量、堅牢性、ならびに製造および使用の双方における簡単さのために、自動二輪車、ＡＴＶ、および自転車に極めて一般的に用いられている。単純なチェーンドリブン・システムは、ドライビングコグおよびドリブンコグに特徴があり、ドライビングコグは動力源に取り付けられ、ドリブンコグは車輪の回転軸に取り付けられる。ドリブンチェーンは、ドライビングコグからの動力をドリブンコグに伝達するのに用いられる。ドライビングコグからドリブンコグに動力を伝達するときには、ドライビングコグおよびドリブンコグのピッチ円直径の間でチェーンがほぼ直線を形成する。被駆動輪（単数および複数）は、ベアリングまたはブッシュを介してスインギングリンクまたはリンケージに取り付けられており、ベアリングまたはブッシュは、スインギングリンクまたはリンケージに対する被駆動輪の回転を可能にする。より複雑なチェーンドリブン・システムは、ドライビングコグおよびドリブンコグに特徴があり、ドライビングコグは動力源に取り付けられ、ドリブンコグは車輪の回転軸に回転可能に取り付けられる。ドリブンチェーンは、ドライビングコグからの動力をドリブンコグに伝達するのに用いられる。ドライビングコグからドリブンコグに動力を伝達するときには、ドライビングコグおよびドリブンコグのピッチ円直径の間でチェーンがほぼ直線を形成する。ドライビングコグとドリブンコグの中間位置にはドリブンアイドラコグが配置される。このドリブンアイドラコグは、チェーンの経路を変更して分析の目的に用いられる。被駆動輪（単数および複数）は、ベアリングまたはブッシュを介してスインギングリンクまたはリンケージに取り付けられており、ベアリングまたはブッシュは、スインギングリンクまたはリンケージに対する被駆動輪の回転を可能にする。
【０１５５】
チェーンドリブン・サスペンションは一般に、いくつかの形式のうちの一つを採用している。これらは、シングルピボット・システム、マルチリンク・システム、カム／トラックタイプ・システム、および撓み形式システムである。サスペンションも、サスペンションとともに動くプーリの使用を通じてチェーンフォースベクトルラインを操作する可変チェーンライン形式構成を特徴とする。シングルピボット・システムは、シングルピボッティング・サスペンションリンクを用いて、懸架された車輪とシャーシの間で力を伝達する。マルチリンク・システムは、ピボッティング・サスペンションリンクの構成を用いて、懸架された車輪とシャーシの間で力を伝達する。スライディング素子を用いるがリンクは用いないで車軸からシャーシに伝達する力を得るカム／トラックタイプ・システムも可能であるが、実際には一般的でない。撓み形式システムは、撓み素子を用いて、懸架された車輪からシャーシ構造に力を伝達する。上述のすべての形式のチェーンドリブン・サスペンション・システムにおいて、駆動力は、被駆動輪軸の経路に直角に引かれたベクトルとして表すことができる。チェーンドリブン・サスペンションにおいては、チェーンの引っ張り力と比較したときに、駆動力は常に主要な力成分である。
【０１５６】
沈下応答を共に発生させるチェーンドリブン車両のシャーシ内には二つの内的力が存在する。これらの二つの力は、駆動力およびチェーンの引っ張り力である。
【０１５７】
るチェーンドリブン車両が加速されると、動力源からドライビングコグに力が伝達される。このドライビングコグは、チェーンを通じてドリブンコグに力を伝達する。緊張されたチェーン内に存在する力の方向および量は、チェーンの引っ張り力と呼ばれる。チェーンラインが固定された形式の構成は、いずれの瞬時ポイントにおいても、単一のドライビングコグがシャーシ構造に回転可能に固定され、ドリブンコグはサスペンションメンバに取り付けられ、力はドライビングコグからチェーンを介してドリブンコグに伝達される。固定チェーンライン形式の構成においては、チェーンが車両のシャーシ構造に対して固定されていながら、チェーンフォースベクトルは、緊張されたチェーンラインの接点によって常に一端に配置され、移動するプーリの緊張されたチェーンラインの接点によって反対側の端部に配置される。
【０１５８】
サスペンションとともに動くプーリの使用を通じてチェーンフォースベクトルを操作する可変チェーライン形式の構成においては、チェーンが車両のシャーシ構造に対してチェ−ンが固定されている緊張されたチェーライン接点によって、そして反対側の端部において移動するプーリの緊張されたチェーライン接点によって、チェーンフォースベクトルが一端において解析可能である。本願においては、プーリをスライディング素子に替えることができる。
【０１５９】
車両のシャーシに固定されたプーリの使用を通じてチェーンフォースベクトルラインを操作する可変チェーライン形式の構成においては、ドリブンコグに対してチェーンが車輪に固定されている緊張されたチェーライン接点によって、そしてシャーシ構造に反対側の端部においてシャーシに固定されたアイドラプーリの緊張されたチェーライン接点によって、チェーンフォースベクトルが一端に配置されるように解析可能である。本願においては、プーリをスライディング素子に替えることができる。
【０１６０】
チェーンドリブン・パワートレーンにおいては、ドリブンコグが、ホイール／タイヤ結合体に回転可能に取り付けられる。車輪は摩擦で地面を押圧する。車輪が回転するにつれて、駆動力が接地面から車輪構造を通じて伝達され、力が後輪ハブ軸に与えられる。この押圧力は車輪サスペンション・システムを通じてシャーシに伝達され、最終的に車両を前方へ押す。この押圧力は駆動力と呼ばれる。駆動力の方向は、被駆動輪回転軸からドリブンアクスル経路に垂直に引かれた駆動力ベクトルとして測定されかつグラフに表され、ここでドリブンアクスル経路は、サスペンションがサスペンション動程を通って動かされるにつれて懸架された車輪回転軸が移動する線として定義される。このアクスル経路は、サスペンションのレイアウトに左右される一定の曲率または変化する曲率を有する。
【０１６１】
簡単なシングルピボット・システムは、車輪に回転可能に取り付けられたドリブンコグが、単一のピボットの周りを枢動するホイールキャリアリンクに回転可能に取り付けられていることを特徴とする。この構成においては、懸架された車輪は一定の半径の円弧を描いて移動する。所望の瞬時沈下度を与えるシングルピボット・チェーンドリブン・システムに関する瞬時スインギングリンク・ピボットポイントを見出すためには、それの関連する所望の沈下フォースベクトルが図示されなければならない。シングルピボット・サスペンションにはリンクが１個のみ存在するので、スインギングリンク・ピボットはドライビングフォースライン上にある。所望の車両の幾何学的構成は側面図で図示される。この車両の幾何学的構成は、サイズ、配置、車両タイヤの中心点、パワートレーンの構成要素のレイアウト、および重力の方向である。沈下レイアウトラインが最初に図示される。所望の沈下フォースベクトルは、前述のように、後輪接地面の中心から沈下レイアウトライン上の沈下基準点まで引かれる。次に、チェーンフォースベクトルが、前述のようにパワートレーンの構成要素に関連して図示される。チェーンフォースベクトルは、沈下フォースベクトルと交差するように引かれる。最後に、ドライビングフォースベクトルが後車輪軸の中心から、沈下フォースベクトルとチェーンフォースベクトルとの交差点まで引かれる。シングルピボット・スインギングリンク・サスペンションアームに関する枢支点は、ドライビングフォースベクトルに沿った何れの点にもあって、所望の瞬時沈下度を得る。チェーン引っ張りベクトル、およびサスペンション動程内の多数の点において重畳された沈下フォースベクトルを図示することは、設計者が、サスペンション動程の多数の点におけるドライビングフォースベクトルを見出すことを可能にする。サスペンション動程における種々の点に関する重畳されたドライビングフォースベクトルの交差する点は、所望の沈下度曲線を得ることができるシングルピボット・ポイントの位置および運動学的サスペンション・レイアウトを規定する。
【０１６２】
マルチリンク・システム、カム／トラック（スライディング・リンク）形式のシステム、および撓み形式のシステムは、車輪に回転可能に取り付けられたドライビングコグが、多要素システムによって規定されたアクスル経路に沿って車輪を移動させるホイールキャリアリンクに回転可能に取り付けられていることを特徴とする。多要素システムの解析を助けるためには、最初に要素を規定しその後副産物としてアクスル経路を測定して所望の結果を得るのではなく、車輪を案内するアクスル経路を規定または測定し、次いで所望のクスル経路を得る要素を規定することが最も簡単である。多要素システムは，複数のリンクまたはカムの組合せを用いて、仮想のまたは瞬時のピボットポイントを射影する。このピボットポイントは、前述のように、ドリブンホイール・アクスルに垂直に引かれたドライビングフォースベクトルに沿って点において常に見出される。
【０１６３】
所望の瞬時沈下度を与えるアクスル経路を見出すためには、それに関連する所望の沈下フォースベクトルが図示されなければならない。所望の車両の幾何学的構成は側面図で図示される。この車両の幾何学的構成は、サイズ、配置、車両タイヤの中心点、車両接地面、パワートレーンの構成要素のレイアウト、および重力の方向である。車両の車輪サスペンション・システムは、懸架された車輪がゼロ収縮サスペンション動程点である最小サスペンション動程点と、懸架された車輪が１００％収縮サスペンション動程点である最大サスペンション動程点とを常に有する。沈下度曲線を得るためには、いくつかの重畳されたグラフが作成されなければならない。与えられた沈下フォースベクトルを用いた図式解法から正確な沈下度曲線を作図するのに用いられる、サスペンション収縮変位における最小増分は、図示された沈下フォースベクトル間の全サスペンション収縮変位の５％にされるべきであることが判明している。沈下レイアウトラインが最初に図示される。所望の沈下フォースベクトルは、前述のように、後輪接地面の中心から沈下レイアウトライン上の沈下基準点まで引かれる。次に、チェーンフォースベクトルが、前述のようにパワートレーンの構成要素に関連して図示される。チェーンフォースベクトルは、沈下フォースベクトルと交差するように引かれる。最後に、ドライビングフォースベクトルが後車輪軸の中心から、沈下フォースベクトルとチェーンフォースベクトルとの交差点まで引かれる。シングルピボット・スインギングリンク・サスペンションアームに関する枢支点は、ドライビングフォースベクトルに沿った何れの点にもあって、所望の瞬時沈下度を得る。チェーン引っ張りベクトル、およびサスペンション動程内の多数の点において重畳された沈下フォースベクトルを図示することは、設計者が、サスペンション動程の多数の点におけるドライビングフォースベクトルを見出すことを可能にする。サスペンション動程における種々の点に関する重畳されたドライビングフォースベクトルの交差する点は、所望の沈下度曲線を得ることができる瞬時ピボットポイントの動きおよび運動学的サスペンション・レイアウトを規定する。多要素システムに関しては、例えば運動学的解析コンピュータソフトウエアを用いることによって、所望のアクスル経路に基づいて要素レイアウトを規定することが可能ないくつかの方法がある。この特定の機能を実行することが可能なソフトウエアは、米国カリフォルニア州９４１０７、サンフランシスコ、タウンゼント・ストリート６００所在のＳｙＭｅｃｈ社からＳｙＭｅｃｈの名前で販売され、オランダ国、ＮＬ−５６７２ＲＪ  Ｎｅｕｎｅｎ，Ｈｅｔ  Ｐｕｙｖｅｎ所在のＡＲＴＡＳエンジニアリング・ソフトウエア社からＳＡＭの名前で販売されている。このソフトウエアは、ユーザーがアクスル経路を規定し、機械要素の形式、機械要素の数、および固定部品の所望の配置のようなパラメータを設定することができる。このソフトウエアは、次に設定されたすべてのパラメータを満足するマルチプルリンク・レイアウトを提示する。図を用いた解析は人手によっても行なうことができる。この人手による解析においては、多要素システムの機械的要素がサス��ンション動程の複数の点で測定される。サスペンション動程の各点において、リンクシステムの瞬時フォースセンタが図示される。一般的な４本バーリンケージ・サスペンション・システムは、２個の独立したキャリアマニピュレーションリンクに枢支されたホイールキャリアリンクに回転可能に取り付けられたドリブンホイールに回転可能に取り付けられたドリブンコグを特徴とする。スインギングリンクはそれらの他端で車両のシャーシに回転可能に取り付けられている。図１ａに示されているような４本バーピボッティング・リンケージ・システムにおける瞬時フォースセンタは、ホイールキャリアリンクを支持する２個のキャリアマニピュレーションリンクのそれぞれの両ピボットを通る個々のリンクフォースラインを射影することによって見出される。２本のキャリアマニピュレーションリンク・フォースラインは、それらが互いに交差するように射影される。この交差点は瞬時フォースセンタとして一般に知られている。ドライビングフォースラインは被駆動輪の回転軸からこの瞬時フォースセンタまで直接に引かれる。キャリアマニピュレーションリンクがそれらのピボット上で回転するにつれて、瞬時フォースセンタの位置は、被駆動輪の回転軸および車両のシャーシに対して変化する。これにより、ドライビングフォースラインがチェーンフォースラインに対して移動する。沈下フォースラインが被駆動輪の接地面の場所およびドライビングフォースベクトルとチェーンフォースベクトルとの間の交点によって部分的に規定されるので、沈下ベクトルの方向に変化が生じる。下部沈下基準線からこの沈下方向ベクトルが沈下レイアウトラインに交差する点までの垂直距離が測定され、かつ記録される。
【０１６４】
４本バー・スライディングリンク・サスペンション・システムは、４本バー・ピボッティング・システムと同様に解析されることが可能であるが、スライディングリンク・システムの制約により、瞬時フォースセンタの識別は僅かに異なる態様で行なわれる。本バー・スライディングリンク・システムは、２個の独立したキャリアマニピュレーション・スライディングブロックに枢支されたホイールキャリアリンクに回転可能に取り付けられたドリブンホイールに回転可能に取り付けられたドリブンコグを特徴とする。各キャリアマニピュレーションスライディングブロックは、個々のスライディングレール上を移動する。４本バー・スライディングリンケージ・システムにおける瞬時フォースセンタは、ホイールキャリアリンクを支持する２個のキャリアマニピュレーションスライディングブロックの各ピボットに中心を持つ個々のスライディング・フォースラインを射影することによって、４本バー・スライディングリンケージ・システムにおける瞬時フォースセンタが見出される。キャリアマニピュレーションスライディングブロック・フォースラインは、２本のキャリアマニピュレーションスライディングブロック・フォースラインが互いに交差するように、スライディングレールに垂直に射影される。この交差点が瞬時フォースセンタと呼ばれる。ドライビングフォースラインは被駆動輪回転軸からこの瞬時フォースセンタまで直接引くことができる。キャリアマニピュレーションスライディングブロックはそれらのそれぞれのスライディングレール上をスライドするので、瞬時フォースセンタの位置は、被駆動輪回転軸および車両シャーシに対して変化する。このことは、ドライビングフォースラインがチェーンフォースラインに対して移動する原因となる。沈下フォースラインが、被駆動輪の接地面の位置およびドライビングフォースベクトルとチェーンフォースベクトルとの交点によってある程度規定されるので、沈下ベクトルの方向の変化が生じ得る。下部沈下基準線から、この沈下方向ベクトルが沈下レイアウトラインに交差する点までの垂直距離が測定されかつ記録される。
【０１６５】
アクスル経路を決定するための多素子システムの測定は、図を用いて、または測定機器を用いて行なわれる。測定機器を用いると、車両シャーシは固定状態で、懸架された車輪回転軸がそのサスペンション動程中の複数の測定点を通って自由に動き得るように、車両が固定されかつ配向される。側面視配向においては、懸架された車輪の回転軸から車両フレーム上の固定点まだの水平および垂直距離が、サスペンション動程の多数の点において取り上げられる。サスペンションはサスペンション動程を通って循環されるので、水平および垂直距離の対応する測定は、車両シャーシに対する車輪回転軸動程経路を形成する。この経路はアクスル経路と呼ばれる。
【０１６６】
一般的な運動学的図式解法は、フォースラインの正確な計算のために、ドライビングコグ２７をそのドライビングコグのピッチ円直径４７として必要とする。
【０１６７】
解析によると、大多数の車両は、被駆動輪の動程の限定されたパーセンテージの中で加速を行なうことが判明している。解析された車両の大多数に関しては、加速の大部分が被駆動輪の全動程の２５％の範囲内で発生している。
【０１６８】
解析によると、収縮可能なサスペンション・システムを備えた懸架されたチェーンドリブンホイールを用いている車両は、独立したアッパー・キャリアマニピュレーションリンクおよび第２キャリアマニピュレーションリンクに枢支されたホイールキャリアリンクに回転可能に取り付けられた被駆動輪に回転可能に取り付けられたドリブンコグを特徴とするレイアウトを有することによって、図９および図１０に示すような本発明の沈下度曲線１７を得ることが判明している。アッパーキャリアマニピュレーションリンクおよび第２キャリアマニピュレーションリンクは、それらの他端において車両のシャーシに枢支されている。アッパーキャリアマニピュレーションリンクおよび第２キャリアマニピュレーションリンクは、図１ａ，１ｂ，１ｃおよび１ｄに示されているように、車両のシャーシにおけるそれぞれの固定軸の周りで同一回転方向に回転する。第１キャリアマニピュレーションリンクは、サスペンションがその被駆動輪動程距離１５を通って移動するにつれて瞬時フォースセンタ経路４５を辿る瞬時フォースセンタ２４が、２本のキャリアマニピュレーションリンクによって射影されるように、第２キャリアマニピュレーションリンクに対して配置されている。ドリブンコグのピッチ円直径４７に対する瞬時フォースセンタ経路４５の位置は、安定な沈下度曲線１７を作成するために重要である。瞬時フォースセンタ経路４５は、同一経路上の二つの点を通りかつ上記経路と直交する２本の線の交差点として幾何学的に描かれる規定された瞬時フォースセンタ経路焦点４６を有する。上記経路上の二つの点を互いに接近させた場合に、瞬時フォースセンタ経路焦点４６の位置をより正確に描くことができる。解析された車両の大多数に関する加速の大部分が被駆動輪動程の２５％の範囲内にあることにより、本発明の瞬時フォースセンタ経路焦点４６は、被駆動輪動程の少なくとも２５％内ではドリブンコグのピッチ円直径４７内にある。
【０１６９】
解析によると、収縮可能なサスペンション・システムを備えた懸架されたチェーンドリブンホイールを用いている車両は、独立したアッパーキャリアマニピュレーションリンクおよび第２キャリアマニピュレーションリンクに枢支されたホイールキャリアリンクに回転可能に取り付けられた被駆動輪に回転可能に取り付けられたドリブンコグを特徴とするレイアウトを有することによって、図１１および図１２に示されているような本発明の沈下度曲線１７を得ることが判明している。アッパーキャリアマニピュレーションリンクおよび第２キャリアマニピュレーションリンクは、それらの他端において車両のシャーシに枢支されている。アッパーキャリアマニピュレーションリンクおよび第２キャリアマニピュレーションリンクは、図４ａおよび図４ｂに示されているように、車両のシャーシにおけるそれぞれの固定軸の周りで反対方向に回転する。第１キャリアマニピュレーションリンクは、サスペンションがその被駆動輪動程距離１５を通って移動するにつれて瞬時フォースセンタ経路４５を辿る瞬時フォースセンタ２４が、２本のキャリアマニピュレーションリンクによって射影されるように、第２キャリアマニピュレーションリンクに対して配置されている。ドリブンコグのピッチ円直径４７に対する瞬時フォースセンタ経路４５の位置は、安定な沈下度曲線１７を作成するために重要である。瞬時フォースセンタ経路４５は、同一経路上の二つの点を通りかつ上記経路と直交する２本の線の交差点として幾何学的に描かれる規定された瞬時フォースセンタ経路焦点４６を有する。上記経路上の二つの点を互いに接近させた場合に、瞬時フォースセンタ経路焦点４６の位置をより正確に描くことができる。解析された車両の大多数に関する加速の大部分が被駆動輪動程の２５％の範囲内にあることにより、本発明の瞬時フォースセンタ経路焦点４６は、被駆動輪動程の少なくとも２５％内ではドリブンコグのピッチ円直径４７内にある。
【０１７０】
運動学的解析によると、本発明のシャフトドリブンホイール・サスペンションは、被駆動輪がその被駆動輪サスペンション動程を通って収縮的に移動するにつれて、上方へ、または被駆動輪回転軸に近付くように水平方向へ、または重力に抗して上方へおよび被駆動輪回転軸に近付くように水平方向へ移動する瞬時フォースセンタ２４を射影するようにサスペンション構成要素を配置することによって得られることが判明している。重力に抗して上方への、または被駆動輪回転軸に近付くように水平方向への、または重力に抗して上方へおよび被駆動輪回転軸に近付く水平方向への瞬時フォースセンタ２４の移動は、被駆動輪がその被駆動輪サスペンション動程を通って重力に抗して上方へ収縮的に移動するので、本発明の安定な沈下度を得ることができる。
【０１７１】
運動学的解析によると、本発明のスピンドルドリブンホイール・サスペンションは、被駆動輪がその被駆動輪サスペンション動程を通って収縮的に移動するにつれて、上方へ、または被駆動輪回転軸に近付くように水平方向へ、または重力に抗して上方へおよび被駆動輪回転軸に近付くように水平方向へ移動する瞬時フォースセンタ２４を射影するようにサスペンション構成要素を配置することによって得られることが判明している。重力に抗して上方への、または被駆動輪回転軸に近付くように水平方向への、または重力に抗して上方へおよび被駆動輪回転軸に近付く水平方向への瞬時フォースセンタ２４の移動は、被駆動輪がその被駆動輪サスペンション動程を通って重力に抗して上方へ収縮的に移動するので、本発明の安定な沈下度を得ることができる。
【０１７２】
解析によると、シャフトドリブン・サスペンデッドホイールを用いた収縮可能なサスペンション・システムを備えた車両は、独立したアッパーキャリアマニピュレーションリンクおよび第２キャリアマニピュレーションリンクに枢支されたホイールキャリアリンクに回転可能に取り付けられた被駆動輪に回転可能に取り付けられたドリブンコグを特徴とするレイアウトを有することによって、図７ａ，図７ｂ，図７ｃおよび図８に示されているように、本発明の沈下度曲線１７を得ることが判明している。アッパーキャリアマニピュレーションリンクおよび第２キャリアマニピュレーションリンクは、それらの他端において車両のシャーシに枢支されている。アッパーキャリアマニピュレーションリンクおよび第２キャリアマニピュレーションリンクは、図２ａ、２ｂ、２ｃおよび２ｂに示されているように、車両のシャーシにおけるそれぞれの固定軸の周りで反対方向に回転する。第１キャリアマニピュレーションリンクは、サスペンションがその被駆動輪動程を通って収縮可能に移動するにつれて、瞬時フォースセンタ２４が、２本のキャリアマニピュレーションリンクによって射影されるように第２キャリアマニピュレーションリンクに対して配置されて、重力に抗して上方へ、または被駆動輪回転軸に近付くように水平方向へ、または重力に抗して上方へおよび被駆動輪回転軸に近付く水平方向へ移動する。サスペンションの後輪回転軸がその被駆動輪サスペンション動程距離１５を通って軸経路１４に沿って移動するにつれての瞬時フォースセンタ２４のこの上方へ、または後方へ、または上方および後方への移動は、本発明の沈下度曲線１７を実現する。
【０１７３】
解析によると、シャフトドリブン・サスペンデッドホイールを用いた収縮可能なサスペンション・システムを備えた車両は、独立したアッパーキャリアマニピュレーションリンクおよび第２キャリアマニピュレーションリンクに枢支されたホイールキャリアリンクに回転可能に取り付けられた被駆動輪に回転可能に取り付けられたドリブンコグを特徴とするレイアウトを有することによって、図７ａ，図７ｂ，図７ｃおよび図８に示されているように、本発明の沈下度曲線１７を得ることが判明している。アッパー・キャリアマニピュレーション・リンクおよび第２キャリアマニピュレーション・リンクは、それらの他端において車両のシャーシに枢支されている。アッパーキャリアマニピュレーションリンクおよび第２キャリアマニピュレーションリンクは、図５ａおよび５ｂに示されているように、車両のシャーシにおけるそれぞれの固定軸の周りで同一方向に回転する。第１キャリアマニピュレーションリンクは、サスペンションがその被駆動輪動程を通って収縮可能に移動するにつれて、瞬時フォースセンタ２４が、２本のキャリアマニピュレーションリンクによって射影されるように第２キャリアマニピュレーションリンクに対して配置されて、重力に抗して上方へ、または被駆動輪回転軸に近付くように水平方向へ、または重力に抗して上方へおよび被駆動輪回転軸に近付く水平方向へ移動する。サスペンションの後輪回転軸がその被駆動輪サスペンション動程距離１５を通って軸経路１４に沿って移動するにつれての瞬時フォースセンタ２４のこの上方へ、または後方へ、または上方および後方への移動は、本発明の沈下度曲線１７を実現する。
【０１７４】
解析によると、スピンドルドリブン・サスペンデッドホイールを用いた収縮可能なサスペンション・システムを備えた車両は、独立したアッパーキャリアマニピュレーションリンクおよび第２キャリアマニピュレーションリンクに枢支されたホイールキャリアリンクに回転可能に取り付けられた被駆動輪に回転可能に取り付けられたドリブンコグを特徴とするレイアウトを有することによって、図７ａ，図７ｂ，図７ｃおよび図８に示されているように、本発明の沈下度曲線１７を得ることが判明している。アッパーキャリアマニピュレーションリンクおよび第２キャリアマニピュレーションリンクは、それらの他端において車両のシャーシに枢支されている。アッパーキャリアマニピュレーションリンクおよび第２キャリアマニピュレーション・リンクは、図２ａ、２ｂ、２ｃおよび２ｂに示されているように、車両のシャーシにおけるそれぞれの固定軸の周りで反対方向に回転する。第１キャリアマニピュレーションリンクは、サスペンションがその被駆動輪動程を通って収縮可能に移動するにつれて、瞬時フォースセンタ２４が、２本のキャリアマニピュレーションリンクによって射影されるように第２キャリアマニピュレーションリンクに対して配置されて、重力に抗して上方へ、または被駆動輪回転軸に近付くように水平方向へ、または重力に抗して上方へおよび被駆動輪回転軸に近付く水平方向へ移動する。サスペンションの後輪回転軸がその被駆動輪サスペンション動程距離１５を通って軸経路１４に沿って移動するにつれての瞬時フォースセンタ２４のこの上方へ、または後方へ、または上方および後方への移動は、本発明の沈下度曲線１７を実現する。
【０１７５】
解析によると、スピンドルドリブン・サスペンデッドホイールを用いた収縮可能なサスペンション・システムを備えた車両は、独立したアッパー・キャリアマニピュレーションリンクおよび第２キャリアマニピュレーションリンクに枢支されたホイールキャリアリンクに回転可能に取り付けられた被駆動輪に回転可能に取り付けられたドリブンコグを特徴とするレイアウトを有することによって、図７ａ，図７ｂ，図７ｃおよび図８に示されているように、本発明の沈下度曲線１７を得ることが判明している。アッパーキャリアマニピュレーションリンクおよび第２キャリアマニピュレーションリンクは、それらの他端において車両のシャーシに枢支されている。アッパーキャリアマニピュレーションリンクおよび第２キャリアマニピュレーションリンクは、図５ａおよび５ｂに示されているように、車両のシャーシにおけるそれぞれの固定軸の周りで同一方向に回転する。第１キャリアマニピュレーション・リンクは、サスペンションがその被駆動輪動程を通って収縮可能に移動するにつれて、瞬時フォースセンタ２４が、２本のキャリアマニピュレーションリンクによって射影されるように第２キャリアマニピュレーションリンクに対して配置されて、重力に抗して上方へ、または被駆動輪回転軸に近付くように水平方向へ、または重力に抗して上方へおよび被駆動輪回転軸に近付く水平方向へ移動する。サスペンションの後輪回転軸がその被駆動輪サスペンション動程距離１５を通って軸経路１４に沿って移動するにつれての瞬時フォースセンタ２４のこの上方へ、または後方へ、または上方および後方への移動は、本発明の沈下度曲線１７を実現する。
【０１７６】
解析によると、図２ａ，２ｂ，２ｃ，２ｄ，３ａ，３ｂ，３ｃ，３ｄ，５ａ，５ｂ，６ａ，６ｂに示されているシャフトドリブン車両サスペンション・レイアウトによって、図７ａ，７ｂ，７ｃおよび図８に示されているような沈下度曲線１７を発生させることができることが判明している。
【０１７７】
解析によると、図１ａ，１ｂ，１ｃ，１ｄに示されているようなチェーンドリブン車両サスペンション・レイアウトによって、図９および図１０に示されているような沈下度曲線１７を発生させることができることが判明している。
【０１７８】
解析によると、図４ａおよび図４ｂに示されているようなチェーンドリブン車両サスペンション・レイアウトによって、図１１および図１２に示されているような沈下度曲線１７を発生させることができることが判明している。
【０１７９】
解析によると、図３８に示されているようなチェーンドリブン車両サスペンション・レイアウトによって、図１１および図１２に示されているような沈下度曲線１７を発生させることができることが判明している。
【０１８０】
本発明は、ここに示された、本発明の個々の様相の単一の例示を意図した特定の実施の形態、よって範囲が限定されるものではなく、機能的に等価な方法および構成要素も本発明の範囲内である。確かに、ここに示されかつ記載されているこれらのものに加えて、本発明の種々の変形が、上述の記載から当業者には明らかになるであろう。かかる変形は添付の請求項の範囲内にあることが意図される。引用された刊行物、特許および特許出願のすべては、それらの全体が引例としてここに組み入れられる。
【図面の簡単な説明】
【０１８１】
【図１ａ】本発明の実施の形態による安定した沈下度曲線を得る被駆動輪サスペンション・システムを用いた、チェーンで駆動される車両の側面図である。この車両は被駆動輪サスペンション・システムが非収縮状態で示されている。
【図１ｂ】被駆動輪サスペンション・システムが完全に収縮された状態の図１ａに示された車両の側面図である。
【図１ｃ】被駆動輪サスペンション・システムが完全に非収縮状態の図１ａおよび図１ｂに示された車両の部分的側面図である。
【図１ｄ】被駆動輪サスペンション・システムが完全に収縮された状態の図１ａ、図１ｂおよび図１ｃに示された車両の部分的側面図である。
【図２ａ】本発明の実施の形態による安定した沈下度曲線を得る被駆動輪サスペンション・システムを用いた、シャフトで駆動される車両の側面図である。この車両は被駆動輪サスペンション・システムが非収縮状態で示されている。
【図２ｂ】被駆動輪サスペンション・システムが完全に収縮された状態の図２ａに示された車両の側面図である。
【図２ｃ】被駆動輪サスペンション・システムが完全に非収縮状態の図２ａおよび図２ｂに示された車両の部分的側面図である。
【図２ｄ】被駆動輪サスペンション・システムが完全に収縮された状態の図２ａ、図２ｂおよび図２ｃに示された車両の部分的側面図である。
【図３ａ】本発明の実施の形態による安定した沈下度曲線を得る被駆動輪サスペンション・システムを用いた、スピンドルで駆動される車両の側面図である。この車両は被駆動輪サスペンション・システムが非収縮状態で示されている。
【図３ｂ】被駆動輪サスペンション・システムが完全に収縮された状態の図３ａに示された車両の側面図である。
【図３ｃ】被駆動輪サスペンション・システムが完全に非収縮状態の図３ａおよび図３ｂに示された車両の部分的側面図である。
【図３ｄ】被駆動輪サスペンション・システムが完全に収縮された状態の図３ａ、図３ｂおよび図３ｃに示された車両の部分的側面図である。
【図４ａ】本発明の実施の形態による安定した沈下度曲線を得る被駆動輪サスペンション・システムを用いた、チェーンで駆動される車両の側面図である。この車両は被駆動輪サスペンション・システムが非収縮状態で示されている。
【図４ｂ】被駆動輪サスペンション・システムが完全に収縮された状態の図４ａに示された車両の側面図である。
【図４ｃ】被駆動輪サスペンション・システムが完全に非収縮状態の図４ａおよび図４ｂに示された車両の部分的側面図である。
【図４ｄ】被駆動輪サスペンション・システムが完全に収縮された状態の図４ａ、図４ｂおよび図４ｃに示された車両の部分的側面図である。
【図５ａ】本発明の実施の形態による安定した沈下度曲線を得る被駆動輪サスペンション・システムを用いた、シャフトで駆動される車両の側面図である。この車両は被駆動輪サスペンション・システムが非収縮状態で示されている。
【図５ｂ】被駆動輪サスペンション・システムが完全に収縮された状態の図５ａに示された車両の側面図である。
【図５ｃ】被駆動輪サスペンション・システムが完全に非収縮状態の図５ａおよび図５ｂに示された車両の部分的側面図である。
【図５ｄ】被駆動輪サスペンション・システムが完全に収縮された状態の図５ａ、図５ｂおよび図５ｃに示された車両の部分的側面図である。
【図６ａ】本発明の実施の形態による安定した沈下度曲線を得る被駆動輪サスペンション・システムを用いた、スピンドルで駆動される車両の側面図である。この車両は被駆動輪サスペンション・システムが非収縮状態で示されている。
【図６ｂ】被駆動輪サスペンション・システムが完全に収縮された状態の図６ａに示された車両の側面図である。
【図７ａ】本発明の実施の形態によるサスペンション・システムに関する沈下度曲線を示すグラフである。この曲線は、図２ａ、図２ｂ、図２ｃ、図２ｄ、図３ａ、図３ｂ、図３ｃ、図３ｄ、図５ａ、図５ｂ、図６ａ、図６ｂに示されたサスペンションの運動学的幾何図形的配列によって生成されたものである。
【図７ｂ】本発明の実施の形態によるサスペンション・システムに関する沈下度曲線を示すグラフである。この曲線は、図２ａ、図２ｂ、図２ｃ、図２ｄ、図３ａ、図３ｂ、図３ｃ、図３ｄ、図５ａ、図５ｂ、図６ａ、図６ｂに示されたサスペンションの運動学的幾何図形的配列によって生成されたものである。
【図７ｃ】本発明の実施の形態によるサスペンション・システムに関する図７ａに示された沈下度曲線を示すグラフである。この曲線は、図７ａに示された曲線を、水平のＸ軸のスケールはそのままに保ちながら、垂直のＹ軸のスケールを変えることによって示すものである。この曲線は、図２ａ、図２ｂ、図２ｃ、図２ｄ、図３ａ、図３ｂ、図３ｃ、図３ｄ、図５ａ、図５ｂ、図６ａ、図６ｂに示されたサスペンションの運動学的幾何図形的配列によって生成され、パーセント沈下度の変化を測定するための上限および下限を示すものである。
【図８】本発明の実施の形態によるサスペンション・システムに関する図７ａに示された沈下度曲線を示すグラフである。この曲線は、水平のＸ軸のスケールはそのままに保ちながら、垂直のＹ軸のスケールを変えることによって示すものである。この曲線は、図２ａ、図２ｂ、図２ｃ、図２ｄ、図３ａ、図３ｂ、図３ｃ、図３ｄ、図５ａ、図５ｂ、図６ａ、図６ｂに示されたサスペンションの運動学的幾何図形的配列によって生成されたものであり、本発明の沈下度曲線の変化する勾配を示すものである。
【図９】本発明の実施の形態によるサスペンション・システムに関する沈下度曲線を示すグラフである。この曲線は、図１ａ、図１ｂ、図１ｃ、図１ｄに示されたサスペンションの運動学的幾何図形的配列によって生成されたものである。
【図１０】本発明の実施の形態によるサスペンション・システムに関する図９ａに示された沈下度曲線を示すグラフである。この曲線は、図９に示された曲線を、水平のＸ軸のスケールはそのままに保ちながら、垂直のＹ軸のスケールを変えることによって示すものである。この曲線は、図１ａ、図１ｂ、図１ｃ、図１ｄに示されたサスペンションの運動学的幾何図形的配列によって生成され、パーセント沈下度の変化を測定するための上限および下限を示すものである。
【図１１】本発明の実施の形態によるサスペンション・システムに関する沈下度曲線を示すグラフである。この曲線は、図４ａ、図４ｂに示されたサスペンションの運動学的幾何図形的配列によって生成されたものである。
【図１２】本発明の実施の形態によるサスペンション・システムに関する図１１に示された沈下度曲線を示すグラフである。この曲線は、図９に示された曲線を、水平のＸ軸のスケールはそのままに保ちながら、垂直のＹ軸のスケールを変えることによって示すものである。この曲線は、図４ａ、図４ｂに示されたサスペンションの運動学的幾何図形的配列によって生成され、パーセント沈下度の変化を測定するための上限および下限を示すものである。
【図１３ａ】本発明のチェーンで駆動される車両の収縮可能なサスペンションによって射影される、規定された瞬時フォースセンタ経路に従う瞬時フォースセンタを示す図である。
【図１４】沈下度基準点を測定するのに用いられる車両の質量中心を運動学的幾何図形的配列とともに示す側面図である。
【図１５】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図１６】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図１７】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図１８】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２０】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２１】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２２】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２３】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２４】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２５】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２６】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２７】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２８】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図２９】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３０】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３１】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３２】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３３】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３４】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３５】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３６】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３７】本発明の沈下度曲線を備えたサスペンション・システムの実施の形態を示し、１個のスプリング・ダンパユニット（小さい長方形の箱）およびピボット（小円）を介して相互連結されたフレーム部材（太線）を備えている。
【図３８】本発明の実施の形態による安定した沈下度曲線を得る図４ａに示された被駆動輪サスペンション・システムを用いた、チェーンで駆動される車両の側面図である。この車両は被駆動輪サスペンション・システムが非収縮状態で示されている。
【図３９】本発明の実施の形態による安定した沈下度曲線を得る被駆動輪サスペンション・システムを用いた、シャフトまたはスピンドルで駆動される車両の側面図である。この車両は被駆動輪サスペンション・システムが非収縮状態で示されている。この車両サスペンション・システムは、キャリアマニピュレーション・トラックおよびキャリアマニピュレーション・スライダを用いてホイールキャリア・リンクの動きを画成している。
【図４０】本発明の実施の形態による安定した沈下度曲線を得る被駆動輪サスペンション・システムを用いた、シャフトまたはスピンドルで駆動される車両の側面図である。この車両は被駆動輪サスペンション・システムが収縮状態で示されている。この車両サスペンション・システムは、キャリアマニピュレーション・トラックおよびキャリアマニピュレーション・スライダを用いてホイールキャリア・リンクの動きを画成している。
【図４１】本発明の実施の形態による安定した沈下度曲線を得る被駆動輪サスペンション・システムを用いた、シャフトまたはスピンドルで駆動される車両の側面図である。この車両は被駆動輪サスペンション・システムが非収縮状態および収縮状態の双方が重なって示されている。この車両サスペンション・システムは、キャリアマニピュレーション・トラックおよびキャリアマニピュレーション・スライダを用いてホイールキャリア・リンクの動きを画成している。
【図４２】本発明の実施の形態による安定した沈下度曲線を得る被駆動輪サスペンション・システムを用いた、シャフトまたはスピンドルで駆動される車両の側面図である。この車両は被駆動輪サスペンション・システムが非収縮状態および収縮状態の双方が重なって示されている。この車両サスペンション・システムは、キャリアマニピュレーション・リンクを用いてホイールキャリア・リンクの動きを画成している。
【符号の説明】
【０１８２】
１    被駆動輪
２    ホイールキャリア・リンク
３    第１キャリアマニピュレーションリンク
４    第２キャリアマニピュレーションリンク
５    チェーンフォースベクトル
６    ドライビングフォースベクトル
７    沈下フォースベクトル
８    第１キャリアマニピュレーションリンク・フォースベクトル
９    第２キャリアマニピュレーションリンク・フォースベクトル
１０    沈下基準点
１１    沈下レイアウトライン
１２    下部沈下測定基準線
１３    測定された沈下距離
１４    被駆動輪軸軌道
１５    被駆動輪サスペンション動程
１６    車両のシャーシ
１７    安定した沈下度曲線
１８    沈下度曲線上限
１９    沈下度曲線下限
２０    第１リンク固定ピボット
２１    第２リンク固定ピボット
２２    第１リンク遊動ピボット
２３    第２リンク遊動ピボット
２４    瞬時フォースセンタ
２５    被駆動輪回転軸
２６    チェーンフォースベクトルとドライビングフォースベクトルとの交点
２７    ドライビングコグ
２８    ドリブンコグ
２９    ドライビングコグ回転軸
３０    前輪タイヤの接地面の中心
３１    被駆動輪タイヤの接地面の中心
３２    バネ上重量の車両中心
【図１ａ】
2008538339.tif 000002
【図１ｂ】
2008538339.tif 000003
【図１ｃ】
2008538339.tif 000004
【図１ｄ】
2008538339.tif 000005
【図２ａ】
2008538339.tif 000006
【図２ｂ】
2008538339.tif 000007
【図２ｃ】
2008538339.tif 000008
【図２ｄ】
2008538339.tif 000009
【図３ａ】
2008538339.tif 000010
【図３ｂ】
2008538339.tif 000011
【図３ｃ】
2008538339.tif 000012
【図３ｄ】
2008538339.tif 000013
【図４ａ】
2008538339.tif 000014
【図４ｂ】
2008538339.tif 000015
【図５ａ】
2008538339.tif 000016
【図５ｂ】
2008538339.tif 000017
【図６ａ】
2008538339.tif 000018
【図６ｂ】
2008538339.tif 000019
【図７ａ】
2008538339.tif 000020
【図７ｂ】
2008538339.tif 000021
【図７ｃ】
2008538339.tif 000022
【図８】
2008538339.tif 000023
【図９】
2008538339.tif 000024
【図１０】
2008538339.tif 000025
【図１１】
2008538339.tif 000026
【図１２】
2008538339.tif 000027
【図１３ａ】
2008538339.tif 000028
【図１４】
2008538339.tif 000029
【図１５】
2008538339.tif 000030
【図１６】
2008538339.tif 000031
【図１７】
2008538339.tif 000032
【図１８】
2008538339.tif 000033
【図１９】
2008538339.tif 000034
【図２０】
2008538339.tif 000035
【図２１】
2008538339.tif 000036
【図２２】
2008538339.tif 000037
【図２３】
2008538339.tif 000038
【図２４】
2008538339.tif 000039
【図２５】
2008538339.tif 000040
【図２６】
2008538339.tif 000041
【図２７】
2008538339.tif 000042
【図２８】
2008538339.tif 000043
【図２９】
2008538339.tif 000044
【図３０】
2008538339.tif 000045
【図３１】
2008538339.tif 000046
【図３２】
2008538339.tif 000047
【図３３】
2008538339.tif 000048
【図３４】
2008538339.tif 000049
【図３５】
2008538339.tif 000050
【図３６】
2008538339.tif 000051
【図３７】
2008538339.tif 000052
【図３８】
2008538339.tif 000053
【図３９】
2008538339.tif 000054
【図４０】
2008538339.tif 000055
【図４１】
2008538339.tif 000056
【図４２】
2008538339.tif 000057
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
被駆動輪のサスペンションのための車両のサスペンション・システムであって、
該サスペンション・システムは、１個の瞬時フォースセンタを射影し、該サスペンション・システムは、該サスペンションが０パーセント・サスペンション収縮の点から１００パーセント・サスペンション収縮まで収縮されるにつれて、約０から約２５パーセントまでのパーセント沈下度の変化値を備えた安定した沈下度曲線を実現することを特徴とするサスペンション・システム。
【請求項２】
前記サスペンションがシャフトドリブン・ホイールサスペンションを構成し、前記サスペンション・システムは、前記車両のサスペンションが収縮されるにつれて、前記被駆動輪の回転軸に接近するように水平方向へ移動する１個の瞬時フォースセンタを射影することを特徴とする請求項１記載のサスペンション・システム。
【請求項３】
前記サスペンションがシャフトドリブン・ホイールサスペンションを構成し、前記サスペンション・システムは、前記車両のサスペンションが収縮されるにつれて、重力に対して上方へ移動する１個の瞬時フォースセンタを射影することを特徴とする請求項１記載のサスペンション・システム。
【請求項４】
前記サスペンションがシャフトドリブン・ホイールサスペンションを構成し、前記サスペンション・システムは、前記車両のサスペンションが収縮されるにつれて、重力に対して上方へかつ前記被駆動輪の回転軸に接近するように水平方向へ移動する１個の瞬時フォースセンタを射影することを特徴とする請求項１記載のサスペンション・システム。
【請求項５】
前記サスペンションがスピンドルドリブン・ホイールサスペンションを構成し、前記サスペンション・システムは、前記車両のサスペンションが収縮されるにつれて、０パーセントから１００パーセントのサスペンション収縮のすべての点において、重力に対して上方へかつ前記被駆動輪の回転軸に接近するように水平方向へ移動する１個の瞬時フォースセンタを射影することを特徴とする請求項１記載のサスペンション・システム。
【請求項６】
前記サスペンションが、ピッチ円直径を有するドライビングコグを備えたチェーンドリブンリアホイール・サスペンションを構成し、前記サスペンション・システムは、前記車両のサスペンションが収縮されるにつれて、上方へ移動する１個の瞬時フォースセンタを射影し、該瞬時フォースセンタは１本の瞬時フォースセンタ軌道を辿り、該瞬時フォースセンタ軌道は１個の瞬時フォースセンタ軌道焦点を描き、該瞬時フォースセンタ軌道焦点は、上記サスペンションが収縮される間に前記ドライビングコグのピッチ円直径によって描かれる領域内にあることを特徴とする請求項１記載のサスペンション・システム。
【請求項７】
約０から約１５％までのパーセント沈下度の変化値を備えた安定した沈下度曲線を実現することを特徴とする請求項１記載のサスペンション・システム。
【請求項８】
約０から約１０％までのパーセント沈下度の変化値を備えた安定した沈下度曲線を実現することを特徴とする請求項１記載のサスペンション・システム。
【請求項９】
約０から約５％までのパーセント沈下度の変化値を備えた安定した沈下度曲線を実現することを特徴とする請求項１記載のサスペンション・システム。
【請求項１０】
約０から約１％までのパーセント沈下度の変化値を備えた安定した沈下度曲線を実現することを特徴とする請求項１記載のサスペンション・システム。
【請求項１１】
サスペンション動程の始端領域において約−０．０００１から約−１０までの勾配を有する安定した沈下度曲線を実現し、前記始端領域がサスペンション動程の約０から約３０％までであることを特徴とする請求項１記載のサスペンション・システム。
【請求項１２】
サスペンション動程の終端領域において約０．０００１から約１０までの勾配を有する安定した沈下度曲線を実現し、前記終端領域がサスペンション動程の約７０から約１００％までであることを特徴とする請求項１記載のサスペンション・システム。
【請求項１３】
サスペンション動程の始端領域において約０．０００１から約１０までの勾配を有する安定した沈下度曲線を実現し、前記始端領域がサスペンション動程の約０から約３０％までであることを特徴とする請求項１記載のサスペンション・システム。
【請求項１４】
サスペンション動程の終端領域において約−０．０００１から約−１０までの勾配を有する安定した沈下度曲線を実現し、前記終端領域がサスペンション動程の約７０から約１００％までであることを特徴とする請求項１記載のサスペンション・システム。
【請求項１５】
サスペンション動程の始端領域において約−０．０００１から約−１０までの勾配を有する安定した沈下度曲線を実現し、前記始端領域がサスペンション動程の約０から約３０％までであり、かつサスペンション動程の別の点において、前記勾配が約−０．０００１から約−１０までであることを特徴とする請求項１記載のサスペンション・システム。
【請求項１６】
サスペンション動程の始端領域において約−０．０００１から約−１０までの勾配を有する安定した沈下度曲線を実現し、前記始端領域がサスペンション動程の約０から約３０％までであり、かつサスペンション動程の別の点において、前記勾配が約０．０００１から約１０までであることを特徴とする請求項１記載のサスペンション・システム。
【請求項１７】
スペンション動程の始端領域において約０．０００１から約１０までの勾配を有する安定した沈下度曲線を実現し、前記始端領域がサスペンション動程の約０から約３０％までであり、かつサスペンション動程の別の点において、前記勾配が約０．０００１から約１０までであることを特徴とする請求項１記載のサスペンション・システム。